(57)【特許請求の範囲】
【請求項１】
枠状に形成される支持体に対して前面側に開閉可能に支持される開閉体を備えた遊技機において、
前記支持体に対して前記開閉体が閉鎖された状態において、遊技機背面視左右方向における一方側の上側角部に、遊技機背面側に開口し、指先を差し込み可能に形成された縦長の溝状部が設けられ、
前記支持体は、その縦長の溝状部の上面及び遊技機左右方向における外面側に近い側面を支持体の上部内面および側部内面により形成し、
前記開閉体は、前記縦長の溝状部の下側の上向き面を形成する溝形成上向面と、
前記縦長の溝状部の遊技機左右方向における中央側に近い横向き面を形成する溝形成横向面と、
前記溝形成上向面より上方にて、前記支持体の内面に対して指先を差し込み不能な隙間を隔てて、該溝形成上向面より前側および遊技機左右方向における中央側に上向きの面を形成する支持体近接上向面と、
前記溝形成横向面より前記支持体の内面に近い側にて、前記支持体の内面に対して指先を差し込み不能な隙間を隔てて、該溝形成横向面より前側および下側に前記支持体の内面に対面する面を形成する支持体近接横向面とを有していることを特徴とする遊技機。
【請求項２】
枠状に形成される支持体に対して前面側に開閉可能に支持される開閉体を備えた遊技機において、
該開閉体は、
遊技機背面視左右方向における一方側の上側角部において、前記支持体の枠内にて該支持体に対面して設けられる上側角部外面を有し、
該上側角部外面として、
前記支持体の上部であって下側を向いた内面に対面する第１上向面と、
該第１上向面の一部に対して遊技機後側に設けられ、該第１上向面よりも前記上部内面から離間した第２上向面と、
前記支持体の左右方向における一方側の側部であって他方側の側部を向いた側部内面側に対面する第１横向面と、
該第１横向面の一部に対して遊技機後側に設けられ、該第１横向面よりも前記側部内面から離間し、且つ、前記第２上向面と前記上部内面との間の距離より少ない距離離間した第２横向面とが設けられ、
前記支持体に対して前記開閉体が閉鎖された状態において、前記開閉体の前記上側角部側には、前記遊技機本体の第２上向面および前記第２横向面と前記支持体の内面との間に前記支持体の内面に沿った縦長の溝状部が遊技機背面側に開口形成されていることを特徴とする遊技機。
【請求項３】
前記開閉体が閉鎖された状態において開方向への移動を阻止する施錠状態とするために前記支持体と係合可能に動作可能であって上下方向に離間した複数箇所に設けられる複数の動作部を備え、
該複数の動作部のうち最上部に設けられる動作部であって遊技機背面視において前記溝状部内に少なくとも上端部が面しつつ所定の解錠操作によって下方へ移動して解錠状態となる上側動作部と、
前記複数の動作部のうち前記上側動作部から下方に離れた少なくとも１箇所に設けられる動作部であって、所定の解錠操作によって前記上側動作部と共に解錠状態となる下側動作部と、
該下側動作部への直接的な外力に対する該下側動作部の動作を制限して施錠状態を維持するための外力動作制限手段とが設けられ、
前記上側動作部は、該上側動作部に対する直接的な外力によって下方へ移動可能に設けられていることを特徴とする請求項１又は２に記載の遊技機。
【発明の詳細な説明】
【技術分野】
【０００１】
本発明は、パチンコ機、スロットマシン等の遊技機に関する。
【背景技術】
【０００２】
従来、遊技機の代表例としてパチンコ機がある。パチンコ機は、例えば、遊技場（ホール）に固定される支持体としての外枠と、この外枠の左端側を開閉軸として開閉可能に設けられる開閉体としての内枠と、この内枠の開口に遊技領域が位置するように取り付けられる遊技部品としての遊技盤と、この内枠の正面視左端側を開閉軸として内枠に対して開閉可能に支持され、遊技領域に対応した視認窓を有する前面扉とを備えている。この前面扉には、遊技盤の遊技領域を視認可能とする視認窓が設けられ、視認窓を介して遊技者が遊技盤を視認可能とされている。遊技盤の遊技領域には、変動表示が行われる図柄の表示装置や装飾部品が設けられ、この部品は多様な演出や他の遊技機と差別化する目的で大型化される傾向にあるため、遊技領域は大きいことが好ましく、その分、遊技盤は拡大される傾向にある（例えば特許文献１参照）。
【先行技術文献】
【特許文献】
【０００３】
【特許文献１】特開２００４−０６５９３４号公報
【発明の概要】
【発明が解決しようとする課題】
【０００４】
しかしながら、遊技盤等が拡大されることにより、遊技機の搬送時に不具合が生じることがある。
【０００５】
本発明は、上記例示した事情等に鑑みてなされたものであり、遊技部品の拡大に伴う、遊技機の搬送時における不具合を抑制することができる遊技機を提供することを目的とするものである。
【課題を解決するための手段】
【０００６】
上記課題を解決すべく、請求項１記載の発明は、
枠状に形成される支持体に対して前面側に開閉可能に支持される開閉体を備えた遊技機において、
前記支持体に対して前記開閉体が閉鎖された状態において、遊技機背面視左右方向における一方側の上側角部に、遊技機背面側に開口し、指先を差し込み可能に形成された縦長の溝状部が設けられ、
前記支持体は、その縦長の溝状部の上面及び遊技機左右方向における外面側に近い側面を支持体の上部内面および側部内面により形成し、
前記開閉体は、前記縦長の溝状部の下側の上向き面を形成する溝形成上向面と、
前記縦長の溝状部の遊技機左右方向における中央側に近い横向き面を形成する溝形成横向面と、
前記溝形成上向面より上方にて、前記支持体の内面に対して指先を差し込み不能な隙間を隔てて、該溝形成上向面より前側および遊技機左右方向における中央側に上向きの面を形成する支持体近接上向面と、
前記溝形成横向面より前記支持体の内面に近い側にて、前記支持体の内面に対して指先を差し込み不能な隙間を隔てて、該溝形成横向面より前側および下側に前記支持体の内面に対面する面を形成する支持体近接横向面とを有していることを特徴とする。
【０００７】
また、請求項２記載の発明は、
枠状に形成される支持体に対して前面側に開閉可能に支持される開閉体を備えた遊技機において、
該開閉体は、
遊技機背面視左右方向における一方側の上側角部において、前記支持体の枠内にて該支持体に対面して設けられる上側角部外面を有し、
該上側角部外面として、
前記支持体の上部であって下側を向いた内面に対面する第１上向面と、
該第１上向面の一部に対して遊技機後側に設けられ、該第１上向面よりも前記上部内面から離間した第２上向面と、
前記支持体の左右方向における一方側の側部であって他方側の側部を向いた側部内面側に対面する第１横向面と、
該第１横向面の一部に対して遊技機後側に設けられ、該第１横向面よりも前記側部内面から離間し、且つ、前記第２上向面と前記上部内面との間の距離より少ない距離離間した第２横向面とが設けられ、
前記支持体に対して前記開閉体が閉鎖された状態において、前記開閉体の前記上側角部側には、前記遊技機本体の第２上向面および前記第２側向面と前記支持体の内面との間に前記支持体の内面に沿った縦長の溝状部が遊技機背面側に開口形成されていることを特徴とする。
【発明の効果】
【０００８】
本発明によれば、遊技部品の拡大に伴う、遊技機の搬送時における不具合を抑制することができる。
【図面の簡単な説明】
【０００９】
【図１】パチンコ機の正面図である。
【図２】前方から見たパチンコ機の斜視図である。
【図３】パチンコ機の主要な構成を展開して示す斜視図である。
【図４】パチンコ機の主要な構成を展開して示す斜視図である。
【図５】中間ユニットの正面図である。
【図６】遊技盤の正面図である。
【図７】中間ユニットの背面図である。
【図８】裏パックユニットの背面図である。
【図９】パチンコ機の背面図である。
【図１０】（ａ）は前方から見た外枠の斜視図であり、（ｂ）は後方から見た外枠の斜視図である。
【図１１】前方から見た中間ユニットの斜視図である。
【図１２】中間ユニットの右側部分における分解斜視図
【図１３】（ａ）は施錠機構の左側面図、（ｂ）は後方から見た施錠機構の斜視図である。
【図１４】後方から見た施錠機構の分解斜視図である。
【図１５】施錠動作ユニットおよび周辺部品の一部を切断して後方から見た斜視図である。
【図１６】施錠機構の各状態を示す動作説明図である。
【図１７】施錠機構における遊技機本体の解錠動作説明図である。
【発明を実施するための形態】
【００１０】
以下、本発明の実施形態として、遊技機の一種であるパチンコ遊技機（以下、「パチンコ機」という）を詳細に説明する。図１はパチンコ機１０の正面図、図２はパチンコ機１０を前方から見た斜視図、図３及び図４はパチンコ機１０の主要な構成を展開して示す斜視図、図５は中間ユニット１３の正面図である。なお、図３及び図５では便宜上パチンコ機１０の遊技領域２３ａ内の構成を省略している。
【００１１】
パチンコ機１０は、図３に示すように、当該パチンコ機１０の外殻を形成する外枠１１と、この外枠１１に対して前方に回動可能に取り付けられた遊技機本体１２と、を有する。外枠１１は、木製の板材を上辺および下辺とし、アルミ製の板材を左右の辺とした四辺を固定した枠状に形成される。パチンコ機１０は、外枠１１を島設備に取り付け固定することにより遊技場に設置される。なお、パチンコ機１０において外枠１１は必須の構成ではなく、外枠１１又は外枠１１と同一の内形を有し、外枠１１の遊技機本体１２支持構造および施錠構造を有する部材が遊技場に備え付けられた構成としてもよい。
【００１２】
遊技機本体１２は、図３に示すように、中間ユニット１３と、その中間ユニット１３の前方に配置される前扉枠１４と、中間ユニット１３の後方に配置される裏パックユニット１５とを備えている。遊技機本体１２のうち中間ユニット１３が外枠１１に対して回動可能に支持されている。
【００１３】
中間ユニット１３には、図３に示すように、前扉枠１４が回動可能に支持されており、正面視で左側を回動基端側（開閉基端側）とし、右側を回動先端側（開閉先端側）として前方へ回動可能とされている。また、中間ユニット１３には、図４に示すように、裏パックユニット１５が回動可能に支持されており、正面視で左側を回動基端側（開閉基端側）とし、右側を回動先端側（開閉先端側）として後方へ回動可能とされている。
【００１４】
中間ユニット１３には、図３に示すように、その回動先端部に施錠機構１６が設けられており、遊技機本体１２を外枠１１に対して開放不能に施錠状態とする機能と、前扉枠１
４を中間ユニット１３に対して開放不能に施錠状態とする機能を有している。これらの各施錠状態は、図１に示すようにパチンコ機１０前面にて露出させて設けられたキーシリンダ５０２に対して、解錠キーを用いて解錠操作を行うことにより、それぞれ解除される。この施錠機構１６の構成については、後に詳細に説明する。
【００１５】
中間ユニット１３は、図３に示すように、外形が外枠１１とほぼ同一形状をなす枠状の枠ユニット２１を主体に構成されている。枠ユニット２１には、前面側より遊技盤２３が着脱可能に取り付けられる内枠としての機能を有し、この遊技盤２３に形成される遊技領域２３ａが中間ユニット１３の前面側に露出可能に取り付けられる。遊技領域２３ａ内の様子は、図３に示すように、前扉枠１４の背面側に設けられた窓パネルユニット３０を通じてパチンコ機１０前方から視認可能となっている。
【００１６】
前扉枠１４は、中間ユニット１３の前面側に回動可能に取り付けられている。前扉枠１４の回動基端側には、図２に示すように、前扉取付金具５７，５８が設けられ、この前扉取付金具５７，５８が中間ユニット１３に係合することにより、中間ユニット１３に対して前扉枠１４が回動可能に支持される。中間ユニット１３側の前扉取付金具５７，５８との係合構造については、後に詳細に説明する。
【００１７】
前扉枠１４は、図３に示すように、中間ユニット１３と外形がほぼ同一の長方形状に形成されている。前扉枠１４には、窓パネルユニット３０の外周縁が正面視で露出しないように窓パネルユニット３０より小さく開口形成された窓部１４ａが設けられる（図１参照）。この窓部１４ａが窓パネルユニット３０によって背面側から覆われることで、窓パネルユニット３０を取り付けた前扉枠１４によって中間ユニット１３の前面側のほぼ全域が覆われる。
【００１８】
窓パネルユニット３０は、図３に示すように、窓部１４ａより大きな外形で透明性を有する前後一対の透明ガラス３１，３２と、これら透明ガラス３１，３２を一体化する固定枠３３とを備えている。固定枠３３は、合成樹脂により透明ガラス３１，３２より一回り大きな環状に形成され、透明ガラス３１，３２の外周縁が固定枠３３に接着されることで窓パネルユニット３０は一体化された複層ガラスとされている。
【００１９】
なお、窓パネルユニット３０は、透明ガラス３１，３２によって無色透明に形成されているが、これに限定されることはなく合成樹脂によって無色透明に形成されていてもよく、パチンコ機１０前方から窓パネルユニット３０を通じて遊技領域２３ａを視認可能であれば無色透明でなく有色透明に形成されていてもよい。
【００２０】
前扉枠１４において窓部１４ａの周囲には、図１に示すように、ＬＥＤ等の発光手段を内蔵した電飾部２４が複数設けられている。これら電飾部２４では、大当たり時や所定のリーチ時等における遊技状態の変化に応じて点灯や点滅が行われる。また、窓部１４ａの上側の電飾部２４には、払出球が不足する等の所定のエラー時に点灯する発光手段と、賞球払出中に点灯する発光手段とが内蔵されている。また、窓部１４ａの右上側および左上側には、遊技状態に応じた効果音などが出力されるスピーカ装置を覆うスピーカカバー２７が設けられている。
【００２１】
前扉枠１４における窓部１４ａの下方には、図２に示すように、手前側へ膨出した上側膨出部２８と下側膨出部２９とが上下に並設されている。上側膨出部２８には上方に開口した上皿２８ａが設けられており、下側膨出部２９には同じく上方に開口した下皿２９ａが設けられている。上皿２８ａは、後述する払出装置２２４より払い出された遊技球を一旦貯留し、一列に整列させながら後述する遊技球発射機構１１０側へ導く機能を有している。また、下皿２９ａは、上皿２８ａ内にて余剰となった遊技球を貯留する機能を有して
いる。
【００２２】
上側膨出部２８における上皿２８ａ（遊技球の貯留領域）の手前側には、遊技者らにより手動操作される操作スイッチ４０が設けられている。操作スイッチ４０は、図柄表示装置９４の表示画面等にて遊技者の操作に対応した演出が行われる場合に使用される操作装置である。
【００２３】
前扉枠１４における下側膨出部２９の右側には、図２に示すように、手前側へ突出するようにして遊技球発射ハンドル４５が設けられている。遊技球発射ハンドル４５は、遊技領域２３ａに遊技球を発射すべく操作される発射操作装置であり、図２に示すように、操作ベース４６に対して、環状の操作ハンドル４７が回転可能に軸支されてなり、遊技球の発射操作に際して操作ハンドル４７が遊技者により回転操作されるものである。この場合、操作ハンドル４７の回転操作量は、操作ベース４６に内蔵された操作量検出手段としての可変抵抗器により検出される。また、遊技球発射ハンドル４５には、操作ハンドル４７を遊技者が触れていることを検知するためのタッチセンサが操作ベース４６に内蔵されるとともに、操作ハンドル４７を回転操作した状態において遊技球の発射を停止させるために操作される発射止めスイッチ４８が設けられている。
【００２４】
前扉枠１４の背面側には、図３に示すように、通路形成ユニット５０が取り付けられている。通路形成ユニット５０は、合成樹脂により成形されており、上皿２８ａに通じる前扉側上皿通路部５１と、下皿２９ａに通じる前扉側下皿通路部５２と、ファール球通路部５５を有している。通路形成ユニット５０の上側隅部には後方に突出し上方に開放された払出球受口部５３が形成されており、当該受口部５３が仕切壁５４によって左右に仕切られることで前扉側上皿通路部５１の通路入口と前扉側下皿通路部５２の通路入口とがそれぞれ形成されている。
【００２５】
ファール球通路部５５は、遊技球発射機構１１０から発射された遊技球のうち遊技領域２３ａまで至らなかった遊技球をファール球として下皿２９ａに排出する通路を形成する部位である。ファール球通路部５５には、図３に示すように、上方に開放されたファール球受口部５６が設けられる。このファール球受口部５６よりファール球が受け入れられ、前扉側下皿通路部５２にファール球が案内されることにより、ファール球通路部５５に入った遊技球は下皿２９ａに排出される。
【００２６】
遊技球発射機構１１０は、図３に示すように、前扉枠１４を開放した場合に前面側に露出される部品であり、中間ユニット１３の前面側右下部分に設けられている。この遊技球発射機構１１０は、図５に示すように、発射駆動部として設けられた電磁式のソレノイド１１１と、発射レール１１２と、球送り装置１１３とを備えている。球送り装置１１３は、上皿２８ａに貯留された遊技球を発射レール１１２上に１個ずつ供給する。この場合、この供給される遊技球はソレノイド１１１において打出し部として設けられたプランジャ１１４の突出経路上に配置される。そして、ソレノイド１１１への電気的な信号の入力により、プランジャ１１４が発射レール１１２上の遊技球に向けて移動し、当該遊技球は遊技領域２３ａに向けて打出される。なお、遊技球発射機構１１０の電動アクチュエータは、ソレノイド１１１に限定されることはなく、発射モータなどを用いてもよい。
【００２７】
中間ユニット１３の左側であって発射レール１１２の左方には、図３に示すように、通路形成部材１２１が配設されている。枠ユニット２１には、通路形成部材１２１が設けられる部位を前後方向に貫通する貫通孔が設けられ、この貫通孔を前面側から覆うようにして通路形成部材１２１は、枠ユニット２１にネジ止めされている。
【００２８】
通路形成部材１２１は、図５に示すように、本体側上皿通路部１２２と本体側下皿通路
部１２３とを有している。前扉枠１４が閉鎖状態とされた場合には、通路形成部材１２１の下側部分に前扉枠１４に設けられる通路形成ユニット５０の払出球受口部５３（図３参照）が入り込む。そして、本体側上皿通路部１２２の下方には前扉側上皿通路部５１が配置され、本体側下皿通路部１２３の下方には前扉側下皿通路部５２が配置される。
【００２９】
通路形成部材１２１の下側部分には、図５に示すように、本体側上皿通路部１２２及び本体側下皿通路部１２３からの遊技球の流出を規制するシャッタ１２４が設けられている。シャッタ１２４は、両通路の出口部分を狭め遊技球の流出を阻止する阻止位置と、遊技球の流出を許容する許容位置との両位置に切り替え可能に設けられる。また、枠ユニット２１には、シャッタ１２４を阻止位置に向けて付勢する付勢部材が取り付けられ、前扉枠１４を中間ユニット１３に対して開いた状態では付勢部材の付勢力によってシャッタ１２４が阻止位置に留まる構成となっている。これにより、本体側上皿通路部１２２又は本体側下皿通路部１２３に遊技球が貯留されている状態で前扉枠１４を開放した場合に、その貯留球がこぼれ落ちてしまうといった不都合が回避されている。これに対し、前扉枠１４を閉じた状態では、前扉枠１４の通路形成ユニット５０に設けられた払出球受口部５３の外周部分により上記付勢力に抗してシャッタ１２４が許容位置に押し戻される。この状態では、本体側上皿通路部１２２及び前扉側上皿通路部５１が連通し、本体側下皿通路１２３及び前扉側下皿通路部５２が連通して、遊技球の流下が許容される。
【００３０】
次に、遊技領域２３ａを形成する遊技盤２３の構成を、図６に基づいて説明する。図６は遊技盤２３の正面図である。
【００３１】
遊技盤２３は、木製の合板で形成した板材と同板材の前側の板面を覆うシート材とを有する遊技板２３ｂを備えており、その全面が枠ユニット２１の前面側に露出している。この露出している部位、すなわち遊技盤２３の前面には、遊技球が流下する遊技領域２３ａが形成されている。上記したように遊技領域２３ａは透明ガラス３１，３２によって前面側が覆われているため、後側の透明ガラス３２によって遊技領域２３ａの前面側が区画される。また、遊技領域２３ａの背面側は遊技板の前面によって区画される。なお、遊技板を構成する板材は、合板に限らず一枚板で形成しても良いし、木製に限らず例えば透明な合成樹脂製の板材または成形品で形成しても良い。
【００３２】
遊技領域２３ａは、正面視において遊技盤２３の全域に渡る上下及び左右方向の寸法に設定され、右下部分のみが右下側に突出した略円形状に形成されている。遊技領域２３ａは、その外周が誘導レール１００および区画部材１０７により区画されている。誘導レール１００は、遊技盤２３の左側全域に及ぶ大きさの円弧状の内レール１０１と外レール１０２とからなり、これら内レール１０１と外レール１０２とにより遊技領域２３ａの左側に円弧状の誘導通路１０３を形成する。
【００３３】
誘導通路１０３の下側端部には、誘導通路１０３の入口部１０４が形成され、この入口部１０４と発射レール１１２とは離間して設けられる（図５参照）。誘導通路１０３の上側端部には、誘導通路１０３の出口部１０５が形成され、その出口部１０５の右上側には遊技領域２３ａに到達した遊技球の誘導通路１０３内への戻りを防止する戻り防止部材１０６が取り付けられている。
【００３４】
遊技球発射ハンドル４５（図１参照）が遊技者により手動操作された場合、中間ユニット１３の右下部分に設けられた遊技球発射機構１１０（図５参照）から発射された遊技球は、誘導通路１０３を経由し、戻り防止部材１０６により閉鎖された遊技領域２３ａの入口を押し広げて遊技領域２３ａ内に進入する。遊技球の発射力が弱すぎる場合には、遊技球が遊技領域２３ａまで至らず誘導通路１０３内で落下し始め、誘導通路１０３の入口部１０４と発射レール１１２との間に落下する。前扉枠１４の閉鎖状態においては、この入
口部１０４と発射レール１１２との間にファール球受口部５６が配置され、遊技領域２３ａまで至らなかった遊技球はファール球通路部５５を経由して下皿２９ａへ排出される。
【００３５】
区画部材１０７は、遊技領域２３ａの右側を区画するものであり、合成樹脂を成形して縦長に形成され、遊技板２３ｂの前面にネジ止めされている。この区画部材１０７は、外レール１０２の上側における右側端部を起点とし、内レール１０１の下側における右側端部より下側まで延在している。
【００３６】
なお、区画部材１０７の上端部には、機種名が印字された証紙１０７ａが貼り付けられ、区画部材１０７の下端部には、メーカー名や製造番号などが印字された証紙１０７ｂを貼り付けた台座部品が固定されている。これら証紙１０７ａ，１０７ｂは、透明ガラス３１，３２を介してパチンコ機１０前方から視認可能な位置に配置される。
【００３７】
遊技板２３ｂには、ルータ加工が施されることによって前後方向に貫通する大小複数の開口部が形成されている。各開口部には一般入賞口８１、可変入賞装置８２、上作動口８３ａ、下作動口８３ｂ、スルーゲート８４、可変表示ユニット８５、主表示装置９６等が設けられている。
【００３８】
一般入賞口８１、可変入賞装置８２、上作動口８３ａ及び下作動口８３ｂへの入球が発生すると、それが遊技盤２３の背面側に配設された検知センサ（図示略）により検知され、その検知結果に基づいて所定数の賞球の払い出しが実行される。この場合、上作動口８３ａへの入球が発生した場合及び下作動口８３ｂへの入球が発生した場合には３個の賞球の払い出しが実行され、一般入賞口８１への入球が発生した場合には１０個の賞球の払い出しが実行され、可変入賞装置８２への入球が発生した場合には１５個の賞球の払い出しが実行される。但し、これら賞球の個数は任意であり、例えば上作動口８３ａに係る賞球個数よりも下作動口８３ｂに係る賞球個数が多いといったように、両作動口８３ａ，８３ｂの賞球個数が相違していてもよい。また、可変入賞装置８２に係る賞球個数が他の賞球個数に比べて多い構成に限定されることはなく、例えば一般入賞口８１に係る賞球個数と同一の構成としても、少ない構成としてもよい。
【００３９】
遊技盤２３の最下部には、アウト口８６が設けられ、各種入賞口等に入らなかった遊技球はアウト口８６を通って遊技領域２３ａから排出される。また、遊技盤２３には、遊技球の落下方向を適宜分散、調整等するために多数の釘８７が植設され、風車等の各種部材（役物）が配設されている。
【００４０】
ここで、入球とは、所定の開口部を遊技球が通過することを意味し、開口部を通過した後に遊技領域２３ａから排出される態様だけでなく、開口部を通過した後に遊技領域２３ａから排出されない態様も含まれる。但し、以下の説明では、アウト口８６への遊技球の入球と明確に区別するために、一般入賞口８１、可変入賞装置８２、上作動口８３ａ、下作動口８３ｂ又はスルーゲート８４への遊技球の入球を、入賞とも表現する。
【００４１】
上作動口８３ａ及び下作動口８３ｂは、作動口装置としてユニット化されて遊技盤２３に設置されている。上作動口８３ａ及び下作動口８３ｂは共に上向きに開放されている。また、上作動口８３ａが上方となるようにして両作動口８３ａ，８３ｂは鉛直方向に並んでいる。下作動口８３ｂには、左右一対の可動片よりなるガイド片（サポート片）としての電動役物８３ｃが設けられている。
【００４２】
電動役物８３ｃは遊技盤２３の背面側に搭載された電動役物駆動部に連結されており、当該電動役物駆動部により駆動されて閉鎖状態（非サポート状態又は非ガイド状態）及び開放状態（サポート状態又はガイド状態）のいずれかに配置される。電動役物８３ｃの閉
鎖状態では遊技球が下作動口８３ｂに入賞できず、電動役物８３ｃが開放状態となることで下作動口８３ｂへの入賞が可能となる。
【００４３】
可変入賞装置８２は、通常は遊技球が入賞できない又は入賞し難い閉状態になっており、大当たり当選といった開閉実行モード（特別遊技状態）への移行当選となった際に、遊技球が入賞しやすい所定の開放状態に切り換えられるようになっている。可変入賞装置８２の開放態様として具体的には、所定時間（例えば３０秒間）の経過又は所定個数（例えば１０個）の入賞を１ラウンドとして、複数ラウンド（例えば１５ラウンド）を上限として可変入賞装置８２が繰り返し開放される。
【００４４】
可変表示ユニット８５には、絵柄の一種である図柄を変動表示（又は、可変表示若しくは切換表示）する図柄表示装置９４が設けられているとともに、正面視で図柄表示装置９４を囲むようにしてセンターフレーム９５が配設されている。図柄表示装置９４は、液晶ディスプレイを備えた液晶表示装置として構成されており、後述する表示制御装置１４２により表示内容が制御される。なお、図柄表示装置９４は、液晶表示装置に限定されることはなく、プラズマディスプレイ装置、有機ＥＬ表示装置又はＣＲＴといった表示画面を有する他の表示装置であってもよく、ドットマトリクス表示器であってもよい。
【００４５】
図柄表示装置９４では、上作動口８３ａ又は下作動口８３ｂへの入賞に基づいて図柄の変動表示が開始される。図柄表示装置９４における変動表示は、正面視で視認可能な表示領域９４ａにおいて行われ、例えば上、中及び下に並べて図柄が表示され、これらの図柄が左右方向にスクロールされるようにして変動表示されるようになっている。そして、予め設定されている有効ライン上に所定の組み合わせの図柄が停止表示された場合には、開閉実行モードが発生することとなる。この図柄表示装置９４における変動表示は、主表示装置９６のメイン表示部において行われる変動表示に合わせて行われる。
【００４６】
図柄表示装置９４に対して右上側に離間した位置には、遊技の状態を表示する主表示装置９６が設けられる。主表示装置９６は、複数の発光部が並んで配列されてなる表示器によって構成され、区画部材１０７の上端部に設けられ、その前面側には、例えば、左上側からメイン表示部、役物用表示部、状態表示部、補助表示部等が順に設けられる。
【００４７】
メイン表示部では、上作動口８３ａ又は下作動口８３ｂへの入賞をトリガとして絵柄の変動表示が行われ、その変動表示の停止結果として、上作動口８３ａ又は下作動口８３ｂへの入賞に基づいて行われた内部抽選の結果が表示によって明示される。つまり、本パチンコ機１０では、上作動口８３ａへの入賞と下作動口８３ｂへの入賞とが内部抽選において区別されておらず、上作動口８３ａ又は下作動口８３ｂへの入賞に基づいて行われた内部抽選の結果が共通の表示領域であるメイン表示部にて明示される。そして、上作動口８３ａ又は下作動口８３ｂへの入賞に基づく内部抽選の結果が開閉実行モードへの移行に対応した当選結果であった場合には、主表示装置９６のメイン表示部にて所定の停止結果が表示されて変動表示が停止された後に、開閉実行モードへ移行する。
【００４８】
ここで、いずれかの作動口８３ａ，８３ｂへの入賞に基づいて、メイン表示部及び図柄表示装置９４にて変動表示が開始され、所定の停止結果を表示し上記変動表示が停止されるまでが遊技回の１回に相当する。
【００４９】
役物用表示部では、スルーゲート８４への入賞をトリガとして絵柄の変動表示が行われ、その変動表示の停止結果として、スルーゲート８４への入賞に基づいて行われた内部抽選の結果が表示によって明示される。スルーゲート８４への入賞に基づく内部抽選の結果が電役開放状態への移行に対応した当選結果であった場合には、役物用表示部にて所定の停止結果が表示されて変動表示が停止された後に、電役開放状態へ移行する。電役開放状
態では、下作動口８３ｂに設けられた電動役物８３ｃが所定の態様で開放状態となる。
【００５０】
補助表示部は、メイン表示部と同一の態様とされた発光部が設けられ、本実施形態におけるパチンコ機１０においては、消灯されたままとされている。この補助表示部は、本実施形態におけるパチンコ機１０とは別の他機種において上作動口８３ａへの入賞に対する内部抽選と下作動口８３ｂへの入賞に対する内部抽選とが区別される場合に点灯するものであり、メイン表示部を複数必要とする機種において使用される。
【００５１】
状態表示部は、メイン表示部にて所定の停止結果が表示されることで遊技状態が開閉実行モードへ移行し、その所定の停止結果の表示後における遊技回が所定回数に到達する等して遊技状態が開閉実行モード前の通常状態に移行する場合に、その遊技状態の変化が表示によって明示される。また、状態表示部では、開閉実行モードの移行当選となった場合に可変表示装置８２の開放態様として複数種類のラウンド数が設定されている機種において移行当選となったラウンド数が表示によって明示される。
【００５２】
なお、メイン表示部、役物用表示部、補助表示部および状態表示部は、複数の発光部が所定の態様で配列されてなる表示器により構成されているが、これに限定されることはなく、いずれか一方または両方の表示部を液晶表示装置、有機ＥＬ表示装置、ＣＲＴ、セグメント表示器又はドットマトリックス表示器等その他のタイプの表示装置によって構成してもよい。また、メイン表示部および役物用表示部にて変動表示される態様として、絵柄としての複数種の文字が変動表示される構成、複数種の記号が変動表示される構成、複数種のキャラクタが変動表示される構成又は複数種の色が切り換え表示される構成としても良い。
【００５３】
図柄表示装置９４の表示領域９４ａの下側には、主表示装置９６のメイン表示部及び図柄表示装置９４に対応した第１保留ランプ部９８が設けられている。遊技球が上作動口８３ａ又は下作動口８３ｂに入賞した個数は最大４個まで保留され、第１保留ランプ部９８の点灯によってその保留個数が表示される。
【００５４】
図柄表示装置９４の表示領域９４ａの右上側には、主表示装置９６の役物用表示部に対応した第２保留ランプ部９９が設けられている。遊技球がスルーゲート８４を通過した回数は最大４回まで保留され、第２保留ランプ部９９の点灯によってその保留個数が表示される。
【００５５】
次に、遊技機本体１２の背面側の構成について、図４に加え、図７から図９を参照しながら説明する。図７は中間ユニット１３の背面図、図８は裏パックユニット１５の背面図、図９はパチンコ機１０の背面図である。
【００５６】
中間ユニット１３には、図７に示すように、枠ユニット２１によって開口形成される前後に貫通した遊技盤収容部２１ａが設けられ、この遊技盤収容部２１ａを通じて中間ユニット１３の背面側には遊技盤２３の背面側に搭載される各種部品が露出されている。
【００５７】
中間ユニット１３の背面側には、図４に示すように、合成樹脂により形成された箱状の盤裏カバー１４１が設けられている。盤裏カバー１４１は、遊技盤２３の背面のほぼ全域にわたって設けられ、遊技盤２３の背面側に設けられる各種部品を遊技球や搬送時において保護すると共に、遊技球の入賞を検知する検知センサ等を狙った不正を防止する機能を有している。
【００５８】
中間ユニット１３の背面側中央部には、図４に示すように、表示制御装置１４２と音声発光制御装置１４３とが前後に並んで設けられ、その下側には、遊技の主たる制御を司る
主制御装置１６０が設けられている。表示制御装置１４２は、図柄表示装置９４の表示制御を司るものであり、音声発光制御装置１４３は、主制御装置１６０からの指示に従って音声やＬＥＤ、ランプ等の表示制御及び表示制御装置１４２の制御を司るものである。
【００５９】
主制御装置１６０は、図７に示すように、遊技の主たる制御を司る機能（主制御回路）と、電源を監視する機能（停電監視回路）とを有する主制御基板と、基板を収容するために設けられた透明性を有する樹脂製の基板ボックス１６３を備えている。また、主制御装置１６０には、基板ボックス１６３の開放に際して痕跡を残す痕跡手段としての開放封印部１６４が設けられている。当該開放封印部１６４は解除操作を一度行うと再結合を不可とするものであり、結果的に主制御装置１６０の基板ボックスは一度開放操作を行うと、再度封印状態とすることが不可となっている。
【００６０】
主制御装置１６０の背面視右側端部には、図７に示すように、取付封印部１６５が設けられている。取付封印部１６５は、遊技盤２３側に設けられる支持部材と主制御装置１６０とを固定し、主制御装置１６０の取り外しに際して痕跡を残す痕跡手段として機能する。取付封印部１６５は、最初に主制御装置１６０を取り付けるための固定部品以外に、予備用の固定部品が３組設けられ、主制御装置１６０の点検作業における一時的な取り外しや主制御装置１６０の交換が可能とされている。
【００６１】
主制御装置１６０の背面視左部には、ＲＡＭ消去スイッチ１６６が設けられている。本パチンコ機１０は、各種データの記憶保持機能を有しており、万一停電が発生した際でも停電時の状態を保持し、停電からの復帰の際には停電時の状態に復帰できるようになっている。例えば遊技ホールの営業終了の場合のように通常手順で電源を遮断すると遮断前の状態が記憶保持され、ＲＡＭ消去スイッチ１６６を押しながら電源を投入すると、ＲＡＭデータが初期化されるようになっている。
【００６２】
枠ユニット２１の背面における回動基端側（図７の右側）には、上下に離間して支持金具１３２が設けられ、各支持金具１３２の上端部に形成される軸受け部１３３によって中間ユニット１３に対して裏パックユニット１５が回動可能に取り付けられる。また、枠ユニット２１の背面には、裏パックユニット１５を中間ユニット１３に固定するための固定レバー１３４が回動先端側（図７の左側）に複数設けられている。
【００６３】
次に、裏パックユニット１５について説明する。裏パックユニット１５は、図８に示すように、透明性を有する合成樹脂により形成された裏パック２０１と、払出ユニット２０２と、外部端子板２０３とを備えている。
【００６４】
裏パック２０１は、図８に示すように、裏パック２０１の周縁部を構成する裏ベース部２１１と、裏ベース部２１１から後方へ張り出すようにして形成された保護カバー部２１２とを有している。保護カバー部２１２は、左右側面と上面の全部が閉鎖され、背面下部から下面につながる一部分が開放された形状をなし、保護カバー部２１２の下側部分に前後方向に貫通した開口部２１２ａが形成されている。
【００６５】
外部端子板２０３は、図８に示すように、後方から見た裏パックユニット１５の右上側端部に設けられている。外部端子板２０３は、パチンコ機１０の状態を遊技ホールの管理コンピュータに認識させるために、所定の信号出力を行うための基板である。外部端子板２０３には、出力端子として、開閉実行モード中に信号出力するための出力端子、下作動口８３ｂの電動役物８３ｃが高頻度で開放状態となる電役開放状態中に信号出力するための出力端子、払出ユニット２０２において遊技球が不足した場合に信号出力するための出力端子、所定個数の賞球を払い出す毎に信号出力するための出力端子、所定個数の遊技球を貸し出す毎に信号出力するための出力端子、外枠１１に対する中間ユニット１３の開放
時に信号出力するための出力端子、中間ユニット１３に対する前扉枠１４の開放時に信号出力するための出力端子などが設けられている。
【００６６】
裏パックユニット１５における背面視右側端部には、図８に示すように、上下一対の掛止ピン２０４が取り付けられている。この掛止ピン２０４を中間ユニット１３側の軸受け部１３３に挿通させることで、裏パックユニット１５が掛止ピン２０４を中心にして中間ユニット１３に対して回動可能に支持される。裏ベース部２１１における掛止ピン２０４が配置されていない反対側の端部には、中間ユニット１３に設けられた固定レバー１３４が挿通される挿通部２１１ａが上下に形成されている。固定レバー１３４が挿通部２１１ａに挿通されて９０度回転させた状態にすることで、固定レバー１３４の一部がベース部２１１に後方から当接し、中間ユニット１３に裏パックユニット１５が固定される。
【００６７】
裏パックユニット１５は、上記したとおり、中間ユニット１３の背面に対して回動可能に軸支されている。裏パックユニット１５を中間ユニット１３に対して背面側から重ね合わせた状態では、図９に示すように、主制御装置１６０の大半は開口部２１２ａを介して背面側に露出し、主制御装置１６０の上端部及び開放封印部１６４の一部は保護カバー部２１２により覆われている。主制御装置１６０の上端部には他の制御装置と電気的に接続するためのコネクタおよび配線が設けられ、この配線に関する部位や開放封印部１６４の一部が保護カバー部２１２に覆われることで、主制御装置１６０の視認性を高めつつ、不正行為の抑制および遊技球の衝突による破損防止等を実現している。主制御装置の上側に配置される音声発光制御装置１４３等は、保護カバー部２１２により全体が覆われている。
【００６８】
裏パックユニット１５は、図８に示すように、保護カバー部２１２を迂回するようにして裏ベース部２１１に取り付けられている払出ユニット２０２を備えている。払出ユニット２０２は、裏パック２０１の最上部に設けられて遊技球を貯留可能に上方に開口したタンク２２１と、タンク内２２１の遊技球を下流側に向けて案内可能に緩やかに傾斜するタンクレール２２２と、タンクレール２２２の下流側にて上下方向に遊技球を案内するケースレール２２３と、ケースレール２２３の最下流部に設けられる払出装置２２４とを有し、これらが連結することでタンク２２１に補給された遊技球を必要数分だけ払出装置２２４の下流側に払い出し可能とされている。払出装置２２４によって払い出された遊技球は、払出装置２２４の下流側に設けられた裏側通路部２２５に供給される（図４参照）。
【００６９】
裏側通路部２２５には、払出装置２２４より払い出された遊技球を上皿２８ａ、下皿２９ａ又は排出通路の何れかに振り分けるための３つの通路が形成されている。これら通路のうち、裏パック２０１の中央側に位置する通路が上記した本体側上皿通路部１２２及び前扉側上皿通路部５１を介して上皿２８ａに通じ、その外側の通路が本体側下皿通路部１２３及び前扉側下皿通路部５２を介して下皿２９ａに通じ、更に外側の通路が排出通路とされている。払出装置２２４によって払い出された遊技球は、上皿２８ａの通路に優先して案内され、その通路が遊技球で満たされると、その通路から分岐した下皿２９ａに通じる通路に遊技球が案内される。排出通路は、ケースレール２２３に対して排出操作を行うことにより、タンク２２１からケースレール２２３の途中までの間に貯留された遊技球が払出装置２２４を経由せずに裏パックユニット１５の下端に設けられる排出口から排出される。
【００７０】
裏ベース部２１１の背面側下端部には、図８に示すように、各種制御装置等で要する所定の電力を生成して出力する電源装置２４１と、払出制御装置２４２とが前後に重ねて取り付けられている。電源装置２４１は、裏ベース部２１１の横幅全域にわたって設けられている。裏ベース部２１１の背面視右下側端部には、電源スイッチ２４７が設けられている。パチンコ機１０へは電圧変換器を介して例えば交流２４ボルトの主電源が供給され、
電源スイッチ２４７の切換操作によりパチンコ機１０の電源がＯＮ又はＯＦＦとされる。
【００７１】
払出制御装置２４２は、払出ユニット２０２を通じた遊技球の払い出しを制御するための装置である。払出制御装置２４２は、基板を収容するために設けられた透明性を有する基板ボックス２４３に払出制御基板を収容して構成されており、その開放に際しては痕跡を残す痕跡手段として開放封印部２４４が設けられている。開放封印部２４４は解除操作を一度行うと再結合を不可とするものであり、結果的に払出制御装置２４２の基板ボックスは一度開放操作を行うと、再度封印状態とすることが不可となっている。
【００７２】
裏ベース部２１１の前面側すなわち中間ユニット１３側の下部には、図４に示すように、上方に開口した横長の球入口２１３と、側方に開口した球入口２１４とを上流側端部とする発射球排出通路が設けられている。遊技領域２３ａを流下しいずれかの開口を介して遊技盤２３の背面へと導かれた遊技球は、２つの球入口２１３，２１４のいずれかを経由して発射球排出通路内へ進入する。発射球排出通路の出口部分は裏パックユニット１５の下端面に遊技球１個分の幅で開口して形成され、遊技領域２３ａ内に発射された遊技球は全て発射球排出通路を経由して遊技ホールの島設備に排出される。発射球排出通路の途中には、遊技球を検知する検知センサが設けられ、遊技領域２３ａ内に発射された遊技球数に対応した信号が外部端子板２０３を介して出力される。
【００７３】
次に、外枠１１の構成詳細について、図１０を主に参照して説明する。図１０（ａ）は前方から見た外枠１１の斜視図であり、図１０（ｂ）は、後方から見た外枠１１の斜視図である。
【００７４】
外枠１１は、上記したように、遊技機本体１２を開閉可能に支持する枠状の部材であり、木製の板材により上辺および下辺を形成する上板部３０１および下板部３０２と、アルミ製の押出材により左右の辺を形成する左側板部３０３および右側板部３０４と、鋼板にて形成されて各板部３０１〜３０４を四隅で連結する連結金具とを備えている。
【００７５】
連結金具は、枠状に配置した各板部のうち隣接する板部の外面側および内面側にて対面する略Ｌ字型の断面形状に形成されている。これら連結金具の外面側から内面側に締め込まれるネジにより外面側と内面側の連結金具が各板部３０１〜３０４を挟み込むことで、隣接する板部同士が略直角に延在するように固定される。
【００７６】
外枠１１の下端部には、下板部３０２の前面側を覆う合成樹脂製の幕板部３０６が設けられ、幕板部３０６の上部には、フッ素樹脂などにより形成された滑り部材３０７が左右方向に点在して複数設けられている。遊技機本体１２の開閉操作時には、遊技機本体１２の下面が滑り部材３０７の上面を滑ることとなり、遊技機本体１２の開閉操作の容易化が図られている。幕板部３０６の上側部分であって後側端部には、遊技球の直径より高く形成されて遊技球が入り込み可能な横長の溝部３０８が前方に開口して形成され、遊技機本体１２を閉鎖した場合における遊技球の噛み込みが防止されると共に、不正部品の侵入が防止されている。
【００７７】
外枠１１は、既に説明したように、正面視左側を回動基端側とし右側を回動先端側として遊技機本体１２を前方へ開閉可能に支持するものであり、外枠１１の前面における回動基端側（図１０（ａ）の左側）には、上下に離間して本体支持部３１１，３１２が枠状部分の前側に突出するようにして設けられている。
【００７８】
上側の本体支持部３１１は、左側板部３０３と上板部３０１を外側にて固定する連結金具と一体に形成され、外枠１１の上面に対して一段下がった高さ位置で前側に延出した板状に形成されている。上側の本体支持部３１１の前端部には、外枠１１の中央側から一定
幅で横方向から次第に前方向に向かう円弧状に切り欠いた溝状の軸受溝部３１１ａが形成されている。この軸受溝部３１１ａの下側には、図示しないバネの弾性力に抗して横方向からの力によって移動可能な固定具（図示せず）が設けられ、この固定具は、軸受溝部３１１ａの切り込み入口と最奥部との間に相当する途中部分に一部分が配置される形状に形成されている。
【００７９】
遊技機本体１２の枠ユニット２１に設けられる本体側軸部３７４ａ（図１１参照）を外枠１１の中央側から軸受溝部３１１ａの中へ押し込むと、固定具の一部が軸受溝部３１１ａの下側から退避し、本体側軸部３７４ａは軸受溝部３１１ａの奥側へと移動可能となる。本体側軸部３７４ａが軸受溝部３１１ａの最奥部分まで進入すると固定具の一部が元の位置に戻り、本体側軸部３７４ａの軸受溝部３１１ａ出口側への移動が阻止され、外枠１１に対して遊技機本体１２の上部が回動可能に係合した状態となる。
【００８０】
下側の本体支持部３１２は、連結金具とは別に設けられた本体支持金具により形成されている。本体支持部３１２は、鋼板により略Ｌ字型の断面形状に形成され、左側板部３０３の内面と幕板部３０６の上面に対面した状態で両板部３０３，３０６にネジにより固定されている。下側の本体支持部３１２は、幕板部３０６の上面に対面する部位を前側に延出した板状に形成され、その前端部には、上方に突出する本体支持軸３１２ａが取り付けられている。この本体支持軸３１２ａに対し、遊技機本体１２（枠ユニット２１）の下側取付金具３７５に設けられる下方に開口した軸受孔が上側から嵌め合わされ、下側の本体支持部３１２の上面に下側取付金具３７５が載置されることにより、外枠１１に対して遊技機本体１２の下側が回動可能に支持される。
【００８１】
外枠１１の右側板部３０４における内面側には、図１０（ｂ）に示すように、鋼板にて形成された受け板部３２１，３２２が上下に離間して設けられている。上下の受け板部３２１，３２２は、右側板部３０４の外面側から貫通するネジにより締結固定されている。受け板部３２１，３２２に対して、施錠機構１６を構成する本体側鉤金具５５１が係合することにより、遊技機本体１２が外枠１１に対して施錠された状態となる。この受け板部３２１，３２２の構成については、後に詳細に説明する。
【００８２】
外枠１１に対して遊技機本体１２を取り付ける操作は、まず、遊技機本体１２を、左側より右側が手前側で且つ少し下げた状態にして持ち上げ、遊技機本体１２の回動基端側となる左側を外枠１１に対して定位置より少し高い位置から近づける。そして、外枠１１の下側の本体支持部３１２の上に下側取付金具３７５を載せ、下側取付金具３７５の軸受孔を外枠１１側に設けられる本体支持軸３１２ａに位置合わせする。軸受孔と本体支持軸３１２ａの位置が合うと遊技機本体１２が基準位置（パチンコ機１０の設置状態における位置）の高さまで下がり、遊技機本体１２の重みを外枠１１の下側の本体支持部３１２が受けた状態となり、作業者は遊技機本体１２を倒れないように横から支えるだけで良い状態となる。
【００８３】
その後、遊技機本体１２の左上部に設けられる本体側軸部３７４ａ（図１１参照）を外枠１１の中央側から軸受溝部３１１ａの中へ押し込んでいくと、軸受溝部３１１ａの下に位置していた固定具の一部が本体側軸部３７４ａに押されて軸受溝部３１１ａの下側から退避し、更に奥側へ本体側軸部３７４ａを押し込み可能な状態となる。更に押し込み操作を行って本体側軸部３７４ａが軸受溝部３１１ａの最奥部分まで到達すると、固定具の一部が元の位置に戻って本体側軸部３７４ａが外枠１１側の軸受溝部３１１ａから抜け出さない状態となる。この基準位置まで押し込み操作をすることで外枠１１に対して遊技機本体１２が前方に回動可能に支持された状態となり、遊技機本体１２を外枠１１に取り付けることができる。
【００８４】
外枠１１から遊技機本体１２を取り外す場合には、外枠１１に対して遊技機本体１２を開放してから上方に持ち上げるように操作する。外枠１１の左上部に設けられる軸受溝部３１１ａから遊技機本体１２の左上部に設けられる本体側軸部３７４ａが次第に抜け、また、外枠１１の左下部に設けられる本体支持軸３１２ａから遊技機本体１２の左下部に設けられる軸受孔が次第に抜け出していく。更に遊技機本体１２を上方に持ち上げると、遊技機本体１２の本体側軸部３７４ａおよび軸受孔が外枠１１側の軸受溝部３１１ａおよび本体支持軸３１２ａから抜け出して外枠１１に対して遊技機本体１２が水平方向に移動可能となる。この水平移動可能な位置に相当する高さまで持ち上げ操作をすることにより、外枠１１と遊技機本体１２との係合状態が解除され、遊技機本体１２を外枠１１から分離して取り外すことができる。
【００８５】
次に、中間ユニット１３の構成について、図１１を主に参照して説明する。図１１は前方から見た中間ユニット１３の斜視図である。
【００８６】
中間ユニット１３は、上記したように、外形が外枠１１とほぼ同一形状をなす枠状の枠ユニット２１に各種部品を取り付けることにより構成されている。枠ユニット２１の略中央部分には、遊技盤２３を収容する遊技盤収容部２１ａが略矩形状に貫通して開口形成されている。遊技盤収容部２１ａは、遊技盤２３の外形とほぼ同一の外形形状に形成され、遊技盤収容部２１ａに遊技盤２３が取り付けられると、遊技盤２３の背面側の大部分が中間ユニット１３の背面側に露出する。このため、遊技盤２３の背面側に設けられる制御装置等の各種構成は、中間ユニット１３の背面側より視認可能とされ、メンテナンス等の作業も可能とされている。
【００８７】
枠ユニット２１は、遊技盤収容部２１ａの上側および下側に位置し、合成樹脂により形成された横長の枠上部３５１および枠下部３５２と、遊技盤収容部２１ａの左右側に設けられる金属材料により形成された縦長の枠左部３５３および枠右部３５４を有している。枠右部３５４の一部および枠左部３５３は、アルミ材の押出成形により一定の横断面形状に形成され、この横断面形状は、左右方向が薄く前後方向に長く延びる板状に形成されている。
【００８８】
遊技盤収容部２１ａにおける枠左部３５３側の上端および下端部には、遊技盤２３の背面を前側に付勢しつつ支持する付勢支持部３５５と、その付勢支持部３５５の前側に重なると共に遊技盤２３の前面側を支える合成樹脂製の盤前支持具３５６とが上下に各一対に設けられる。遊技盤２３の左側端部は、盤前支持具３５６により前面位置が定められることとなり、遊技盤２３の前面側に形成される遊技領域２３ａの前後幅が遊技板２３ｂの厚さに依存しないものとしている。
【００８９】
枠左部３５３の後端部には、中央側に延出する板状の中央側延出部３５７が設けられ、この中央側延出部３５７の前面が付勢支持部３５５の背面の一部に当接する位置まで延在している。これにより、付勢支持部３５５に設けられるバネの付勢力を高く設定しても、付勢支持部３５５自体が後方に移動することが抑制されるので、遊技盤２３の前面側への付勢力を十分に確保することができている。
【００９０】
枠上部３５１の下面側であって右側端部には、遊技盤２３を取付固定するための固定ユニット３５８が取り付けられている。固定ユニット３５８には、中間ユニット１３の左右方向に延びる軸を中心として回動可能で下方に延在して設けられる固定レバー３５９が設けられている。固定レバー３５９は、遊技盤２３の前面側に一部が重なる固定状態と、固定状態に対して前方側に揺動することで遊技盤２３の前面側に重ならない受入可能状態との間を揺動するものであり、固定レバー３５９が揺動可能な範囲のほぼ中間位置を境にして固定状態側または受入可能状態側にバネの弾性力によって付勢されている。また固定ユ
ニット３５８には、遊技盤２３の背面側に当接する部位が遊技盤２３を前側に付勢する機能を有し、遊技盤２３の左側端部と同様に、遊技盤２３の前面位置が固定ユニット３５８によって定められ、遊技盤２３の前面側に形成される遊技領域２３ａの前後幅が遊技板２３ｂの厚さに依存しないものとしている。
【００９１】
枠下部３５２の上面側であって右側端部にも、上記した枠上部３５１の固定ユニット３５８と同一の構成をした固定ユニット３５８が上下反転した向きで設けられ、これら固定ユニット３５８，３５８によって遊技盤２３の右側端部が固定される。
【００９２】
枠下部３５２の上面には、前側部分が前方に下降傾斜し、後側部分が水平に設定された盤支持部３７１が左右方向に断続して多数設けられている。この盤支持部３７１は、遊技盤２３を固定する際に遊技盤２３の下端面を滑らせつつ後方の基準位置へ移動可能とするものであり、遊技盤３０の取付作業を容易にすると共に、枠下部３５２の左右方向の全域にわたって均等に遊技盤３２の重みがかかるように設けられている。
【００９３】
枠下部３５２の右側部分の背面側には、遊技盤２３側の電気部品と、前扉枠１４、中間ユニット１３および裏パックユニット１５の電気部品を電気的に接続するためのコネクタが搭載されたコネクタユニット３７２がネジにより固定されている。また、コネクタユニット３７２の前側部分には、上方に開口した横長の遊技球通路部３７３が設けられ、その遊技球通路部３７３の出口部分は、裏パックユニット１５に設けられる発射球排出通路の入口２１４（図４参照）に接続される。遊技盤２３の正面視右側部分で遊技盤２３の背面側に排出された遊技球は、遊技球通路部３７３内に進入した後に発射球排出通路を経由して遊技ホールの島設備に排出される。
【００９４】
遊技盤２３を固定する作業は、固定レバー３５９を受入可能状態にしてから、遊技盤２３の左側を付勢支持部３５５と盤前支持具３５６との間に差し込み、その後に、遊技盤２３の右側を前面側からバネの弾性力に抗して押し付ける。遊技盤２３の左側端部は、背面側から付勢支持部３５５の付勢力を受けて前面側に押し出され、盤前支持具３５６により前面位置が定められた基準位置に配置される。遊技盤２３の右側端部は、固定レバー３５９が揺動して固定状態となることで、遊技盤２３が枠ユニット２１に取り付けられる。
【００９５】
遊技盤２３の取り外し作業は、遊技盤２３が枠ユニット２１に取り付けられた状態で、上下の固定レバー３５９をバネの弾性力に抗して手前側に引き上げる。固定レバー３５９が遊技盤２３の前面側から次第に移動し、遊技盤２３の前面側に重ならない位置に達すると遊技盤２３の右側端部が枠ユニット２１から取り外し可能な状態となる。その後、遊技盤２３の左側を付勢支持部３５５と盤前支持具３５６との間から引き出すと、遊技盤２３が枠ユニット２１から取り外される。
【００９６】
枠上部３５１の左側端部には、鋼板により形成され、枠上部３５１の上面と一致する高さで前方に延出する板状の上側取付金具３７４が、枠上部３５１の背面側よりネジ止めして設けられている。上側取付金具３７４の前端部には、下方に突出する本体側軸部３７４ａが設けられ、この本体側軸部３７４ａが、外枠１１側の軸受溝部３１１ａに入り込むことで枠ユニット２１を含む遊技機本体１２が外枠１１に回動可能に支持される。本体側軸部３７４ａは、遊技機本体１２が開閉可能な基準位置に配置された状態で遊技機本体１２側の軸受溝部３１１ａの下面より下方に突出し、軸受溝部３１１ａの下側に配置される固定具が側方に位置することで軸受溝部３１１ａ出口側への移動が阻止される長さに設定される。
【００９７】
枠下部３５２の左側端部には、鋼板により形成され、枠下部３５２の下面と一致する高さで前方に延出する板状の下側取付金具３７５が、枠下部３５２の背面側よりネジ止めし
て設けられている。下側取付金具３７５の前端部には、金属により形成され、上側が小さく、下側が大きい直径の円柱が鉛直方向を軸として同軸で上方に突出するように形成された本体側前扉支持軸３７６が設けられている。この本体側前扉支持軸３７６の下側には、本体側前扉支持軸３７６と同軸で下方に開口する断面円形の軸受孔が設けられ、この軸受孔に外枠１１の本体支持部３１２が係合して遊技機本体１２が外枠１１に回動可能に支持される。
【００９８】
上側取付金具３７４の下側には、鋼板により上側取付金具３７４と同じく上下方向を厚み方向として前方に延出するように形成された前扉係合金具３７７が設けられている。前扉係合金具３７７の前端部には、遊技機本体１２の回動軸と同軸で円形の軸受孔が上下に貫通して設けられ、その軸受孔の前側には、軸受孔の直径より細幅で前扉係合金具３７７の前端につながる軸受孔の入口部分が設けられる。前扉枠１４は、前扉係合金具３７７の軸受孔に前扉取付金具５７の軸部分が係合して上側が支持され、本体側前扉支持軸３７６に前扉取付金具５８の下面が支持されることで、遊技機本体１２と同軸で前方に回動可能に支持される。
【００９９】
中間ユニット１３の前面右下部分には、前方に突出する板状の検知片を有する前扉開放検知センサ３７８が設けられる。前扉開放検知センサ３７８の検知片は、中間ユニット１３に対する前扉枠１４の閉鎖状態において前扉枠１４の背面によって後側へ押し込まれた状態とされることで当該閉鎖状態を検知可能とされている。この検知片の突出状態を監視することで中間ユニット１３に対する前扉枠１４の開放を監視可能とされている。
【０１００】
中間ユニット１３の背面視左下部分には、後方に突出する板状の検知片を有する本体開放検知センサ３７９が設けられる（図７参照）。本体開放検知センサ３７９の検知片は、外枠１１に対する中間ユニット１３の閉鎖状態において外枠１１の下側の受け板部３２２によって前側へ押し込まれた状態とされることで当該閉鎖状態を検知可能とされている。この検知片の突出状態を監視することで外枠１１に対する遊技機本体１２の開放を監視可能とされている。
【０１０１】
次に、枠ユニット２１に設けられる施錠機構１６について、図１２から図１４を参照して詳細に説明する。図１２は、中間ユニット１３の右側部分における分解斜視図であり、図１３（ａ）は、施錠機構１６の左側面図、図１３（ｂ）は、後方から見た施錠機構１６の斜視図、図１４は、後方から見た施錠機構１６の分解斜視図である。
【０１０２】
施錠機構１６は、図１２に示すように、中間ユニット１３の枠右部３５４に設けられる施錠動作ユニット５０１と、中間ユニットの枠下部３５２に設けられるキーシリンダ５０２とにより構成される。施錠動作ユニット５０１は、中間ユニット１３の右側部分を形成する枠右部３５４の一部を構成する。枠右部３５４は、枠上部３５１と枠下部３５２とに対してネジによりネジ止め固定される縦長の内側基体５１１と、施錠動作ユニット５０１とを有して構成されている。
【０１０３】
内側基体５１１は、アルミ材の押出成形により一定の横断面形状に形成され、図１２に示すように、左右方向が薄く前後方向に長く延びる板状に形成された内側基体主板部５１２と、内側基体主板部５１２の前端部より遊技盤収容部２１ａとは逆側となる内側基体５１１の外面側に延出する内側基体前板部５１３とを有している。内側基体主板部５１２の上部および下部には、左右方向に貫通してネジを挿通可能な取付穴が複数個所に設けられている。枠上部３５１および枠下部３５２と、内側基体５１１とが固定されることにより、枠ユニット２１の内面側に遊技盤２３を収容する遊技盤収容部２１ａが形成される。内側基体５１１を基準として遊技盤収容部２１ａとは逆側となる内側基体主板部５１２の外面側には、枠ユニット２１の外面側を向く縦長の平面によりユニット取付面５１２aが形
成されている。
【０１０４】
施錠動作ユニット５０１は、図１２に示すように、内側基体５１１における遊技盤収容部２１ａとは反対側の外面を形成するユニット取付面５１２aに対して枠ユニット２１の
外面側に重なる状態で取り付けられている。施錠動作ユニット５０１は、構成部品の主要部の厚み方向を左右方向とすることで左右方向が薄く前後方向に延在する横断面形状で縦長に形成されている。
【０１０５】
施錠動作ユニット５０１は、図１４に示すように、鋼板にて形成された縦長の外側基体５２１と、キーシリンダ５０２の動作に連動する連動杆５３１と、連動杆５３１に連動して前扉枠１４に係合する３つの前面側鉤金具５５２と、連動杆５３１に連動して外枠１１に係合する２つの本体側鉤金具５５１とを有している。
【０１０６】
外側基体５２１は、施錠動作ユニット５０１における縦方向の全長にわたって延在している。外側基体５２１は、板状をなし、内側基体５１１のユニット取付面５１２aに対し
て一定距離離間することでユニット取付面５１２aとの間に左右方向に一定幅の隙間を形
成する外側基体主板部５２２と、外側基体主板部５２２における前後の端部から内側基体５１１側に起立して先端部が内側基体５１１に接触する外側基体前板部５２３および外側基体後板部５２４と、外側基体主板部５２２における上下の端部から内側基体５１１側に起立して先端部が内側基体５１１に接触する外側基体上板部５２５および外側基体下板部５２６と、が一体形成され、これら板部５２２〜５２６と内側基体５１１のユニット取付面５１２aによって周囲が壁に囲われた収容空間が形成される。また、外側基体５２１に
は、外側基体後板部５２４における内側基体５１１側の端部から後方に延在する外側取付板部５２７も一体形成されている。
【０１０７】
外側取付板部５２７は、外側基体後板部５２４における上下の端部から後方に延在する上下の部位と、これら上下の部位の中央側に離間して設けられ、外側基体後板部５２４における中央部分から後方に延在する縦長形状の中央の部位とを有している。外側取付板部５２７における上下の部位には、１の貫通孔が設けられ、中央の外側取付板部５２７には、上下方向に離間して複数の貫通孔が設けられている。外側取付板部５２７における上下の部位と中央側の部位との間の隙間には、本体側鉤金具５５１の一部が配置され、本体側鉤金具５５１と外枠１１との係合領域とされている。
【０１０８】
外側取付板部５２７に設けられる複数の貫通孔には、図１２に示すように、ネジが挿通され、内側基体５１１に対して施錠動作ユニット５０１がネジ止めされる。また、中央の外側取付板部５２７の複数の貫通孔の付近には、内側基体５１１に面する側に突出する円筒状の位置決め突起がそれぞれ設けられ、これら位置決め突起が内側基体５１１に設けられる位置決め穴に入り込むことで施錠動作ユニット５０１の前後および上下位置が基準位置に定められる。
【０１０９】
内側基体５１１の下側部分における内面側には、図１２に示すように、キーシリンダ５０２が設けられている。キーシリンダ５０２は、枠下部３５２にキーシリンダ５０２を固定するためのシリンダ固定部５０３と、このシリンダ固定部５０３から前方に向けて延びる円筒状の錠軸部５０４と、を有している。錠軸部５０４の先端面には、外部から所定のキー操作を行うために解錠キーが挿入されるキー孔が形成されている。
【０１１０】
キーシリンダ５０２は、図１２に示すように、錠軸部５０４を前面側、シリンダ固定部５０３を背面側として、枠ユニット２１の枠下部３５２の右上側端部に前面側からネジ止めされている。キーシリンダ５０２の錠軸部５０４の先端部分は、前扉枠１４に設けられる錠孔を介してパチンコ機１０の前面側に露出され、パチンコ機１０の前面側からキー操
作が可能とされている（図１参照）。
【０１１１】
錠軸部５０４の基端面側には、図１４に示すように、キー操作に伴って回動するカム板５０５がネジにより取り付けられている。カム板５０５は、カム板５０５の上部から施錠動作ユニット５０１側に突出し、先端部が後方に延出する形状に形成された第１係合爪部５０５ａと、カム板５０５の下部から施錠動作ユニット５０１側に突出し、先端部が後方に延出する形状に形成された第２係合爪部５０５ｂとが鋼板によって一体形成されている。カム板５０５は、前後方向に延びる回動軸を中心に回動可能となっており、一方の回動方向へのキー操作に伴い当該一方の回動方向に回動し、逆の回動方向へのキー操作に伴い当該逆の回動方向に回動する。また、キー孔に解錠キーが挿入されていない状態においては、カム板５０５は外力によって回動せず、解錠キーの挿入することで、カム板５０５が回動可能とされている。
【０１１２】
連動杆５３１は、図１４に示すように、鋼板により縦長に形成され、厚み方向が左右方向を向き、外側基体主板部５２２の内面側に重なるようにして設けられている。連動杆５３１の縦方向の寸法は、外側基体５２１の縦方向の寸法より若干短く設定され、連動杆５３１の前後方向の寸法は、外側基体５２１の内面側の前後寸法よりわずかに短く設定されている。連動杆５３１は、外側基体５２１によって形成される収容空間に入り込んで配置され、前後方向への移動が外側基体５２１の外側基体前板部５２３及び外側基体後板部５２４により制限されることで前後への傾きを抑えつつ上下方向に移動可能とされている。
【０１１３】
連動杆５３１の上部、中央部及び下部には、図１４に示すように、厚み方向に貫通する縦長の連動側連結孔５３２が上下に離間して３カ所に設けられている。外側基体主板部５２２の上部、中央部及び下部には、連動杆５３１の連動側連結孔５３２に対応する高さ位置にて厚み方向に貫通する円形の基体側連結孔５２２ａが設けられている。
【０１１４】
基体側連結孔５２２ａには、杆固定具５０６が取り付けられ、杆固定具５０６の軸部分が連動側連結孔５３２に挿通されることにより、連動杆５３１は、上部、中央部及び下部にて外側基体主板部５２２に対して上下に移動可能に固定される。連動杆５３１の上下に移動可能な範囲は、連動側連結孔５３２の上下長さによって設定され、下側へは連動側連結孔５３２の上端に杆固定具５０６が当接する位置まで移動可能であり、上側へは連動側連結孔５３２の下端に杆固定具５０６が当接する位置まで移動可能とされている。
【０１１５】
連動杆５３１の左右方向における移動の制限として、外側基体主板部５２２側への移動は、３つの前面側鉤金具５５２に対向する面と、外側基体主板部５２２の中央より下側部分の突出面と、規制金具５５３とによって制限され、反対側への移動は杆固定具５０６によって制限されている。
【０１１６】
杆固定具５０６は、外側基体前板部５２３と外側基体後板部５２４との間で両板部５２３，５２４から離間した略中間位置に設けられている。杆固定具５０６は、先端側がカシメ固定され、反対側には連動杆５３１の連動側連結孔５３２に対して幅広で太軸に形成された頭部が設けられている。この頭部と外側基体主板部５２２との間の間隔は、連動杆５３１と前面側鉤金具５５２とを重ねた厚みに対して若干広く設定されている。杆固定具５０６の頭部は、外側取付板部５２７が内側基体５１１側に対面する平面と一致する高さに形成されている。なお、上側の杆固定具５０６が取り付けられる外側基体主板部５２２の面は、連動杆５３１側に突出しているため、その分、杆固定具５０６の頭部の左右方向における厚みは中央および下側の杆固定具５０６と比べて薄く形成されている。
【０１１７】
連動杆５３１を厚み方向に貫通する孔は、３つの連動側連結孔５３２のみであり、他の部品との係合部や、他の部品の設置領域は、前後左右の縁部分を凹ませるか、または、相
手部品側に突出するように折り曲げて形成されている。また、連動杆５３１には、その上下方向において外側基体主板部５２２とは反対側に突出する縦長の突状部が板幅に相当する前後方向の中央部分となるように、また３つの連動側連結孔５３２が設けられない部位に存在するように断続的に複数設けられている。この構成により、外側基体５２１の内面側に形成される収容空間内を連動杆５３１に使用する領域として広く利用しつつ少ない領域で連動杆５３１の強度を確保することができ、連動杆５３１および外側基体５２１を含む施錠動作ユニット５０１の前後方向における前後長さや、厚みを抑制することができている。
【０１１８】
連動杆５３１の上部及び下部は、図１４に示すように、その中央部において縦方向に延在する領域が縦方向の途中位置にて外側基体主板部５２２から離間する側にずれるように段差状に形成され、連動杆５３１の上部及び下部は、中央部に比べて外側基体主板部５２２との間の隙間が広く設定されている。連動杆５３１の上部には、前面側鉤金具５５２と本体側鉤金具５５１とを重ねて配置することで両金具５５１，５５２を施錠動作ユニット５０１の上部にまとめて配置している。連動杆５３１の下部には本体側鉤金具５５１に規制金具５５３を重ねて取り付けることにより、不正防止機能が付加されている。
【０１１９】
連動杆５３１の下部におけるキーシリンダ５０２のカム板５０５が設けられる位置には、図１３（ｂ）に示すように、その前端側がカム板５０５の第１係合爪部５０５ａと第２係合爪部５０５ｂの間に入り込むようにカム板５０５側に突出したカム係合部５３３が形成されている。カム板５０５が回動することで第１係合爪部５０５ａ又は第２係合爪部５０５ｂがカム係合部５３３を押し下げるか、又は、押し上げることで、キーシリンダ５０２に対してのキー操作により連動杆５３１が上方または下方へ移動する。
【０１２０】
連動杆５３１と外側基体主板部５２２との間には、図１４に示すように、３つの前面側鉤金具５５２が上下方向に離間して設けられている。３つの前面側鉤金具５５２は、鋼板により形成され、中央および下側の前面側鉤金具５５２が同一形状に形成され、上側の前面側鉤金具５５２のみが他とは異なる形状に形成されている。
【０１２１】
中央および下側の前面側鉤金具５５２は、上下方向に一定量だけ移動可能となるように縦長の前面鉤ガイド孔５６１が上部に形成される前面鉤ベース部５６２と、前面鉤ベース部５６２の下部から前方へ突出して形成され、更に突出した前端部が下方に向けて突出することで下方に開放された前面鉤溝部５６４を形成する前面鉤部５６５と有し、これらが一体に形成されている。中央および下側の前面鉤ベース部５６２の前後方向の幅寸法は、外側基体５２１の内面側の前後寸法より短く設定され、外側基体５２１によって形成される収容空間に入り込んで配置される。
【０１２２】
中央及び下側の前面側鉤金具５５２における前面鉤ベース部５６２の前面鉤ガイド孔５６１は、連動杆５３１の連動側連結孔５３２と前後方向における位置を一致させて形成されている。外側基体主板部５２２と、中央の前面側鉤金具５５２と、連動杆５３１とは、厚み方向が同一方向となるようにして重ねられた状態で杆固定具５０６により一体化され、下側の前面側鉤金具５５２についても同様に一体化されている。
【０１２３】
中央及び下側の前面側鉤金具５５２における前面鉤ベース部５６２の下部には、前面鉤ガイド孔５６１の鉛直線上にて上下方向に延びる縦長の下側ガイド孔５６３が設けられる。外側基体主板部５２２には、下側ガイド孔５６３内に入り込むように前面側鉤金具５５２が位置する側の板面から前後方向を軸として円弧状に突出したガイド突部５３４が設けられている。このガイド突部５３４と、ガイド突部５３４の鉛直上方に位置する杆固定具５０６の前後幅は、前面鉤ガイド孔５６１および下側ガイド孔５６３の前後幅よりわずかに小さく設定され、中央および下側の前面側鉤金具５５２の前後方向における傾きを抑え
て上下方向の移動時において負荷となる抵抗力を低減している。
【０１２４】
上側の前面側鉤金具５５２は、上下方向に一定量だけ移動可能となるように縦長の前面鉤ガイド孔５６１が下部に形成される前面鉤ベース部５６２と、前面鉤ベース部５６２の上部から前方へ突出して形成され、更に突出した前端部が下方に向けて突出することで下方に開放された前面鉤溝部５６４を形成する前面鉤部５６５と有し、これらが一体に形成されている。上側の前面側鉤金具５５２は、中央及び下側の前面鉤金具５５２と比べて前面鉤ベース部５６２の上側に前面鉤部５６５が位置する形状であり、前扉枠１４の上端縁を前側にこじ開ける不正行為を防止している。。
【０１２５】
上側の前面側鉤金具５５２における前面鉤ベース部５６２の前後方向の幅寸法は、外側基体５２１の内面側の前後寸法より短く設定され、外側基体５２１によって形成される収容空間に入り込んで配置される。上側の前面側鉤金具５５２の前面鉤ベース部５６２における後端側端部（図１４における左側端部）は、上端部と下側部とが離間した状態で後側に突出し、これら上端部及び下側部が外側基体後板部５２４に当接可能に設定されている。この後端側端部によって上側の前面側鉤金具５５２における上端部および下端部の後側への移動が制限され、前面鉤ガイド孔５６１によって上側の前面側鉤金具５５２における前方側への移動が制限される。この上側の前面側鉤金具５５２の前後移動の制限は、前面鉤ベース部５６２を基準として前面鉤部５６５とは逆側の位置にて行われることで、前面鉤部５６５の傾きを少なくし、前面鉤ガイド孔５６１を前面鉤ベース部５６２の前後方向の中央より後側寄りに形成することで上側の前面側鉤金具５５２の傾きを一層抑えて摺動性が高められている。
【０１２６】
上側の前面側鉤金具５５２における前面鉤ベース部５６２の後端部は、図１４に示すように、前側に凹んだ浅い溝状に形成され、その溝状部分の上端部に下方を向いた前鉤側係合面５６６が形成されている。連動杆５３１には、上端部における後側端部から厚み方向が前後方向となるようにして前面側鉤金具５５２の配置される面側に突出する杆側連動突起５３５が設けられる。杆側連動突起５３５は、上側の前面鉤ベース部５６２における前鉤側係合面５６６の下側に配置され、連動杆５３１の上方への移動に伴い、前鉤側係合面５６６が杆側連動突起５３５に押し上げられて上側の前面側鉤金具５５２が上方へ移動する。
【０１２７】
上側の前面側鉤金具５５２の上側部分は、外側基体主板部５２２において連動杆５３１側に突出する突出面と連動杆５３１とによって若干の隙間を隔てて挟まれた状態とされている。上側の前面側鉤金具５５２の下側部分は、上側の本体側鉤金具５５１と連動杆５３１とによって若干の隙間を隔てて挟まれた状態とされている。このため、上側の前面側鉤金具５５２の左右方向への移動が制限される。また、上側の本体側鉤金具５５１と上側の前面側鉤金具５５２とが左右方向において重ねて配置されることにより、本体側鉤金具５５１と前面側鉤金具５５２との両方ともパチンコ機１０の上端に近づけて配置することができ、前扉枠１４、中間ユニット１３および外枠１１の上端縁をこじ開ける不正行為を防止している。
【０１２８】
中央および下側の前面側鉤金具５５２における前面鉤ベース部５６２の前端部であって各前面鉤部５６５より上側には、図１４に示すように、厚み方向が前後方向となるようにして連動杆５３１の配置される面側に突出する前鉤側連動突起５６７が設けられる。連動杆５３１は、中央および下側の前面側鉤金具５５２の前鉤側連動突起５６７が設けられる部位が後側に凹んだ浅い溝状に形成され、その溝状部分の下端部に上方を向いた杆側前鉤係合面５３６が形成されている。杆側前鉤係合面５３６は、前面鉤ベース部５６２における前鉤側連動突起５６７の下側に配置され、連動杆５３１の上方への移動に伴い、前鉤側連動突起５６７が杆側前鉤係合面５３６に押し上げられて中央および下側の前面側鉤金具
５５２が上方へ移動する。
【０１２９】
３つの前面側鉤金具５５２における上下に移動可能な範囲は、前面鉤ガイド孔５６１の上下長さによって設定され、下側へは前面鉤ガイド孔５６１の上端に杆固定具５０６が当接する位置まで移動可能とされ、上側へは前面鉤ガイド孔５６１の下端に杆固定具５０６が当接する位置まで移動可能とされている。３つの前面側鉤金具５５２の前面鉤部５６５は、外側基体前板部５２３に形成された縦長の前面鉤孔部５２３ａを通じて前方に突出して設けられ、上記した移動範囲において各前面鉤部５６５が当接しない長さに前面鉤孔部５２３ａの上下長さが設定されている。
【０１３０】
３つの前面側鉤金具５５２における前面鉤ベース部５６２の前側下部には、連動杆５３１側に突出し、更に先端部が上方に突出した鉤状の前鉤付勢部５６８が設けられている。この前鉤付勢部５６８の下側には、つるまきバネよりなる鉤付勢部材５０７が各前面側鉤金具５５２に対して１つずつ、計３つ設けられている。これら鉤付勢部材５０７は、３つの前面側鉤金具５５２の移動可能な全範囲において前面側鉤金具５５２を下方に付勢するように設定されている。連動杆５３１の前端部には、３つの鉤付勢部材５０７が設けられる部位に対応して後方に凹んだ付勢部材設置部５３７が形成され、鉤付勢部材５０７を避けつつ外側基体５２１の収容空間を隙間無く覆うように設定されている。
【０１３１】
前面側鉤金具５５２の高さ位置に対応して前扉枠１４の背面側には、中間ユニット１３が位置する背面側に延出し、背面側端部が前扉枠１４の中央側に折り曲げて形成された前面側鉤受け部材５９が複数設けられている。（図３参照）。前扉枠１４が中間ユニット１３に対して閉鎖位置に配置された状態では、前扉枠１４の前面側鉤受け部材５９に３つの前面側鉤金具５５２が係合することにより、前扉枠１４が施錠された施錠状態となる。この施錠状態においては、３つの前面側鉤金具５５２は、上下に移動可能な範囲のうち下側限界位置付近に配置されている。連動杆５３１の上方への移動に伴って３つの前面側鉤金具５５２が上方へ移動すると前面鉤部５６５の最下端が前面側鉤受け部材５９の前側に重ならない位置まで上方へ移動し、前扉枠１４が前方へ開放可能な解錠された解錠状態となる。
【０１３２】
連動杆５３１と外側基体主板部５２２との間には、図１４に示すように、上記した前面側鉤金具５５２に加えて、２つの本体側鉤金具５５１が上下に離間して２つ設けられている。上側の本体側鉤金具５５１は、外側基体後板部５２４の上部に形成される縦長の本体鉤孔部５２４ａより一部が後方に突出するようにして設けられ、下側の本体側鉤金具５５１は、外側基体後板部５２４が上下に分断された領域から一部が後方に突出するようにして設けられている。上下の本体側鉤金具５５１は、図１４に示すように、鋼板により形成された板状の部材で同一の形状に形成されている。以下においては、まず、上側の本体側鉤金具５５１を中心にして説明する。
【０１３３】
本体側鉤金具５５１は、上下方向に一定量だけ移動可能となるように縦長の本体鉤ガイド孔５８１が下部に形成される本体鉤ベース部５８２と、本体鉤ベース部５８２の中央部から後方へ突出して形成され、更に突出した後端部が上方に向けて突出することで上方に開放された本体鉤溝部５８３を形成する本体鉤部５８４と有し、これらが一体に形成されている。本体鉤ベース部５８２の前後方向の幅寸法は、外側基体５２１の内面側の前後寸法より短く設定され、外側基体５２１によって形成される収容空間に入り込んで配置される。
【０１３４】
本体側鉤金具５５１は、外側基体主板部５２２に対して厚み方向が同一方向となるようにして重ねられた状態で、基体側連結孔５２２ｂに先端側がカシメ固定される鉤固定具５０８を本体鉤ガイド孔５８１に挿通することにより外側基体５２１と一体化されている。
本体側鉤金具５５１における上下に移動可能な範囲は、本体鉤ガイド孔５８１の上下長さによって設定され、下側へは、本体鉤ガイド孔５８１の上端に鉤固定具５０８が当接する位置まで移動可能であり、上側へは本体鉤ガイド孔５８１の下端に鉤固定具５０８が当接する位置まで移動可能とされている。なお、上側の本体側鉤金具５５１の本体鉤部５８４は、外側基体後板部５２４の本体鉤孔部５２４ａを通じて後方に突出して設けられているが、上記した移動範囲において本体鉤部５８４が当接しないように上下に長く設定されている。
【０１３５】
本体側鉤金具５５１の本体鉤ベース部５８２における上部の前後幅は、外側基体前板部５２３及び外側基体後板部５２４の前後の隙間より若干短く設定されている。また、本体鉤ベース部５８２の前側端部によって本体側鉤金具５５１における前側への移動が制限され、本体鉤ベース部５８２の上側後端部および本体鉤ガイド孔５８１によって本体側鉤金具５５１の後側への移動が制限される。本体鉤ベース部５８２の上部は前後方向における中央部が凹んで形成され、当該凹んだ領域に、本体鉤ベース部５８２の上側に配置される部材が入り込むことで上下方向における部品を近づけて配置可能にしつつ、本体鉤ベース部５８２の前後の上端部が外側基体５２１の内面に当接する部位を上方に位置させて、本体側鉤金具５５１の前後方向における傾きを抑えて本体側鉤金具５５１の摺動性が高められている。
【０１３６】
本体側鉤金具５５１における本体鉤ベース部５８２の後側であって本体鉤部５８４の下側には、図１４に示すように、厚み方向が前後方向となるようにして連動杆５３１の配置される面側に突出する本体鉤側連動突起５８５が設けられている。連動杆５３１は、上側の本体側鉤金具５５１の本体鉤側連動突起５８５が設けられる部位が前側に凹んだ浅い溝状に形成され、その溝状部分の上端部に下方を向いた杆側本体鉤係合面５３８が形成されている。杆側本体鉤係合面５３８は、本体鉤ベース部５８２における本体鉤側連動突起５８５の上側に配置され、連動杆５３１の下方への移動に伴い、本体鉤側連動突起５８５が杆側本体鉤係合面５３８に押し下げられて上側の本体側鉤金具５５１が下方へ移動可能とされている。
【０１３７】
上側の本体側鉤金具５５１における本体鉤ベース部５８２の前側下部には、連動杆５３１側に突出し、更に先端部が下方に突出した鉤状の本体鉤付勢部５８６が設けられている。この本体鉤付勢部５８６の上側には、つるまきバネよりなる鉤付勢部材５０７が設けられ、鉤付勢部材５０７は、上側の本体側鉤金具５５１の移動可能な全範囲において本体側鉤金具５５１を上方に付勢するように設けられている。
【０１３８】
上下の本体側鉤金具５５１のうち下側の本体側鉤金具５５１の連動杆５３１側には、図１４に示すように、規制金具５５３が設けられている。規制金具５５３は、鋼板により側面視で後方に開口した略コ字状に形成された板状の規制ベース部６０１を有している。遊技機本体１２が外枠１１に対して閉鎖位置に配置された状態では、外枠１１下側の受け板部３２２の上側に規制金具５５３の一部が位置し、キー操作無しで本体側鉤金具５５１を下方へ移動させようと外力が加えられた場合に規制金具５５３が受け板部３２２の一部に当接して本体側鉤金具５５１の解錠状態への変位を阻止する。
【０１３９】
規制金具５５３は、本体側鉤金具５５１に回動可能な状態で支持されている。詳細には、規制ベース部６０１の下部には、後方に突出する板状部にて厚み方向に貫通する取付孔６０２が設けられている。本体側鉤金具５５１の本体鉤溝部５８３の下側には、規制金具５５３の取付孔６０２と同一の大きさに形成された支持孔５８７が設けられている。規制金具５５３は、本体側鉤金具５５１と連動杆５３１との間に配置された状態で本体側鉤金具５５１と同様に厚み方向を左右方向にして重ねられて配置される。そして、規制金具５５３の取付孔６０２と本体側鉤金具５５１の支持孔５８７とに軸部材５０９の軸部が挿通
され、これら孔５８７，６０２より軸部材５０９の両端側が大径に形成されることにより、規制金具５５３は、軸部材５０９を中心にして本体側鉤金具５５１に対して回動可能に支持される。
【０１４０】
規制ベース部６０１における上下方向に延在する板状部には、図１４に示すように、本体側鉤金具５５１側に円柱状に突出する規制側係合部６０３が一体形成されている。本体側鉤金具５５１の本体鉤ベース部５８２には、本体鉤ガイド孔５８１より上側であって前側となる位置にて上下に延びる円弧状に形成された係合溝５８８が設けられている。係合溝５８８の円弧の中心は、本体側鉤金具５５１の支持孔５８７に一致し、係合溝５８８の円弧の長さは、規制側係合部６０３の外形より長く設定され、係合溝５８８の幅は、規制側係合部６０３の外形より若干大きく設定されている。このため、本体側鉤金具５５１と規制金具５５３とが一体化された状態では、円弧状の係合溝５８８内を規制側係合部６０３が移動可能な範囲分、本体側鉤金具５５１に対して規制金具５５３が回動可能とされている。
【０１４１】
本体側鉤金具５５１に規制金具５５３が一体化された鉤ユニット５５４は、上記したように本体側鉤金具５５１が鉤固定具５０８によって外側基体主板部５２２と一体化されることにより、外側基体主板部５２２に対して上下に移動可能とされている。
【０１４２】
規制金具５５３における規制ベース部６０１の前側下部には、連動杆５３１側に突出し、更に先端部が下方に突出した鉤状の鉤ユニット付勢部６０４が設けられている。鉤ユニット付勢部６０４には、上記した３つの鉤付勢部材５０７のうち下側の鉤付勢部材５０７の下端部が取り付けられ、鉤ユニット付勢部６０４を上方側へ付勢するように設定されている。鉤ユニット５５４は、鉤付勢部材５０７の付勢力により上下に移動可能な全範囲において上方へ付勢されている。また、鉤ユニット付勢部６０４は、規制金具５５３の回動中心となる取付孔６０２の前方に設けられ、鉤付勢部材５０７による上方側への付勢力が規制金具５５３の回動方向への回転力とされる。このため、規制金具５５３は、規制部６０５が後方側へ突出する側へ回動する方向に常に付勢され、本体鉤ベース部５８２の係合溝５８８の上端に規制側係合部６０３が当接する位置で回動が規制される。この回動規制位置では、規制部６０５が本体鉤溝部５８３の上方に位置した状態とされる。
【０１４３】
なお、鉤ユニット付勢部６０４に下端部が取り付けられた鉤付勢部材５０７の上端部は、下側の前面側鉤金具５５２の前鉤付勢部５６８に取り付けられ、１つの鉤付勢部材５０７によって前面側鉤金具５５２に対する下方への付勢力、本体側鉤金具５５１に対する上方への付勢力および規制金具５５３に対する回動方向の付勢力を発生させている。
【０１４４】
規制金具５５３において上下方向に延在する板状部には、図１４に示すように、連動杆５３１側に円柱状に突出する規制側杆係合部６０６が設けられている。連動杆５３１には、規制金具５５３の規制側杆係合部６０６の上端部に相当する高さ位置にて下方を向いた杆側規制係合面５３９が形成されている。規制側杆係合部６０６は、規制金具５５３の回動中心となる取付孔６０２の前方側で取付孔６０２と鉤ユニット付勢部６０４との間に設けられ、規制側杆係合部６０６に対する上下方向の力によって規制金具５５３に最大の回転力が生じる設定とされている。連動杆５３１が下方へ移動すると、その下方への移動に伴い、規制側杆係合部６０６が杆側規制係合面５３９に押し下げられ、規制金具５５３に対しては規制部６０５が前方へ引き込まれる方向への回転力が付与される。また、連動杆５３１が下方へ移動すると、一体化された規制金具５５３および鉤ユニット５５４に相当する鉤ユニット５５４に対しても下方への移動力が付与される。
【０１４５】
規制ベース部６０１における上部には、図１４に示すように、後方に突出する板状部にて構成された規制部６０５が一体形成されている。外側基体後板部５２４には、規制部６
０５に対応した高さ位置に縦長の規制溝５２４ｂが設けられ、規制溝５２４ｂの上下方向の長さは、規制部６０５より長く設定され、規制溝５２４ｂの幅は、規制部６０５より若干広く設定されている。また、規制溝５２４ｂの幅は、片側が外側基体主板部５２２の内面と一致し、反対側は、外側基体主板部５２２の内面から本体側鉤金具５５１と規制金具５５３の厚みを合わせた分より若干遠い位置に設定されている。このため、施錠動作ユニット５０１は、図１３に示す施錠状態において、外側基体主板部５２２から規制部６０５が離間する側への移動が規制溝５２４ｂによって阻止され、本体側鉤金具５５１に対して下側のみで一体化される規制金具５５３の変形や破損の防止が図られている。
【０１４６】
２つの本体側鉤金具５５１の本体鉤部５８４の高さ位置に対応して、図１０に示すように、外枠１１の右側板部３０４に受け板部３２１，３２２が設けられている。この受け板部３２１，３２２と本体側鉤金具５５１の係合構造について、図１５を参照しつつ説明する。
【０１４７】
図１５は、施錠動作ユニット５０１および周辺部品を切断して後方から見た斜視図であり、図１５（ａ）は、図１２のＡ−Ａ線の高さ位置における断面、図１５（ｂ）は図１２のＢ−Ｂ線の高さ位置における断面、図１５（ｃ）は図１２のＣ−Ｃ線における断面をそれぞれ示している。また、図１５においては、施錠状態における施錠動作ユニット５０１を示すと共に、外枠１１、枠ユニット２１および遊技盤２３の一部を併せて示している。
【０１４８】
外枠１１に設けられる受け板部３２１，３２２は、図１５（ａ）および図１５（ｃ）に示すように、上側と下側とで異なる形状に形成されている。上側の受け板部３２１は、図１５（ａ）に示すように、鋼板により平面視で後方に開口したコ字状に屈曲形成され、厚み方向を左右方向にして右側板部３０４の内面に重なるように配置される上側取付部３３１と、上側取付部３３１の前側部分より右側板部３０４とは逆側に延出するように形成された上側鉤係合部３３２と、上側鉤係合部３３２の延出方向側端部より後方に突出するように形成された返し板部３３３とが一体形成されている。
【０１４９】
上側の受け板部３２１における上側取付部３３１には、上側鉤係合部３３２より後側にて上下に離間して位置決め用の突起が設けられ、これら突起が外枠１１の右側板部３０４に設けられる位置決め穴に入り込んで上側の受け板部３２１の上下方向および前後方向への移動並びに左右方向を軸とした回動が規制されている。
【０１５０】
上側の受け板部３２１における上側鉤係合部３３２は、中央の高さ位置にて上側取付部３３１側が円弧状に切り欠いた形状に形成され、切り欠き部分を貫通するように、上側取付部３３１の前端部が上側鉤係合部３３２より前側に延在して形成されている。この前端部には、ネジが締結可能なめねじ部が内面側に形成された固定穴が設けられ、外枠１１の右側板部３０４の外面側から挿通されるネジの先端部３３４が上側取付部３３１の固定穴にねじ込まれて、上側の受け板部３２１が右側板部３０４に固定されている。
【０１５１】
下側の受け板部３２２は、図１５（ｃ）に示すように、鋼板により平面視で後方に開口したコ字状に屈曲形成され、厚み方向を左右方向にして右側板部３０４の内面に重なるように配置される下側取付部３３５と、下側取付部３３５の前側部分より右側板部３０４とは逆側に延出するように形成された下側鉤係合部３３６と、下側鉤係合部３３６の上下及び左右方向における略中央部にて上下方向を中心とする円弧状に後方に突出して形成された突出部３３７とが一体に形成されている。
【０１５２】
下側の受け板部３２２における下側取付部３３５には、図１５（ｃ）に示すように、下側鉤係合部３３６より後側にて上下に離間して位置決め用の突起が設けられ、これら突起が外枠１１の右側板部３０４に設けられる位置決め穴に入り込んで上側の受け板部３２１
の上下方向および前後方向への移動並びに左右方向を軸とした回動が規制されている。また、上下の位置決め穴の中間部分には、ネジが締結可能なめねじ部が内面側に形成された固定穴が設けられ、外枠１１の右側板部３０４の外面側から挿通されるネジの先端部３３４が下側取付部３３５の固定穴にねじ込まれて、下側の受け板部３２２が右側板部３０４に固定されている。
【０１５３】
中間ユニット１３が外枠１１に対して閉鎖位置に配置された状態では、外枠１１側の受け板部３２１，３２２に本体側鉤金具５５１が係合することにより、中間ユニット１３が外枠１１に対して施錠された施錠状態となる。詳細には、施錠状態においては、上下の受け板部３２１，３２２における鉤係合部３３２，３３６の下部には、本体側鉤金具５５１の本体鉤部５８４が後方に重なるように設定され、中間ユニット１３の前側への移動は、本体鉤部５８４の一部が鉤係合部３３２，３３６に当接することで制限される。この施錠状態においては、２つの本体側鉤金具５５１は、上下に移動可能な範囲のうち上側限界位置付近に配置され、上下の受け板部３２１，３２２の鉤係合部３３２，３３６の下端部に本体鉤溝部５８３の下端部が当接することで本体側鉤金具５５１は上方への移動が制限された状態とされる。
【０１５４】
下側の受け板部３２２における突出部３３７は、図１５（ｃ）に示すように、前方側に開口した収容空間を形成し、この収容空間内には、規制金具５５３の規制部６０５の後端側が入り込んだ状態とされている。この収容空間の下側には下側鉤係合部３３６の下部が前後方向を厚みとした板状に形成されて位置するため、鉤ユニット５５４を単体で下方に移動させようと力を加えても鉤ユニット５５４の上部にて規制金具５５３の規制部６０５が下側鉤係合部３３６の下部に上方から当接し、鉤ユニット５５４の下方への移動が制限される。
【０１５５】
次に、施錠機構１６の動作について、施錠状態、前扉枠１４の解錠開放操作、前扉枠１４の閉鎖操作、遊技機本体１２の解錠開放操作、遊技機本体１２の閉鎖操作の順に、図１６および図１７を参照して説明する。図１６は、施錠機構１６の動作を説明するために施錠機構１６を左側面視した図であり、図１６（ａ）は、前扉枠１４が解錠された状態、図１６（ｂ）は施錠状態、図１６（ｃ）は遊技機本体１２が解錠された状態をそれぞれ示している。図１７は、施錠機構１６における遊技機本体１２の解錠動作を説明するために施錠機構を後方から見た斜視図であり、図１７（ａ）は施錠状態、図１７（ｂ）は遊技機本体１２が解錠された状態をそれぞれ示している。なお、図１６には、前面側鉤受け部材５９における前面側鉤金具５５２に係合する一部分と、上下の本体受け部３２１，３２２における上下の本体側鉤金具５５１および規制金具５５３に係合する一部分を示している。
【０１５６】
施錠状態においては、図１６（ｂ）に示すように、鉤付勢部材５０７は、最小限に縮んだ状態とされ、前方側に突出する前面側鉤金具５５２は、下方に付勢されている。この前面側鉤金具５５２は、施錠動作ユニット５０１単体の状態における下側限界位置よりも、若干上側に位置し、前面側鉤金具５５２（詳細には、前面鉤部５６５の前面鉤溝部５６４）が前扉枠１４の前面側鉤受け部材５９に上方から当接することにより、下方への移動が規制された状態となっている。
【０１５７】
施錠状態における本体側鉤金具５５１は、鉤付勢部材５０７により上方に付勢されることにより、上側限界位置付近まで移動した状態とされ、本体側鉤金具５５１（詳細には、本体鉤部５８４の本体鉤溝部５８３）が外枠１１の受け板部３２１，３２２に下方から当接することにより、上方への移動が規制された状態となっている。下側の本体側鉤金具５５１に取り付けられている規制金具５５３は、外枠１１の下側の受け板部３２２の下側部分に対して若干の隙間を空けて上側に位置している。
【０１５８】
施錠状態における連動杆５３１は、上下に延びる連動側連結孔５３２のほぼ中央位置に杆固定具５０６が位置する高さ位置に配置されている。この連動杆５３１は、上方への移動が、３つの前面側鉤金具５５２によって制限され、下方への移動が本体側鉤金具５５１および規制金具５５３によって制限された状態とされている。また、施錠状態においては、連動杆５３１自体には、鉤付勢部材５０７の付勢力が作用せず、連動杆５３１は、上側の本体側鉤金具５５１の本体鉤側連動突起５８５に支持され、下側に設けられる規制金具５５３の規制側杆係合部６０６と連動杆５３１の下端部（杆側規制係合面５３９）とは若干の隙間が空いた状態とされる。
【０１５９】
前扉枠１４の解錠操作は、パチンコ機１０の正面右下側に配置されるキーシリンダ５０２先端部分のキー孔に解錠キーを差し込み、パチンコ機１０の正面視左回りに解錠キーを回動操作する（図1参照）。解錠キーが左回りに操作されると、キーシリンダ５０２の背
面側のカム板５０５が同じ方向に回動し、カム板５０５により連動杆５３１が押し上げられて、連動杆５３１は上方へ移動する。
【０１６０】
連動杆５３１は、３つの前面側鉤金具５５２を介して鉤付勢部材５０７の付勢力によって下方へ付勢されるため、この付勢力に対抗するのに十分な力で解錠キーを回動させることにより、３つの前面側鉤金具５５２は連動杆５３１と共に上方へ移動する。
【０１６１】
連動杆５３１の連動側連結孔５３２の下端が杆固定具５０６の軸部分に当接する連動杆５３１の上側限界位置まで解錠キーが回動操作されると、連動杆５３１の上方への移動が制限されて、それ以上、キーシリンダは回動操作できなくなる。この位置では、前面側鉤金具５５２の前面鉤部５６５の下端が前面側鉤受け部材５９の上端より上側に位置し、施錠機構１６による前扉枠１４の前方側への移動制限が解除された解錠状態となる。この解錠状態にしてから、解錠キーを回動させたままで中間ユニット１３に対して前方へ前扉枠１４を開放操作することにより、前扉枠１４を前方へ開放することができる。一旦、前扉枠１４が開放された後は、解錠キーの回動操作を止めても良く、回動操作を止めることで連動杆５３１および３つの前面側鉤金具５５２を含む施錠動作ユニット５０１が、図１６（ｂ）に示すように、鉤付勢部材５０７の付勢力によって元の施錠状態とされる。
【０１６２】
開放された前扉枠１４を閉鎖する場合、解錠キーは不要であり、開放された前扉枠１４を閉鎖する方向へ押し付ける。この押し付け操作によって、施錠状態と同じ位置に配置された３つの前面側鉤金具５５２に対して前方側（図１６（ｂ）の右側）から前面側鉤受け部材５９が当接する。３つの前面側鉤金具５５２の前面鉤部５６５の前面側は、図１６（ｂ）に示すように、前方に行くに従い、上方に向かうように傾斜して形成されている。この傾斜部位に対して前扉枠１４の閉鎖操作により前面側鉤受け部材５９が当接し、前面側鉤金具５５２に対する鉤付勢部材５０７による下方への付勢力よりも強い力で前扉枠１４を押し込むことにより、前面側鉤金具５５２は上方へ押し上げられる。前面鉤部５６５の下端を前面側鉤受け部材５９が通過する位置まで前扉枠１４が押し込まれると、前面側鉤金具５５２は鉤付勢部材５０７の付勢力により前面側鉤受け部材５９の前側に前面鉤部５６５の一部が配置された施錠状態となる。
【０１６３】
遊技機本体１２の開放操作は、まず、パチンコ機１０の正面右下側に配置されるキーシリンダ５０２先端部分のキー孔に解錠キーを差し込み、パチンコ機１０の正面視右回りに解錠キーを回動操作する（図1参照）。解錠キーが右回りに操作されると、キーシリンダ
５０２の背面側のカム板５０５が同じ方向に回動し、カム板５０５により連動杆５３１が押し下げられて、連動杆５３１は下方へ移動する。
【０１６４】
連動杆５３１は、上側の本体側鉤金具５５１と下側に配置される規制金具５５３を介して鉤付勢部材５０７の付勢力によって上方へ付勢されるため、この付勢力に対抗するのに
十分な力で解錠キーを回動させることにより、上下の本体側鉤金具５５１は連動杆５３１と共に下方へ移動する。
【０１６５】
ここで、本体側鉤金具５５１のうち下側の本体側鉤金具５５１側にのみ、規制金具５５３が設けられ、本体側鉤金具５５１が下方へ移動して解錠状態へ至るまでの動作が上下で異なるので、上側、下側とで分けて本体側鉤金具５５１の動作を説明する。上側の本体側鉤金具５５１は、連動杆５３１の下方への移動に伴い、連動杆５３１の杆側本体鉤係合面５３８により本体鉤側連動突起５８５が押し下げられて下方へ移動する。
【０１６６】
下側の本体側鉤金具５５１は、連動杆５３１の下方への移動に伴い、本体側鉤金具５５１と規制金具５５３とが一体化された鉤ユニット５５４を下方へ移動させようとする。しかし、規制金具５５３の規制部６０５は、図１６（ｂ）に示すように、施錠状態において下側の受け板部３２２の一部の上側に位置しているため、規制部６０５が当該受け板部３２２の一部の上端に当接した後は、鉤ユニット５５４は下方へ移動することができない。
【０１６７】
規制部６０５が下側の受け板部３２２の一部に上側から当接した後、連動杆５３１が更に下方へ移動すると、連動杆５３１の下端部に形成される杆側規制係合面５３９が規制金具５５３の規制側杆係合部６０６を下方へ押し下げることにより軸部材５０９を中心に規制金具５５３が回動し、後方へ突出していた規制部６０５が次第に前方へ引き込まれる。下側の受け板部３２２より前側に規制金具５５３の規制部６０５が位置すると、外枠１１の下側の受け板部３２２による鉤ユニット５５４の下方への移動制限が解除され、鉤ユニット５５４は下方へ移動し、鉤ユニット５５４を構成する本体側鉤金具５５１も解錠状態となる位置まで下方へ移動する。
【０１６８】
連動杆５３１の連動側連結孔５３２の上端が杆固定具５０６の軸部分に当接する連動杆５３１の下側限界位置まで解錠キーが回動操作されると、連動杆５３１の下方への移動が制限されて、それ以上、キーシリンダは回動操作できなくなる。この位置では、図１６（ｃ）および図１７（ｂ）に示すように、本体側鉤金具５５１の本体鉤部５８４の上端が受け板部３２１，３２２において本体鉤部５８４が係合する部分より下側に位置し、施錠機構１６による遊技機本体１２の前方側への移動制限が解除された遊技機本体１２の解錠状態となる。この解錠状態にしてから、外枠１１に対して遊技機本体１２を前方へ開放操作することにより、遊技機本体１２を前方へ開放することができる。一旦、遊技機本体１２が開放された後は、解錠キーの回動操作を止めても良く、回動操作を止めることで連動杆５３１および本体側鉤金具５５１を含む施錠動作ユニット５０１が、図１６（ｂ）に示すように、鉤付勢部材５０７の付勢力によって元の施錠状態とされる。
【０１６９】
開放された遊技機本体１２を閉鎖する場合、解錠キーは不要であり、開放された遊技機本体１２を閉鎖する方向へ押し付ける。施錠状態と同じ位置に配置された上下の本体側鉤金具５５１が後方（図１６（ｂ）の右側）へ移動して、外枠１１の受け板部３２１，３２２に当接する。上下の本体側鉤金具５５１の本体鉤部５８４の後側は、図１６（ｂ）に示すように、後方に行くに従い、下方に向かうように傾斜して形成されている。この傾斜部位に対して遊技機本体１２の閉鎖操作により外枠１１の受け板部３２１，３２２が当接し、本体側鉤金具５５１に対する鉤付勢部材５０７による下方への付勢力よりも強い力で遊技機本体１２を押し込むことにより、本体側鉤金具５５１は下方へ押し下げられる。本体鉤部５８４の上端を外枠１１の受け板部３２１，３２２が通過する位置まで遊技機本体１２が押し込まれると、本体側鉤金具５５１は鉤付勢部材５０７の付勢力により外枠１１の受け板部３２１，３２２の前側に本体鉤部５８４の一部が配置された施錠状態となる。
【０１７０】
ここで、下側の本体側鉤金具５５１には、規制金具５５３が取り付けられているが、この規制金具５５３は、後方側へ突出するように鉤付勢部材５０７により付勢力が付与され
ているため、図１７（ｂ）に示すように、遊技機本体１２の閉鎖操作によって外枠１１の下側の受け板部３２２により前方側へ押し込まれる。本体鉤部５８４の上端を外枠１１の受け板部３２１，３２２が通過すると、本体側鉤金具５５１が上方へ移動し、下側の受け板部３２２の突出部３３７によって形成される収容空間内に規制部６０５が入り込み、下側の本体側鉤金具５５１および規制金具５５３の下方への移動が制限される。このため、閉鎖操作においては、特に規制金具５５３に対して操作をすることなく、容易に遊技機本体１２を閉鎖することができる。
【０１７１】
次に、上記した解錠キーを用いた正規の解錠操作でなく、解錠キーを使用しない不正な解錠操作に対する施錠機構１６の構成について説明する。３つの前面側鉤金具５５２は、それぞれが別々の鉤付勢部材５０７によって付勢され、外側基体５２１および連動杆５３１に対して上下に移動可能に支持されている。このため、３つの前面側鉤金具５５２に対して直接的に力を加えて不正に解錠状態を形成しようとする場合には、３つの前面側鉤金具５５２を同時に移動して解錠状態としなければならない。また、前面側鉤金具５５２の前面鉤部５６５は、図３に示すように、中間ユニット１３の前側に配置され、前扉枠１４によって閉鎖される空間内に配置されているため、前扉枠１４を解錠操作しなければ操作されることはない。さらに、連動杆５３１を不正に上方へ移動させて３つの前面側鉤金具５５２を同時に解錠状態にしようとしても、連動杆５３１のカム係合部５３３はキーシリンダ５０２のカム板５０５の第１係合爪部５０５ａと第２係合爪部５０５ｂの間に入り込むようにして設けられ、カム板５０５は解錠キーを挿入しなければ回動しない構成であるので、連動杆５３１を利用した不正な解錠操作もすることができない。
【０１７２】
本体側鉤金具５５１については、２つの本体側鉤金具５５１を同時に解錠状態としなければ遊技機本体１２は開放できず、また、連動杆５３１を用いて同時に解錠状態とすることは、前扉枠１４と同様に、連動杆５３１とカム板５０５との係合によって不能とされている。また、２つの本体側鉤金具５５１のうち下側の本体側鉤金具５５１は、直接操作して下方に移動させようと外力を加えても、規制金具５５３の規制部６０５が下側の受け板部３２２に上方から当接することで本体側鉤金具５５１の下方への移動を制限する。このため、本体側鉤金具５５１に対して直接外力を加えることによる不正な解錠操作は困難なものとされている。また、規制金具５５３の規制部６０５は、下側の受け板部３２２の突出部３３７により形成される収容空間内に入り込んで、突出部３３７により後側が覆われ、下側鉤係合部３３６に上下側が覆われた状態とされているため、不正な解錠操作は一層困難なものとされている。さらに、規制部６０５は、前方へ移動するように外力を加えなければ、下側の受け板部３２２の上側から移動できず、この方向は、本体側鉤金具５５１の移動方向である上下方向とは別の方向とされている。よって、不正な解錠のためには同時に複数の方向への部品の移動操作を必要として不正な解錠操作を一層困難にしている。
【０１７３】
次に、パチンコ機１０に施錠動作ユニット５０１が取り付けられた状態を参照してパチンコ機１０の特徴部分について説明する。パチンコ機１０は、図３に示すように、外枠１１に対して開閉可能に支持される中間ユニット１３と、中間ユニット１３に取り付けられ、遊技者に視認可能な遊技領域２３ａを形成する遊技盤２３とを有している。中間ユニット１３には、図１５（ｂ）に示すように、パチンコ機１０の前後方向に延びる連動杆５３１と前面側鉤金具５５２とが並んで設けられている。これら連動杆５３１と前面側鉤金具５５２は、中間ユニット１３が閉鎖された状態において開方向への移動を阻止する施錠状態とするために遊技機上下方向に動作可能とされている。
【０１７４】
連動杆５３１および前面側鉤金具５５２に対して左右方向における外面側には、図１５（ｂ）に示すように、外側基体５２１の外側基体主板部５２２が前面側鉤金具５５２に重なるようにして設けられ、さらに外面側には、隙間を隔てて外枠１１が設けられている。この外枠１１と外側基体５２１との隙間は、中間ユニット１３を外枠１１に対して開閉す
る場合に、中間ユニット１３の外側基体５２１等が外枠１１に近づくように移動することとなるために設けられ、中間ユニット１３の回動中心位置に応じた大きさの隙間を設定することとなる。
【０１７５】
連動杆５３１および前面側鉤金具５５２に対して左右方向における内面側には、図１５（ｂ）に示すように、内側基体５１１の内側基体主板部５１２が連動杆５３１に重なるようにして設けられ、さらに内面側には遊技盤２３が設けられている。遊技盤２３における内側基体５１１側の端部は内側基体５１１にほぼ当接する位置まで及ぶように配置され、遊技盤２３の左右方向における幅が最大限に拡げられ、その遊技盤２３の前面側に形成される遊技領域２３ａの左右方向における幅も最大限に拡げられている。
【０１７６】
パチンコ機１０における外枠１１と遊技盤２３との間には、図１５（ｂ）に示すように、外側基体主板部５２２、連動杆５３１、前面側鉤金具５５２および内側基体主板部５１２が、左右方向に厚みを有する板状に形成され、それぞれが対面する向きに並んで重なるように配置されている。このため、遊技盤２３の遊技領域２３ａに対して左右方向における一方側であって連動杆５３１および前面側鉤金具５５２が設けられる横断面において遊技盤２３と外枠１１との間に占める中間ユニット１３の割合を少なくし、その分、遊技盤２３の幅寸法を拡大することができる。
【０１７７】
また、中間ユニット１３を構成する外側基体主板部５２２と内側基体主板部５１２とが、図１５（ｂ）に示すように、連動杆５３１および前面側鉤金具５５２を間に挟むことにより一定の間隔を隔てた二層構造とされている。この二層構造により前後方向を中心とした曲げ力や上下方向を中心としたねじり力にも強い構造体となるので、遊技盤２３の重量が嵩んでも中間ユニット１３の右側部分は変形し難いものとすることができる。しかも、中間ユニット１３は、図３等に示すように、左側部分を回動軸として回動可能に支持される枠状の枠ユニット２１を有し、その枠ユニット２１には内幅の全域にわたって遊技盤２３が設けられている。遊技盤２３には複数の制御装置や表示装置、装飾部品が搭載されるために重量が嵩む部品であり、遊技盤２３が横方向に拡大可能としている本実施形態におけるパチンコ機１０においては一層重量が嵩むこととなる。この場合であっても、中間ユニット１３の構成部品を一定の間隔を隔てて前後方向に延びる二層構造を有して構成することにより、中間ユニット１３の開閉時においては遊技盤２３の重量に十分に耐えることができ、遊技盤２３が取り付けられていない中間ユニット１３単体においても剛性を有する中間ユニット１３とすることができる。また、外側基体主板部５２２と内側基体主板部５１２との間に配置される連動杆５３１等は二層構造の間に配置されるので、施錠動作ユニット５０１の全体幅は薄く抑えつつ、外側基体主板部５２２と内側基体主板部５１２との間の収容空間を変形し難いものにして連動杆５３１等の動作不良を抑制することができる。
【０１７８】
中間ユニット１３は、図１１に示すように、遊技盤２３が取り付けられる部位としての遊技盤収容部２１ａが開口した枠体を形成する枠ユニット２１を備え、枠ユニット２１は、遊技盤２３の上下左右に設けられる枠上部３５１、枠下部３５２、枠左部３５３および枠右部３５４が別々の部材をネジにより固定されて構成される。また、内側基体主板部５１２を有する枠右部３５４は、図１２に示すように、内側基体主板部５１２が枠上部３５１と枠下部３５２とに右側面側から差し込まれるネジ３５４ａにより固定されている。このため、内側基体主板部５１２の接続されている部位の上下間は、内側基体主板部５１２と、その外側に取り付けられる外側基体主板部５２２、さらには、それらの間に配置される連動杆５３１および前面側鉤金具５５２といった複数枚の板状部材を並べて構成することができる。よって、遊技盤２３の幅寸法を上下の広い範囲にわたって幅広く形成しつつ、その上下間における剛性は複数枚の板状部材によって十分に確保することができる。
【０１７９】
内側基体主板部５１２の右側面側には、図１２に示すように、連動杆５３１および前面側鉤金具５５２が固定された外側基体主板部５２２が内側基体主板部５１２に対してネジにより固定されている。また、外側基体主板部５２２は、そのパチンコ機１０外面側に相当する右側面側より取り外し操作可能に固定されている。このため、枠ユニット２１における枠体形状を保ちつつ、外側基体主板部５２２を取り外して連動杆５３１や前面側鉤金具５５２といった施錠動作ユニット５０１のメンテナンスや破損した部材の交換等を行うことができる。
【０１８０】
また、パチンコ機１０の右側面側は、中間ユニット１３の回動先端側に位置する部位であるので、外側基体主板部５２２を取り外す操作は、外枠１１に対して中間ユニット１３の右側面側がパチンコ機１０前面側に露出される程度に開放するだけで良いものとされている。遊技盤２３が拡大されることで重量が嵩むと中間ユニット１３の回動軸部分にかかる負荷が増大し、取り外し操作を行うことによる更なる負荷も考慮した頑丈な回動軸部を設けることはコスト増につながるものであるが、本実施形態におけるパチンコ機１０においては、ほとんど中間ユニット１３が閉鎖された状態で施錠動作ユニット５０１の取り外し操作を行うことができ、回動軸部に必要なコストを低減することができる。
【０１８１】
さらに、本実施形態におけるパチンコ機１０においては、外側基体主板部５２２を取り外すためのネジがパチンコ機１０の前面側に露出可能な開放量とした場合に、外枠１１の幕板部３０６上側に設けられる滑り部材３０７の一部に枠ユニット２１の枠下部３５２の一部が載置される設定とされている。このため、中間ユニット１３の回動軸部にかかる負担を低減しつつ、一旦静止させた中間ユニット１３を含む遊技機本体１２を動作させるための操作力も少なくすることができる。
【０１８２】
外側基体５２１には、図１５（ｂ）に示すように、外側基体主板部５２２と、外側基体主板部５２２と一体的に形成され、外側基体主板部５２２におけるパチンコ機１０後側端部より内側基体主板部５１２側に突出した形状に形成されて連動杆５３１および前面側鉤金具５５２のパチンコ機１０背面側を覆う部位を形成する外側基体後板部５２４とが設けられている。また、内側基体５１１には、内側基体主板部５１２と、内側基体主板部５１２と一体的に形成され、内側基体主板部５１２におけるパチンコ機１０の前側端部より外側基体主板部５２２側に突出した形状に形成されて連動杆５３１および前面側鉤金具５５２のパチンコ機１０前面側を覆う部位を形成する内側基体前板部５１３とが設けられている。このため、連動杆５３１および前面側鉤金具５５２は、外側基体５２１と内側基体５１１とによって前後左右のほとんどが覆われることとなり、可動部分に対して不正する行為を抑制することができる。
【０１８３】
外側基体５２１の外側取付板部５２７と内側基体５１１の内側基体主板部５１２とは、図１２に示すように、パチンコ機１０左右方向に重ね合わせた状態でネジにより固定される。また、外側基体５２１には、連動杆５３１、前面側鉤金具５５２、本体側鉤金具５５１および規制金具５５３が、固定具５０６，５０８によって一体化されている。ネジによる外側基体５２１と内側基体５１１との固定を解除して外側基体５２１を内側基体５１１から分離すると、外側基体５２１と連動杆５３１等が一体化された施錠動作ユニット５０１が内側基体５１１から分離されることとなる。
【０１８４】
外側基体５２１は、図１５（ｂ）に示すように、外枠１１の内面に対面するように配置されているので、外枠１１によって覆われていた外側基体５２１が中間ユニット１３の開放によってパチンコ機１０前方側に露出され、ネジを操作することによって外側基体５２１をパチンコ機１０から取り外すことができる。外側基体５２１は、連動杆５３１等に対してパチンコ機１０左右方向における外側を覆う部材であるので、パチンコ機１０が設置された状態においては連動杆５３１等に対する不正部品の侵入を抑制し、連動杆５３１等
の動作不良時においては外側基体５２１と連動杆５３１等が一体化された施錠動作ユニット５０１を取り外すことができ、施錠動作ユニット５０１の部品点検や部品交換時における作業性を向上することができる。この場合に、施錠動作ユニット５０１が内側基体５１１から取り外されると、外側基体５２１によって右側と前後上下の大部分が囲われた空間内に配置された連動杆５３１が、外側基体５２１の左側面側に露出されて視認可能となるため、メンテナンスや動作不良時における作業を簡単に行うことができる。
【０１８５】
施錠動作ユニット５０１は、外側基体５２１の後側に設けられる外側取付板部５２７に対してのみ固定具としてのネジが設けられている。このため、施錠動作ユニット５０１の前側や中央部における固定部品が不要となるため、固定部品の数を制限し、また固定作業に要するコストを低減している。
【０１８６】
施錠動作ユニット５０１の前側部分は、図１５（ｂ）に示すように、内側基体５１１によって前側および左右両側への変位が制限された状態とされている。施錠動作ユニット５０１の前面側への変位は、外側基体前板部５２３の前面側に重なるようにして設けられる内側基体前板部５１３によって制限されている。
【０１８７】
内側基体５１１には、図１５（ｂ）に示すように、外側基体主板部５２２における内側基体主板部５１２側とは逆側となる外枠１１側の外面に近接した面を形成しつつ内側基体前板部５１３よりパチンコ機１０後側に延出した形状の前側支持部５１４が設けられている。この前側支持部５１４は、後側に延出した後端側端部が更に外枠１１側に突出する形状に形成されている。前側支持部５１４は、施錠動作ユニット５０１が内側基体５１１に取り付けられた状態にて、外側基体前板部５２３の左右方向における内側基体主板部５１２とは逆側にて外側基体５２１に近接している。外側基体前板部５２３における内側基体主板部５１２側の端部は、内側基体主板部５１２と当接する程度に、すなわち、外側取付板部５２７が内側基体５１１側に対面する平面と一致する高さに形成されている。このため、内側基体主板部５１２と前側支持部５１４によって外側基体５２１の前側部分における左右両側への変位が制限され、施錠動作ユニット５０１の左右両側における変位が制限されることとなる。
【０１８８】
施錠動作ユニット５０１において連動杆５３１等が設けられる内部空間は、杆固定具５０６によって領域が確保されている。杆固定具５０６は、外側基体前板部５２３と外側基体後板部５２４との間で両板部５２３，５２４から離間した略中間位置に設けられている。杆固定具５０６は、先端側がカシメ固定され、反対側には連動杆５３１の連動側連結孔５３２に対して幅広で太軸に形成された頭部が設けられている。この頭部は、外側取付板部５２７が内側基体５１１側に対面する平面と一致する高さに形成されている。このため、施錠動作ユニット５０１に曲げ力やねじり力が加えられても、外側基体主板部５２２の前後方向における中間部分が杆固定具５０６によって内側基体主板部５１２に支持されることとなり、外側基体主板部５２２と内側基体主板部５１２との二層構造において前後方向における中央部分の隙間を確保することができる。また、連動杆５３１と外側基体５２１との間に配置される本体側鉤金具５５１、前面側鉤金具５５２および規制金具５５３に対して外力が加えられても、連動杆５３１における内側基体５１１側への移動は、杆固定具５０６による移動制限だけでなく、杆固定具５０６の頭部が内側基体主板部５１２へ当接することによっても制限され、かかる外力に起因する不具合も防止することができる。
【０１８９】
パチンコ機１０には、図３に示すように、遊技領域２３ａの前面側に設けられ、遊技領域２３ａを視認可能とする窓パネルユニット３０を有し、中間ユニット１３に対してパチンコ機１０前方側に開閉可能に設けられる前扉枠１４が設けられている。また、パチンコ機１０には、外枠１１に対して中間ユニット１３の施錠状態を形成するために動作可能に設けられる複数の本体側鉤金具５５１と、中間ユニット１３に対して前扉枠１４の施錠状
態を形成するために動作可能に設けられる複数の前面側鉤金具５５２と、上方に移動した場合に複数の前面側鉤金具５５２を上方側に動作させ、下方に移動した場合に複数の本体側鉤金具５５１を下方に動作させる連動杆５３１（図１３参照）とが設けられている。図３に示すように、遊技盤２３における遊技領域２３ａの左右方向における最大幅部は、内レール１０１が最も左側に膨出する遊技盤２３の上下方向における略中央部分が相当し、その部位より上側も下側も次第に遊技領域２３ａが狭くなるように設定されている。
【０１９０】
遊技領域２３ａの最大幅部に近い高さ位置には、図３に示すように、上下方向における中央の前面側鉤金具５５２が配置され、その高さ位置には、図１５（ｂ）に示すように、連動杆５３１が前面側鉤金具５５２に重なるように設けられている。遊技領域２３ａの最大幅部およびその近傍における高さ位置に、前面側鉤金具５５２が設けられているので、遊技領域２３ａに対する不正を行おうとして中間ユニット１３に対して前扉枠１４が不正にこじあけられそうになっても、遊技領域２３ａが大きく形成された最大幅部付近で中間ユニット１３と前扉枠１４とを施錠することができる。最大幅部の上下に遊技領域は次第に狭まるように設けられているので、中間ユニット１３と前扉枠１４との隙間が遊技領域２３ａ付近で生じにくいものとなり、遊技領域２３ａを狙った不正を抑制することができる。
【０１９１】
一方、遊技領域２３ａの左右方向における最大幅部と、その上下方向における最大幅部の近傍には、図３に示すように、本体側鉤金具５５１が設けられていない。上側の本体側鉤金具５５１は遊技領域２３ａの上端部分に相当する外レール１０２の上端とほぼ同一高さに設けられ、下側の本体側鉤金具５５１は遊技領域２３ａの下端より下側に設けられている。上記したように、内側基体主板部５１２と外側基体主板部５２２との組み合わせによって剛性が高められており、中間ユニット１３の枠右部３５４は前後および左右の曲げ力に対する撓み量が少ないものとされている。このため、中間ユニット１３の上下の中間部分が撓んで中間ユニット１３と外枠１１との間に隙間が形成されることを抑制することができ、この隙間を狙った不正を抑制することができる。しかも、本体側鉤金具５５１を遊技領域２３ａの最大幅部近傍に配置しなくても不正を抑制することができるので、遊技領域２３ａの最大幅部をより拡大すると共に、その近傍部分も遊技領域２３ａを幅広に形成しつつ、不正にも強いパチンコ機１０とすることができる。
【０１９２】
施錠機構１６を構成するキーシリンダ５０２は、所定の解錠操作が行われた場合に回動し、連動杆５３１と係合することで連動杆５３１を上下方向に動作させるものであり、このキーシリンダ５０２は、図１１に示すように、中間ユニット１３の枠下部３５２に前面側より固定されている。このキーシリンダ５０２の固定位置は、枠右部３５４を構成する内側基体５１１に対して、図１１に示すように、遊技盤収容部２１ａ側に相当する内面側とされている。
【０１９３】
一方、外側基体５２１に連動杆５３１等が一体化された施錠動作ユニット５０１は、図１２に示すように、内側基体５１１の外面側にネジにより取り付けられる。詳細には、内側基体前板部５１３には、図１５に示すように、前面側鉤金具５５２（前面鉤部５６５）を挿通可能な挿通孔５１３ａが３つの前面側鉤金具５５２に対応して設けられ、施錠動作ユニット５０１を内側基体５１１に取り付ける際には、まず、前面側鉤金具５５２の前面鉤部５６５を挿通孔５１３ａに背面側より差し込む。その差し込みの後には、外側基体５２１の外側取付板部５２７を内側基体主板部５１２のユニット取付面５１２ａに重なるように、施錠動作ユニット５０１を内側基体主板部５１２の板面に垂直な方向側から近づくように移動して位置合わせをする。その後、外側取付板部５２７と内側基体主板部５１２とのネジ用孔を一致させるように位置合わせをしてから、ネジ用孔にネジをねじ込み固定することで、施錠動作ユニット５０１が内側基体５１１に取り付けられる。
【０１９４】
内側基体主板部５１２の下端部には、図１２に示すように、キーシリンダ５０２が配置される部位と、施錠動作ユニット５０１が取り付けられるユニット取付面５１２ａ側とを連通するように左右方向に貫通した連通孔５１２ｂが設けられる。この連通孔５１２ｂ内には、施錠動作ユニット５０１に設けられる連動杆５３１のカム係合部５３３が位置し、このカム係合部５３３がキーシリンダ５０２側のカム板５０５と係合可能とされている。連通孔５１２ｂは、前面側鉤金具５５２を内側基体前板部５１３の挿通孔５１３ａに背面側より差し込む際に、施錠動作ユニット５０１のカム係合部５３３が当接しないように後側部分がカム係合部５３３の上下長さより若干長く設定された高さ幅で前後に延び、連通孔５１２ｂの前側部分は、施錠動作ユニット５０１が取り付けられた状態において連動杆５３１のカム係合部５３３が上下に移動可能な範囲より若干上下に長く設定され、連通孔５１２ｂの後側部分より長く設定されている。
【０１９５】
このように、内側基体主板部５１２を介した左右両側にキーシリンダ５０２と施錠動作ユニット５０１の連動杆５３１とが設けられ、キーシリンダ５０２側のカム板５０５と連動杆５３１のカム係合部５３３とが内側基体主板部５１２の連通孔５１２ｂを介して係合する。このため、キーシリンダ５０２に対する解錠キーの操作無しに連動杆５３１を上下に移動させようとする不正を行おうとしてキーシリンダ５０２と連動杆５３１との係合部分に工具を進入させようとしても、内側基体主板部５１２が係合部分の上下および前後を覆っていて邪魔になるので、その係合部分を狙った不正を抑制することができる。また、内側基体主板部５１２と外側基体主板部５２２との二層構造がキーシリンダ５０２の配置される部位においても確保されるので、上下の広範囲にわたって中間ユニット１３の剛性を確保することができる。
【０１９６】
また、キーシリンダ５０２と、施錠動作ユニット５０１とは独立した別部品として設けられ、取付方向が前後と左右とで異なる構成とされ、取付部位も枠下部３５２と内側基体５１１とで異なる構成とされている。内側基体主板部５１２は、押出材により上下方向に断面形状が一定に成形され、遊技盤収容部２１ａ側が上下に直線的な形状で、一定形状の断面外形に対して遊技盤収容部２１ａ側に上下方向において部分的に突出する部位を有しない形状とされている。このため、内側基体主板部５１２と施錠動作ユニット５０１とが一体化された部品ユニットを、図１１に示すように、パチンコ機１０の正面側から見て一定幅か一定に近い細幅部分が上下に長く延びるように形成することができる。さらに、遊技盤２３の下側にキーシリンダ５０２が配置されているので、遊技領域２３ａの幅にキーシリンダ５０２が影響を及ぼさず、遊技盤２３の左右方向における幅寸法を上下方向における広範囲にわたって幅広に設定することができる。
【０１９７】
パチンコ機１０の中間ユニット１３を構成する外側基体５２１は、図１５（ｂ）に示すように、横断面において遊技機前後方向に延びる向きに設けられ、内側基体主板部５１２との間に連動杆５３１等が配置される外側基体主板部５２２と、外側基体主板部５２２におけるパチンコ機１０の後側より、連動杆５３１および前面側鉤金具５５２の配置される側であって内側基体主板部５１２に近づく側に延出した形状の外側基体後板部５２４と、外側基体後板部５２４における内側基体主板部５１２に近い側の端部より後側に延出した形状にて内側基体主板部５１２と対面して配置される外側取付板部５２７とを有している。外側基体主板部５２２と内側基体主板部５１２とが、連動杆５３１および前面側鉤金具５５２を挟んだ二層構造であり、さらに外側基体主板部５２２側が外側基体後板部５２４と外側取付板部５２７とに連続する段状に形成されるので、遊技盤２３の拡大に伴って重量が嵩んでも、その重量増に伴う不具合を中間ユニット１３右側部分の剛性向上によって抑制することができる。また、連動杆５３１等が配置される外側基体主板部５２２と内側基体主板部５１２との間の収容空間を変形し難いものにして連動杆５３１等の動作不良を抑制することができる。
【０１９８】
また、従来のパチンコ機は、パチンコ機後側から前側へ向かうネジにより施錠装置を構成する部品がネジ止め固定されていたが、本実施形態におけるパチンコ機１０において従来の固定構造を用いると、内側基体の背面側に外側基体の一部が重なるように配置され、その部分にネジ止めのためのネジ孔やネジ受け部分を形成することになる。この結果、遊技盤収容部２１ａ側に外側基体５２１および内側基体５１１の固定部が突出することとなって遊技盤２３の左右方向の大きさが制限されてしまう。
【０１９９】
これに対して、本実施形態におけるパチンコ機１０では、外側取付板部５２７と内側基体主板部５１２とは、図１２に示すように、外側基体５２１を基準として内側基体主板部５１２とは逆側となる右側からネジ止めされ、このネジ止めにより外側基体５２１と内側基体５１１とが固定されている。また、この外側取付板部５２７は、図１５（ｂ）に示すように、遊技盤２３に対して右側に相当する外面側に配置されている。更に、外側基体５２１と内側基体５１１とを固定するネジは、一般的なネジより外形に比して長さが短く形成され内側基体５１１に対して遊技盤収容部２１ａ側にネジの先端部が全く突出しないものとされている。このため、遊技盤２３における内側基体５１１側の端部に装飾部品や遊技球の入賞装置を配置し易くすることができる。また、装飾部品等としてパチンコ機１０の前後方向に長さを有する部品を遊技盤２３の端に近づけて配置することができるので、遊技領域２３ａを左右方向に拡大した場合における設計自由度を高めることができる。
【０２００】
また、パチンコ機１０の遊技盤２３は、遊技領域２３ａに進入した遊技球が衝突する多数の釘８７が前面側に打ち込まれた遊技板２３ｂを有し、外側基体５２１の外側取付板部５２７は、遊技板２３ｂの右側であって遊技板２３ｂの板厚の範囲内に少なくとも一部が設けられている（例えば、図１５（ｂ）参照）。このため、遊技板２３ｂの後側に、外側取付板部５２７と内側基体５１１との固定部が入り込むことがなく、遊技板２３ｂの後側の領域を一層広く確保して遊技盤２３の構成部品の配置領域を拡張することができる。
【０２０１】
中間ユニット１３の枠ユニット２１を構成する枠右部３５４は、図１２に示すように、内側基体主板部５１２と、内側基体主板部５１２を遊技機左右方向に貫通する孔部とを有し、内側基体主板部５１２が枠上部３５１と枠下部３５２とに対して外側基体主板部５２２側から孔部に一端部が挿入された複数の枠右固定ネジ３５４ａを用いて固定されている。このため、施錠動作ユニット５０１が設けられる枠右部３５４の左右方向における幅寸法を狭くすることができ、遊技盤２３の幅をパチンコ機１０の外形となる外枠１１外面に近い位置まで拡げることができる。
【０２０２】
一方、枠左部３５３は、図１１に示すように、前後方向に延びる縦長の枠左主板部３５３ａと、枠左主板部３５３ａの後側より遊技盤２３が配置される遊技盤収容部２１ａの背面側に延出するように形成された縦長の中央側延出部３５７と、中央側延出部３５７を前後方向に貫通する孔部とを有し、図７に示すように、一端部が孔部に挿入された複数の枠左固定ネジ３５３ｂを用いて枠左部３５３が枠上部３５１と枠下部３５２とに対して後側から固定されている。枠左部３５３は、枠右部３５４より左右方向における幅が広く設定され、横幅のある断面形状とすることで曲げ剛性を高く確保し、中間ユニット１３の回動基端側として必要な強度を確保している。また、枠左部３５３は、中央側延出部３５７の孔部を用いて枠上部３５１と枠下部３５２とに対して固定が行われているので、中間ユニット１３を開放することで中間ユニット１３の背面側から固定部分の確認や作業を可能として左右方向が挿入方向とされる固定方法と比べて作業性を高めることができる。更に、枠左部３５３は、施錠機構１６が設けられていない側であるため、中央側延出部３５７を設けても外枠１１外面に近い位置まで遊技盤２３の配置自由度を確保することができ、施錠機構１６が設けられる反対側と比べて遊技盤２３の左右端から外枠１１外面までの幅の差を少なくして左右の均整がとれたデザインとすることができる。また、中央側延出部３５７は、遊技盤２３の遊技領域２３ａの背面に重なるまでは突出せず、遊技領域２３ａの
左側に位置する誘導通路１０３の背面側に重なる位置までに中央側への突出量が抑えられており、遊技領域２３ａに対して装飾部品等を配置する自由度を十分に確保することができる。
【０２０３】
次に、パチンコ機１０の背面視左上角部に設けられる縦長の溝状部１９について、図４、図９および図１５を主に参照して説明する。パチンコ機１０の背面視左上角部には、図９に示すように、外枠１１の内面側に縦長の溝状部１９が形成されている。この溝状部１９は、パチンコ機１０の搬送をする際に、指先を引っかけて搬送を容易とするための持ち手として利用可能に設けられている。
【０２０４】
溝状部１９は、背面視上側面が外枠１１の上板部３０１の下面により形成され、背面視左側面が外枠１１の右側板部３０４の内面によって形成されている。また、溝状部１９は、背面視右側から下側に延び、下端側が円弧状に外枠１１の右側板部３０４側に延びる形状に形成されている。この溝状部１９の背面視右側および下側は、中間ユニット１３と裏パックユニット１５とによって形成される。
【０２０５】
中間ユニット１３には、図４に示すように、外枠１１の前面側に位置する外縁部３６１が設けられている。外縁部３６１の後側には、外縁部３６１の上面に対して若干低い位置で後方側に延出することで上方を向いた面（第１上向面１３ａ）が形成されると共に、外縁部３６１の右側面に対して左側に若干ずれた位置で後方側に延出することで右側を向いた面（第１右向面１３ｃ）が形成される。この第１右向面１３ｃは、施錠機構１６を構成する施錠動作ユニット５０１の外面を主として形成され、第１上向面１３ａは、中間ユニット１３の枠上部３５１の上面によって形成されている。
【０２０６】
中間ユニット１３が外枠１１に対して閉鎖されると、外枠１１の前側に外縁部３６１が接触するか、接触する程度に近接した状態となる（図２参照）。この閉鎖状態においては、第１上向面１３ａと第１右向面１３ｃは、パチンコ機１０の背面視左側における上側角部において、外枠１１の内面に対面する中間ユニット１３の外面を形成することとなる。第１上向面１３ａおよび第１右向面１３ａに相当する枠上部３５１の上面および施錠動作ユニット５０１の外枠側の面は、外枠１１の内側に近接しており、外枠との間には一般成人男性の指先が入らない程度の隙間しか設けられていない。
【０２０７】
外縁部３６１の上面に対する第１上向面１３ａの段差は、外枠１１の上板部３０１の上下方向における厚みより若干広く設定されている。外枠１１の上板部３０１の下面と第１上向面１３ａとの隙間は、指先が入らない程度、例えば、１０ｍｍ（ミリメートル）より狭く設定されている。外縁部３６１の右側外面に対する第１右向面１３ｃの段差は、外枠１１の右側板部３０４の左右方向における厚みより若干広く設定されている。この隙間も、指先が入らない程度、例えば、１０ｍｍより狭く設定されている。
【０２０８】
中間ユニット１３の背面視左側における上側角部には、図４に示すように、中間ユニット１３の外面として、第１上向面１３ａの後側に設けられ、第１上向面１３ａよりも外枠１１の上板部３０１の内面から略１００ｍｍ離間した位置で上方を向いた第２上向面１３ｂが設けられている。また、第１右向面１３ｃの後側には、第１右向面１３ｃよりも外枠１１の右側板部３０４の内面から略２０ｍｍ離間した位置で右側を向いた第２右向面１３ｄが設けられている。この第２右向面１３ｄと外枠１１の右側板部３０４の内面との間の距離は、第２上向面１３ｂと外枠１１の上板部３０１の内面との間の距離より略５分の１程度に小さく設定されている。
【０２０９】
第２上向面１３ｂと第２右向面１３ｄとは、枠上部３５１によって樹脂により一定の厚みを有する形状に形成されている。第２上向面１３ｂと第２右向面１３ｄを外面とする内
面側には、図５に示すように、遊技盤２３が収容される遊技盤収容部２１ａ側に凸となって突出する縦長の盤側突出部１３ｅが形成される。盤側突出部１３ｅは、第２上向面１３ｂと第２右向面１３ｄとによって正面視左側と下側とが形成され、前端部が前壁により塞がれた形状とされている。この前壁と外枠１１の後端との前後の距離に相当する溝状部１９の深さは、略１００ｍｍとされている。
【０２１０】
盤側突出部１３ｅの前側端部は、前後方向において遊技板２３ｂの厚みの範囲に設けられ、図５に示すように、盤側突出部１３ｅが設けられた部位には遊技板２３ｂが設けられず、遊技板２３ｂは盤側突出部１３ｅを避けるようにして形成されている。盤側突出部１３ｅの前側には、枠上部３５１形成する合成樹脂により、ネジを固定するための筒状部１３ｆが正面視で盤側突出部１３ｅの設けられる範囲内で左右方向に延びるように、また筒状部１３ｆの後側部分が盤側突出部１３ｅと連続するようにして、上下に離間して複数形成されている。これら筒状部１３ｆには、枠右部３５４と枠上部３５１とを固定する枠右固定ネジ３５４ａがねじ込まれる。縦長の溝状部１９を設ける際に、盤側突出部１３ｅを設けることによって枠右部３５４と枠上部３５１とを連結する角部分の剛性を高めることができ、枠右固定ネジ３５４ａの筒状部１３ｆも盤側突出部１３ｅに支持されることにより一層連結部分の剛性を高めることができるので、部品の破損や不正行為の防止を少ないスペースを利用して効率よく防止することができる。
【０２１１】
中間ユニット１３の後側に設けられる裏パックユニット１５には、図４に示すように、中間ユニット１３の第１上向面１３ａ、第２上向面１３ｂ、第１右向面１３ｃおよび第２右向面１３ｄに対して後方側に各面がほぼ一致して延出するように、第１後側上向面１５ａ、第２後側上向面１５ｂ、第１後側右向面１５ｃおよび第２後側右向面１５ｄが設けられている。このため、第２後側上向面１５ｂおよび第２後側右向面１５ｄは、図９に示すように、パチンコ機１０の背面視において、縦長の溝状部１９の内面の一部を形成し、裏パックユニット１５において後方に膨出する保護カバー部２１２は縦長の溝状部１９を避ける形状に形成されている。また、第１後側上向面１５ａおよび第１後側右向面１５ｃは、上記した第１上向面１３ａおよび第１右向面１３ｃと同様に、外枠１１の内側に近接して外枠との間に指先が入らない程度の隙間しか設けられていない。
【０２１２】
保護カバー部２１２は、図４に示すように、中間ユニット１３の回動軸を中心とした円弧状であってパチンコ機１０の後側ほど左右方向における中央側に位置するように前後方向に延在する外面を有し、この外面によって第１後側右向面１５ｂが形成されている。第２後側右向面１５ｄは、第１後側右向面１５ｂに対して第１後側右向面１５ｂを形成する円弧の中心側にて前後方向に延在し、後側にて第１後側右向面１５ｂに連続する形状に形成されている。
【０２１３】
保護カバー部２１２は、図４に示すように、第２後側上向面１５ｂと第２後側右向面１５ｄとが設けられることによって上側角部の一部分が内方側に凹むように形成されている。保護カバー部２１２の内部領域は、第１後側右向面１５ｂの内面によって右側面の大部分が区画され、その内部領域の上側角部には、パチンコ機１０の上下方向および左右方向における内面側に凸となる部位が形成されている。この凸となる部位における内部領域側の面とは逆側となる外面により第２後側上向面１５ｂと第２後側右向面１５ｄとが形成される。外枠１１の内面は、裏パックユニット１５の前側の一部分に対面し、縦長の溝状部１９は、第２後側上向面１５ｂと第２後側右向面１５ｄによっても形成されている。縦長の溝状部１９を設ける際に、保護カバー部２１２の内部領域に内面側に凸となる部位を形成することで、保護カバー部２１２の内部領域が狭められる領域を少なくして、遊技盤２３裏面の設計スペースを広く確保することができる。
【０２１４】
縦長の溝状部１９を形成する第２後側上向面１５ｂと第２後側右向面１５ｄの背面視右
側には、図８に示すように、縦長の挿通部２１１ａが並んで設けられ、その横側にはタンク２２１等の払出ユニット２０２が設けられている。裏パックユニット１５の機能部品が保護カバー部２１２の上側に配置され、その部位の側方に縦長の溝状部１９を形成することで、パチンコ機１０の持ち手としてのスペースを設けつつ、保護カバー部２１２の内部空間を十分に確保し、裏パックユニット１５の機能も確保することができる。
【０２１５】
パチンコ機１０を持ち上げる際には、パチンコ機１０の右横側に立ち、右手を使って縦長の溝状部１９に右手の指先を差し入れる。反対側の手は、パチンコ機１０の前面側に突出する上皿膨出部３０４ｂの下側等を支え、この状態でパチンコ機１０を持ち上げる。特に、縦長の溝状部１９には、右手親指以外の指先を差し込み、右手の親指で外枠１１の右側板部３０４の後部外面側をつかむことにより、安定した状態でパチンコ機１０を持ち上げることができる。
【０２１６】
この縦長の溝状部１９は中間ユニット１３の上側角部に設けられているので、遊技領域２３ａの拡大に伴って遊技盤２３を拡大しても、遊技者の目につきにくい上端角側の一部分が遊技盤２３側に突出することになるため、遊技盤２３の拡大に対しての制限とはなりにくい。また、縦長の溝状部１９は外枠１１の角部内面に設けられているので、縦長の溝状部１９から外枠１１の内面に力が加えられても、その力点が角部に近いことによって上板部３０１および右側板部３０４に加えられる曲げ力は少ないものとなる。よって、縦長の溝状部１９を利用してパチンコ機１０を持ち上げる際の外枠１１への負荷を低減して外枠１１を破損し難くすることができる。
【０２１７】
縦長の溝状部１９を形成する第２上向面１３ｂおよび第２右向面１３ｄの前側、下側および横側は、図４に示すように、第２上向面１３ｂおよび第２右向面１３ｄより外枠１１の内面に近い第１上向面１３ａと第１右向面１３ｃとによって構成されているので、溝状部１９の前側における中間ユニット１３の内部空間は広く確保することができる。このため、遊技盤２３の拡大に対する制限を少なくすることができ、遊技盤２３の拡大に伴って重量が嵩んでも、縦長の溝状部１９を利用してパチンコ機１０は搬送しやすいものとすることができる。
【０２１８】
外枠１１の内面側に縦長の溝状部１９が設けられているので、この部位を持ち手として利用可能とすることにより、パチンコ機１０の背面側の部品が作業者に掴まれ難いものとすることができ、他の部位に対して過度に高い強度を持たせる必要がない。このため、背面側の部品を小型化し、また低コストで製造することができる。
【０２１９】
また、縦長の溝状部１９を利用することで、作業者は、右手でパチンコ機１０の上側を掴み、左手でパチンコ機１０の下側を掴みながらパチンコ機１０を持ち上げることができる。このため、パチンコ機１０の上端に相当する外枠１１の上板部３０１の下面に指をかけたり、パチンコ機１０の正面側から外枠１１の両側を掴んで持ち上げる場合に比べて、上下にパチンコ機１０を移動しやすい。
【０２２０】
一方、パチンコ機１０の前面側の手をパチンコ機１０の下側にて支えながら、パチンコ機１０を高く持ち上げた場合には、縦長の溝状部１９の下端部分に小指側の側面を当てて、上側を安定させた状態でパチンコ機１０を持ち上げることができる。パチンコ機１０を高く持ち上げた状態においては縦長の溝状部１９に差し込んだ側の手は、パチンコ機１０の上側が倒れないように支えるだけで良いので、この部位が中間ユニット１３の背面側によって形成されても支持体側に比べて強度は低くても良い。更に、縦長の溝状部１９の前側、側面側および下側の三方の面が枠上部３５１によって合成樹脂により一体に成形され、この三方で立体化された部位は剛性が高く、この部位は薄板に形成して遊技盤２３裏面側の内部空間を拡げることができる。
【０２２１】
縦長の溝状部１９の後側を形成する第１後側上向面１５ｂおよび第１後側右向面１５ｄの下側および横側は、図４に示すように、外枠１１の内面に近い第１後側上向面１５ａと第１後側右向面１５ｃとによって構成されている。よって、溝状部１９の後側における保護カバー部２１２の内部空間は広く確保することができ、また、裏ベース部２１１を上方側に近づけて形成することで払出ユニット２０２の設置領域を広く確保することができる。
【０２２２】
パチンコ機１０には、図４に示すように、中間ユニット１３を施錠するために上下方向に離間した２箇所に設けられる２つの本体側鉤金具５５１が設けられている。この２つの本体側鉤金具５５１のうち上側に設けられる本体側鉤金具５５１は、図４に示すように、縦長の溝状部１９の下側部分を形成する第２上向面１３ｂの横側に隣接するように設けられ、本体側鉤金具５５１の上端部は縦長の溝状部１９の下側から上方に突出している。このため、上側の本体側鉤金具５５１は、溝状部１９が設けられる位置まで上方に配置することができ、中間ユニット１３と外枠１１の上端縁をこじ開けようとする不正をより確実に防止することができる。
【０２２３】
また、中間ユニット１３を施錠する２つの本体側鉤金具５５１のうち下側の本体側鉤金具５５１は直接的に本体側鉤金具５５１を下げようと力を加えても規制金具５５３によって下方への移動が制限され、上側の本体側鉤金具５５１は直接的な外力によって下方へ移動可能とされている。よって、パチンコ機１０を持ち上げる際に溝状部１９に指先を差し込んだ場合に上側の本体側鉤金具５５１に指先が触れても、上側の本体側鉤金具５５１が溝状部１９の下側へ移動可能であるので、指先が上側の本体側鉤金具５５１に擦られて傷ついてしまうといった危険性を少なくすることができる。更に、下側の本体側鉤金具５５１は、規制金具５５３によって直接的な外力に対しての動作が制限されているので、不正行為を抑制すると共に、搬送時に作業者の意図に反して中間ユニット１３が開放してしまうことを抑制することができる。
【０２２４】
中間ユニット１３に対して前扉枠１４を施錠状態とするための前面側鉤金具５５２は、図１１に示すように、上下方向に離間して３箇所に設けられている。これら前面側鉤金具５５２のうち最上部に設けられる上側の前面側鉤金具５５２は、図１５（ａ）に示すように、上側の本体側鉤金具５５１に一部が対面しつつ重なって設けられている。上側の本体側鉤金具５５１の上端部は、溝状部１９の下端部に面するように設けられ、その上側の本体側鉤金具５５１の前側部分に上側の前面側鉤金具５５２が設けられることで、溝状部１９の前側に上側の本体側鉤金具５５１が位置する。このため、溝状部１９が設けられる位置まで上側の前面側鉤金具５５２を高く配置することができ、中間ユニット１３と前扉枠１４との上端縁をこじ開けようとする不正を防止することができる。
【０２２５】
また、上側の前面側鉤金具５５２と、上側の本体側鉤金具５５１とは、一部が対面しつつ重なって設けられている。このため、上側の前面側鉤金具５５２と上側の本体側鉤金具５５１とを上下方向に長く形成して、これらが上下移動をする際に前後方向に傾くことを抑えて上側の前面側鉤金具５５２と上側の本体側鉤金具５５１の動作をスムースで安定したものとしつつ、両部品を重ならせて互いに相手側部品を支持する構成とすることにより、それらの配置に要する遊技機左右方向の幅を少なく抑えることができ、遊技盤２３を左右方向に拡大することができる。
【０２２６】
外枠１１の右側板部３０４は、図１５（ａ）に示すように、第１右向面１３ｃの一部を形成する外側基体主板部５２２の外面に対面する右側板部３０４の内面を一面としてパチンコ機１０の前後方向に延在し、左右方向を厚み方向とする前側板部３０４ａと、その前側板部３０４ａの後側にて前側板部３０４ａの内面側に膨出するように形成され、内部が
空洞に形成された膨出部３０４ｂとを有している。膨出部３０４ｂは、遊技盤２３を構成する遊技板２３ｂよりパチンコ機１０の後側に設けられている。右側板部３０４における膨出部３０４ｂの後端部には、右側板部３０４に対して遊技盤２３が設けられる内面側とは逆の外面側に突出する外面側突部３０４ｃが設けられている。膨出部３０４ｂおよび外面側突部３０４ｃは、右側板部３０４の上下方向の全域にわたって設けられている。
【０２２７】
右側板部３０４に膨出部３０４ｂが設けられることにより、縦長の溝状部１９を利用してパチンコ機１０を持ち上げる際、外枠１１の右側板部３０４の背面側から後方にかけて手を回すと、膨出部３０４ｂの厚み部分に沿って支持体の後端側から前側板部３０４ａの内面側に指先を回し込むことができ、指先がパチンコ機１０から外れ難くなる。また、膨出部３０４ｂは、内部に空間を形成した部位であり、軽量にしつつ前側板部３０４ａより強度を増大することができるので、パチンコ機１０を持ち上げる際の負荷による外枠１１の破損を抑制することができる。また、遊技板２３ｂに対して膨出部が遊技機左右方向に重なっていないので、遊技板２３ｂの前面側に形成される遊技領域２３ａは膨出部３０４ｂの存在に関係すること無く十分に幅広に形成することができる。また、外面側突部３０４ｃに親指をかけることで、親指もパチンコ機１０から外れ難くなり、搬送を一層容易に行うことができる。
【０２２８】
上側の本体側鉤金具５５１に係合する上側の受け板部３２１は、図１５（ａ）に示すように、膨出部３０４ｂよりパチンコ機１０の前面側に設けられ、上側の受け板部３２１が溝状部１９を形成する第２右向面１３ｄに対面することとなる。この上側の受け板部３２１が右側板部３０４に取り付けられることによって、上側の受け板部３２１が設けられない部位より前側板部３０４ａの内面側に突出した部位が溝状部１９の内面の一部を形成し、上側の受け板部３２１にはパチンコ機１０を持ち上げる際に力が加わり易くなる。上側の受け板部３２１は、施錠状態を形成するために強度を十分に確保するように材料および形状が決定されるため、この部位にパチンコ機１０を持ち上げる際の力が多く加えられるようにすることで破損の防止もし易く設計コストを低減することができる。
【０２２９】
上側の受け板部３２１には、図１５（ａ）に示すように、返し板部３３３が後方側に突出するように形成されている。この返し板部３３３の下端は、縦長の溝状部１９の下端に相当する第２上向面１３ｂとほぼ一致する高さに設定されている。上側の本体側鉤金具５５１に対して遊技盤２３が設けられるパチンコ機１０中央側への負荷がかかったとしても返し板部３３３で本体側鉤金具５５１の左右方向への移動を制限し、さらに上側の本体側鉤金具５５１を下方へは移動可能とすることにより、上側の本体側鉤金具５５１の変形や破損を防止することができる。また、上側の受け板部３２１を固定するネジの先端部３３４は、上側鉤係合部３３２が位置する前側部分に設けられ、縦長の溝状部１９側に突出する部位を少なくすることにより、パチンコ機１０を持ち上げる際に指先へ引っかかる部位を少なくしている。
【０２３０】
内側基体５１１は、図１２に示すように、溝状部１９の上部に相当する第１上向面１３ａ近くまで延在するように形成され、溝状部１９の上部および下部の高さ位置において枠上部３５１にネジ止めで固定されている。このため、遊技機を持ち上げる際に、溝状部１９周辺に負荷がかかったとしても、その負荷を内側基体５１１と枠右部３５４とに分散することができ、中間ユニット１３の変形や破損を防止することができる。
【０２３１】
なお、本発明は、上記実施形態に限られることはなく、例えば、以下に記載するように変形して実施しても良い。この場合に、以下に記載する各構成を上記実施形態に対して適用しても良く、以下に記載する複数の構成を組み合わせて上記実施形態に対して適用しても良い。
【０２３２】
上記実施形態においては、施錠機構１６により遊技部品を拡大可能とし、縦長の溝状部により遊技機の搬送を容易としたが、遊技機の搬送容易に着目した場合には、上記施錠機構１６に代えて他の施錠機構を使用する構成としても良く、遊技部品の拡大に着目した場合には、上記縦長の溝状部を無くして、更に、保護カバー部２１２の内部領域等を拡大しても良い。
【０２３３】
上記実施形態においては、施錠動作ユニット５０１を外側基体５２１の後端部にて固定する構成としたが、それに代えて、又はそれに加えて、施錠動作ユニット５０１を外側基体の前後方向における中央部又は前端部のいずれか又は両方で固定しても良い。
【０２３４】
上記実施形態においては、連動杆５３１、本体側鉤金具５５１、前面側鉤金具５５２および規制金具５５３は外側基体５２１に一体化して施錠動作ユニット５０１とする構成としたが、連動杆５３１、本体側鉤金具５５１、前面側鉤金具５５２および規制金具５５３を内側基体５１１に固定し、外側基体５２１により、連動杆５３１等を外側から覆う構成としても良い。この場合に、外側基体５２１を枠上部３５１および枠下部３５２に側面側から固定し、外側基体５２１に対して遊技機中央側に相当する遊技盤２３側から施錠動作ユニット５０１を取り付けても良く、内側基体５１１の後端部に外側基体５２１側に近づく段状の面を形成し、その部位により外側基体５２１と内側基体５１１とを固定しても良い。
【０２３５】
上記実施形態においては、上下３つの杆固定具５０６の頭部を内側基体５１１側に当接又は近接させて外側基体主板部５２２と内側基体主体部５１２との間の隙間を確保する構成としたが、この隙間を必ずしも３つの杆固定具５０６のみによって確保する必要はなく一部の杆固定具５０６によって確保しても良い。この場合には、外側基体５２１によって形成される収容空間の中央に近い位置に配置される中央の杆固定具５０６の頭部を内側基体側に当接させることが好ましい。また、杆固定具５０６に代えて又は杆固定具５０６に加えて、鉤固定具５０９の頭部を内側基体５１１に当接可能な高さに形成して隙間を確保しても良い。
【０２３６】
上記実施形態においては、規制金具５５３を下側の本体側鉤金具５５１に対してのみ設けることで不正な開放を阻止する構成としたが、規制金具５５３は、上側の本体側鉤金具５５１や前面側鉤金具５５２の１つ又は複数に設けることにより、不正な開放を阻止する構成としても良い。逆に、下側の本体側鉤金具５５１に対する規制金具５５３を有しない構成としても良く、この場合には、上側の本体側鉤金具５５１と上側の前面側鉤金具５５２とを上下で重ならないように配置し、連動杆５３１を上下に横方向の段差のない縦長形状とすることで、内側基体主板部５１２と外側基体主板部５２２との間の間隔を一層狭めることができる。
【０２３７】
上記実施形態においては、枠ユニット２１の一体化並びにキーシリンダ５０２及び施錠動作ユニット５０１の固定をネジにより実施したが、必ずしもネジにより固定を施す必要はなく、カシメ固定、接着、樹脂等の弾性変形を利用した固定具等、他の工法により固定を実施しても良い。また、連動杆５３１、本体側鉤金具５５１、前面側鉤金具５５２および規制金具５５３を外側基体５２１に一体化するために、先端側が軸中心から外方に変形することで固定がなされ、反対側端部が太軸に形成されたカシメの固定具を使用する構成としたが、この固定についてもネジ等の他の固定工法を使用する構成としても良い。
【０２３８】
上記実施形態においては、施錠機構１６が中間ユニット１３に設けられる構成としたが、施錠機構１６を構成するキーシリンダ５０２及び施錠動作ユニット５０１の一方又は両方が前扉枠１４に設けられる構成としても良い。
【０２３９】
上記実施形態においては、遊技盤２３が中間ユニット１３に設けられる構成としたが、遊技盤２３が中間ユニット１３ではなく前扉枠１４に支持される構成としても良い。
【０２４０】
上記実施形態においては、施錠機構１６として、前扉枠１４と、中間ユニット１３（遊技機本体１２）との２つの開閉可能な部材を施錠状態とすることが可能に構成したが、スロットマシンなど他の遊技機として実施する場合等には、１つの開閉可能な部材を対象にし、本体側鉤金具５５１と前面側鉤金具５５２との一方を有しない構成としても良い。なお、スロットマシンなど、他の遊技機において、遊技球の流下する遊技領域が形成されない遊技機においては、前面側に絵柄を表示するためのリールユニット等の表示装置が設けられる領域が遊技領域に該当する。
【０２４１】
上記実施形態においては、外枠１１に対して中間ユニット１３が支持され、中間ユニット１３に対して前扉枠１４および裏パックユニット１５が前後に回動可能に支持される構成としたが、外枠１１に対して前扉枠１４が回動可能に支持され、中間ユニット１３は、前扉枠１４の背面側にて回動可能に支持される構成としても良い。中間ユニット１３に対して裏パックユニット１５は必ずしも回動可能に設ける必要はなく、中間ユニット１３の背面側に裏パックユニット１５を固定して設けても良く、裏パックユニット１５に設けられる払出ユニット２０２や制御装置等を中間ユニット１３の背面側に支持する構成とし、裏パックユニット１５を設けない構成としても良い。この裏パックユニット１５を設けない構成とする場合には、枠上部３５１と枠下部３５２を一体部品として成形しても良い。
【０２４２】
本発明を上記実施形態とは異なるタイプのパチンコ機等に実施しても良い。例えば、一度大当たりすると、それを含めて複数回（例えば２回、３回）大当たり状態が発生するまで、大当たり期待値が高められるようなパチンコ機（通称、２回権利物、３回権利物と称される。）として実施しても良い。また、大当たり図柄が表示された後に、所定の領域に球を入賞されることを必要条件として特別遊技状態となるパチンコ機として実施しても良い。また、大当たり等の抽選機能のないいわゆる普通機として採用されても良い。球が所定の入賞口に入ることで特別遊技状態となるパチンコ機として実施しても良い。また、球が循環する封入式のパチンコ機に実施しても良い。さらに、パチンコ機以外にも、アレンジボール型パチンコ、雀球、いわゆるパチンコ機とスロットマシンとが融合した遊技機等の各種遊技機として実施するようにしても良いし、スロットマシンとして実施しても良い。
【０２４３】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【０２４４】
以下、上記した実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。また、各特徴に記載した用語の意味や例示等は、同一の文言にて記載した他の特徴に記載した用語の意味や例示として適用しても良い。
【０２４５】
＜特徴Ａ群＞
従来、遊技機の代表例としてパチンコ機がある。パチンコ機は、例えば、遊技場（ホー
ル）に固定される支持体としての外枠と、この外枠の左端側を開閉軸として開閉可能に設けられる開閉体としての内枠と、この内枠の開口に遊技領域が位置するように取り付けられる遊技部品としての遊技盤と、この内枠の正面視左端側を開閉軸として内枠に対して開閉可能に支持され、遊技領域に対応した視認窓を有する前面扉とを備えている。この前面扉には、遊技盤の遊技領域を視認可能とする視認窓が設けられ、視認窓を介して遊技者が遊技盤を視認可能とされている。遊技盤の遊技領域には、変動表示が行われる図柄の表示装置や装飾部品が設けられ、この部品は多様な演出や他の遊技機と差別化する目的で大型化される傾向にあるため、遊技領域は大きいことが好ましく、その分、遊技盤は拡大される傾向にある（例えば特開２００４−０６５９３４号公報参照）。
【０２４６】
しかしながら、遊技盤や周辺部品の設計上の制約があるため、遊技領域を拡大することが難しいという問題点がある。例えば、遊技盤を拡大するために遊技盤を取り付ける内枠の開口を大きくすると、内枠の左右両側の剛性は低下する一方で遊技盤自体の重量が重くなる。このため、内枠が変形しやすくなってしまうので、遊技領域を大きくすることは難しいという問題点がある。
【０２４７】
＜特徴Ａ１＞
支持体（外枠１１）に対して開閉可能に支持される開閉体（中間ユニット１３）と、該開閉体に取り付けられ、遊技者に視認可能な遊技領域を形成する遊技部品（遊技盤２３）とを備えた遊技機（パチンコ機１０）において、
前記開閉体は、
該開閉体が閉鎖された状態において開方向への移動を阻止する施錠状態とするために遊技機上下方向に動作可能に設けられると共に、遊技機上下方向および前後方向に延びる板状の１又は複数の動作部材（連動杆５３１、本体側鉤金具５５１、前面側鉤金具５５２、規制金具５５３）と、
前記施錠状態において前記１又は複数の動作部材の遊技機左右方向における遊技機外側の外面と前記支持体の一部とのそれぞれに対面する向きに設けられる板状の外側板部（外側基体主板部５２２）と、
前記施錠状態において前記１又は複数の動作部材における前記遊技部品側の外面と前記遊技部品の一部とのそれぞれに対面する向きに設けられる板状の内側板部（内側基体主板部５１２）とを備え、
前記遊技部品の遊技領域に対して遊技機左右方向における一方側であって前記動作部材が設けられる横断面において前記遊技部品と前記支持体との間に、前記内側板部と、前記１又は複数の動作部材と、前記外側板部とが並んで配置されることを特徴とする遊技機。
【０２４８】
特徴Ａ１記載の遊技機によれば、遊技領域を好適に拡大可能な開閉体を備えた遊技機を提供することができる。すなわち、遊技部品の一部と支持体の一部との間に設けられる外側板部と内側板部と動作部材は、同じ向きに並んで配置された板状であるので、遊技部品と支持体との間隔を少なくすることができる。このため、遊技部品の幅寸法を拡大することができる。
【０２４９】
また、開閉体を構成する外側板部と内側板部とは、動作部材を間に挟むことにより一定の間隔を隔てた二層構造であるので、前後方向を中心とした曲げ力や上下方向を中心としたねじり力にも強い構造体にして、遊技部品の重量が嵩んでも開閉体は変形し難いものとすることができる。よって、遊技領域の幅寸法を広く確保しつつ、剛性も高く確保することができる開閉体を備えた遊技機を提供することができる。また、内側板部と外側板部との間に配置される動作部材は二層構造の間に配置されるので、外側板部と動作部材と内側板部とを組み合わせた全体幅は薄く抑えつつ、動作部材の収容空間を変形しにくいものにして動作部材の動作不良を抑制することができる。
【０２５０】
なお、特徴Ａ１における「遊技機上下方向および前後方向に延びる板状」とは、基本となる面であって、部品の上下左右前後方向のうち、最も範囲が広い領域を形成する面が遊技機上下方向および前後方向に延び、遊技機左右方向が板厚方向となる形状を意味し、遊技機横方向に延びる係合部や段差部が一体的あるいは別部品として取り付けられるものを含む。また、「遊技機上下方向および前後方向に延びる板状」とは、板状部品を形成する際に延ばして加工した形状に限らず、射出成形などにより板状に形成された部品が遊技機上下方向および前後方向に延びる向きに配置されるものでも良い。「遊技機上下方向に動作」とは、上下にスライド移動するもののほか、一部が上下に移動するように回動するもの、リンク機構により上下方向の成分を含んで動作するものでも良い。
【０２５１】
特徴Ａ１における「複数の動作部材の遊技機左右方向における遊技機外側の外面」は、複数の動作部材の組み合わせにおいて遊技機左右方向における最も遊技機外側に位置して外側板部に対面する外面であり、「遊技機外側」とは遊技機の外形を形成する部位に近い側である。「複数の動作部材における前記遊技部品側の外面」は、複数の動作部材の組み合わせにおいて遊技機左右方向における最も遊技部品側に位置して内側板部に対面する外面である。
【０２５２】
＜特徴Ａ２＞
前記開閉体は、前記遊技部品が取り付けられる部位が開口した枠体を形成する枠状ユニット（枠ユニット２１）を備え、
前記枠状ユニットは、前記遊技部品の左右両側に設けられる枠側部（枠左部３５３，枠右部３５４）と、前記遊技部品の上側に設けられる枠上部（枠上部３５１）と、前記遊技部品の下側に設けられる枠下部（枠下部３５２）とが別々の部材によって構成され、
前記枠側部のうち前記内側板部を有する一方の枠側部は、前記内側板部が前記枠上部と前記枠下部とに固定され、前記外側板部と前記動作部材とが前記内側板部に対して前記外側板部の遊技機外面側より取り外し操作可能に固定されていることを特徴とする特徴Ａ１記載の遊技機。
【０２５３】
特徴Ａ２記載の遊技機によれば、内側板部が枠上部および枠下部に固定され、その接続されている部位の上下間は複数枚の板状部材を並べて構成することができる。よって、遊技部品の幅寸法を上下の広い範囲にわたって幅広く形成しつつ、その部分の剛性を確保することができる。また、外側板部は、内側板部に対して外側板部の遊技機外面側より取り外し操作可能に固定されているので、枠状ユニットにおける枠体形状を保ちつつ、外側板部を取り外して内側板部と外側板部との間に配置される動作部材等のメンテナンスを容易に行うことができる。
【０２５４】
＜特徴Ａ３＞
前記外側板部と、該外側板部と一体的に形成され、該外側板部の遊技機後側端部より前記内側板部側に突出した形状に形成されて前記１又は複数の動作部材の遊技機後側を覆う部位を形成する外側後板部（外側基体後板部５２４）とを有する外側部材（外側基体５２１）と、
前記内側板部と、該内側板部と一体的に形成され、該内側板部の遊技機前側端部より前記外側板部側に突出した形状に形成されて前記１又は複数の動作部材の遊技機前面側を覆う部位を形成する内側前板部（内側基体前板部５１３）とを有する内側部材（内側基体５１１）と、
前記外側部材の一部と内側部材の一部とを遊技機左右方向に重ね合わせた状態で固定する固定部材（ネジ）と、
前記外側部材と前記１又は複数の動作部材とを一体化する一体化手段（杆固定具５０６、鉤固定具５０８）とを備え、
前記固定部材による前記外側部材と前記内側部材との固定を少なくとも解除して前記外
側部材を前記内側部材から分離した場合に、前記外側部材と前記１又は複数の動作部材とが一体化された状態で前記内側部材から分離されることを特徴とする特徴Ａ１又はＡ２に記載の遊技機。
【０２５５】
特徴Ａ３記載の遊技機によれば、外側部材と１又は複数の動作部材とが一体化された状態で内側部材から分離され、この外側部材は支持体の一部に対面する位置に配置される。このため、支持体によって覆われていた外側部材が開閉体の開放によって遊技機前方側に露出され、固定部材を操作することによって外側部材を遊技機から取り外すことができる。よって、動作部材の動作不良時においては外側部材と動作部材とを一体化した状態で取り外すことができ、作業性を向上することができる。また、内側部材と外側部材とによって動作部材に対して遊技機左右および前後方向が覆われることとなるので、遊技機の設置状態においては動作部材への不正部品の侵入を抑制することができる。
【０２５６】
＜特徴Ａ４＞
前記外側部材は、
前記外側後板部における前記内側板部側にて遊技機後側に延出した形状にて前記内側板部と対面する外側取付板部（外側取付板部５２７）を有し、
前記１又は複数の動作部材は、前記外側板部における前記内側板部側の面に重ねられた状態で前記一体化手段により一体化され、
前記1又は複数の動作部材のうち前記内側板部に最も近い側の動作部材は、該内側板部
における前記外側板部側の面に対面し、
前記外側取付板部と前記内側板部とが固定手段によって固定され、当該固定手段の固定を解除することで前記外側部材が前記内側部材から分離可能とされ、前記外側部材における前記内側板部側に、前記１又は複数の動作部材が重ねられた部位が露出されることを特徴とする特徴Ａ３記載の遊技機。
【０２５７】
特徴Ａ４記載の遊技機によれば、外側取付板部と内側板部との固定手段による固定解除によって外側部材を内側部材から分離することができ、動作部材の収容空間を視認することができるので、メンテナンスや動作不良時における作業性を向上することができる。
【０２５８】
＜特徴Ａ５＞
前記一体化手段は、前記前側板部と前記後側板部との間であって両板部から離間した位置に設けられ、一端側が前記外側板部に固定され、他端側が前記内側板部に当接又は近接して設けられる一体化部材（杆固定具５０６）を有していることを特徴とする特徴Ａ４記載の遊技機。
【０２５９】
特徴Ａ４記載の遊技機によれば、外側部材の後側が外側取付板部によって内側部材と固定され、外側部材の中間部分は一体化部材によって内側部材側への移動が制限された状態とされるので、固定部を外側部材の後側に限定して固定部品や固定作業に要するコストを低減しつつ、外側板部と内側板部との二層構造において前後方向における中央部分の隙間を確保することができる。よって、遊技部品の大型化等により重量が嵩んでも、外側板部と内側板部の間に配置される動作部材の作動不良を生じにくくすることができる。
【０２６０】
なお、「当接又は近接して」とは、当接するもの、当接する程度に近接しているもの、基準寸法が同一で僅かな隙間を隔てて配置されたものを含み、例えば、相手側に対して僅かな隙間、例えば１ｍｍ未満の隙間があり、製造上の誤差分を考慮して当接しないように隙間を隔てたものや、遊技機各部の弾性変形によって当接する場合がある程度に近接しているものとして表しても良い。「当接又は近接して」とは、製造誤差および弾性変形を考慮しても十分な隙間が設けられ、例えば５ｍｍ以上の隙間を隔てるものを意図するものでない。
【０２６１】
＜特徴Ａ６＞
前記外側部材は、前記内側前板部の遊技機後側にて内側前板部に重なりつつ前記内側板部側へ延出した形状に形成され、その延出方向側の先端部が前記内側板部に当接又は近接する外側前板部（外側基体前板部５２３）を有し、
前記内側部材は、前記外側板部における内側板部側とは逆側の外面に当接又は近接した面を形成しつつ前記内側前板部より遊技機後側に延出した形状の前側支持部（前側支持部５１４）を有し、
前記外側前板部の遊技機前側および左右両側の三方が前記内側部材に当接又は近接した状態で囲われていることを特徴とする特徴Ａ４またはＡ５記載の遊技機。
【０２６２】
特徴Ａ６によれば、外側部材の後側が外側取付板部によって内側部材と固定され、外側部材の前側部分は内側部材によって三方への移動が制限された状態とされるので、固定部を外側部材の後側に限定して固定部品や固定作業に要するコストを低減しつつ、前後方向を中心とした曲げ力や上下方向を中心としたねじり力にも強い構造体とすることできる。また、外側部材の前側部分を内側部材によって三方への移動を制限した状態とすることで、外側部材と内側部材との組合せは遊技機前側の横幅が厚く、後側は薄く形成することができる。この遊技機後側を薄い横幅とすることで、開閉体が回動する場合に支持体前端に対して後側に位置する部分が回動動作によって支持体内面に近づくような位置に開閉体の回動軸を設定することができる。すなわち、施錠機構が設けられる一方側とは反対側に設けられる開閉体の回動軸を前側に配置することができるようになる。これにより、遊技機前面の装飾品を遊技機前側に突出したものとしても開閉体の開放時に隣に設置される遊技機側への突出を抑えることができ、遊技部品の幅寸法の拡大と開閉体の剛性確保に加えて設計自由度を高めることができる。
【０２６３】
なお、内側部材の前側支持部は、支持枠の開口前端縁に対して遊技機前側か一致するか、或いは、開口前端縁より遊技機後側であっても支持枠の開口前端縁に近い位置に設けられることが支持体の枠内を左右両側に十分に利用することができて好ましい。
【０２６４】
＜特徴Ａ７＞
前記遊技領域の前面側に設けられ、該遊技領域を視認可能とする視認部（窓パネルユニット３０）を有し、前記開閉体に対して遊技機前方側に開閉可能に設けられる前面体（前扉枠１４）を備え、
前記動作部材として、
前記支持体に対して前記開閉体を施錠状態とするために動作可能に設けられる複数の第１動作部材（本体側鉤金具５５１）と、
前記開閉体に対して前記前面体を施錠状態とするために動作可能に設けられる複数の第２動作部材（前面側鉤金具５５２）と、
遊技機上下方向の一方側に移動した場合に前記複数の第１動作部材を該一方側に動作させ、他方側に移動した場合に前記複数の第２動作部材を該他方側に動作させる連動部材（（連動杆５３１）とが設けられ、
前記遊技領域の最大幅部および該最大幅部の一定割合より大きな幅を形成する大幅部における高さ範囲内に前記連動部材と前記第２動作部材の少なくとも１つが設けられる一方、前記第１動作部材が設けられず、
前記第１動作部材は、前記遊技領域の幅が前記最大幅部に対して一定割合以下であるか、又は  前記遊技領域のない高さ範囲に設けられることを特徴とする特徴Ａ１からＡ６記載の遊技機。
【０２６５】
特徴Ａ７記載の遊技機によれば、遊技領域の最大幅部およびその近傍における高さ範囲には、動作部材として連動部材と第２動作部材が設けられるので、遊技領域に対する不正
を行おうとして開閉体に対して前面体が不正にこじあけられそうになっても、遊技領域が大きく形成された最大幅部付近で前面体と開閉体とを施錠することができる。よって、隙間が生じにくいものとなり、遊技領域を狙った不正を抑制することができる。また、第１動作部材は、遊技領域の最大幅部の上下に離間して設けられるものの、内側板部と、外側板部との組み合わせによる開閉体の剛性の高さにより、開閉体の上下の中間部分が撓んで支持体と開閉体との間に隙間が形成されることを抑制することができ、支持体と開閉体との隙間を狙った不正を抑制することができる。しかも、第１動作部材を遊技領域の最大幅部近傍に配置しなくても不正を抑制することができるので、遊技領域の最大幅部をより広く拡大しつつ、不正に強い遊技機を提供することができる。なお、特徴Ａ３における一定割合としては、７５％としても良いが、５０％とすることが好ましく、２５％とすることが更に好ましい。
【０２６６】
＜特徴Ａ８＞
所定の解錠操作が行われた場合に回動し、少なくとも１つの前記動作部材と係合して該動作部材を遊技機上下方向に動作させる係合部材（キーシリンダ５０２）を備え、
前記内側板部は、上下方向に沿った断面形状が一定の成形が施された部品で構成され、
前記外側板部と前記１又は複数の動作部材とは、前記内側板部に重なる板面に垂直な方向側に移動して所定位置に取り付けられるものであって前記所定位置に配置された場合に少なくとも１の動作部材の一部が前記係合部材に係合可能に前記内側板部の貫通穴内に入り込んだ状態で配置され、
前記係合部材は、前記内側板部に対して前記遊技部品側であって遊技機正面視において前記遊技部品の一部が上下いずれか一方側に位置する部位に配置されていることを特徴とする特徴Ａ１から特徴Ａ７記載の遊技機。
【０２６７】
特徴Ａ８記載の遊技機によれば、係合部材と、係合部材に係合可能に設けられる動作部材とが内側板部を介した両側に取り付けられるので、その係合部分に対して不正を行おうとしても内側板部が邪魔になり、係合部分を狙った不正を抑制することができる。
【０２６８】
また、係合部材を、内側板部、外側板部および動作部材とは独立した部品として構成すると共に、内側板部は上下方向に断面形状が一定に成形されて遊技部品側に部分的に突出しない形状とすることで、内側板部と動作部材と外側板部とが一体化された部品ユニットを遊技機正面視で一定幅か一定に近い細幅に形成することができる。しかも遊技部品の上下いずれか一方側に係合部材が配置されるので、遊技領域の最大幅に係合部材が影響を及ぼさず、遊技部品の左右方向における幅寸法を幅広に設定することができる。更に、内側板部と外側板部との二層構造を係合部材が配置される部位においても確保して上下の広範囲にわたって開閉体の剛性を確保することができる。
【０２６９】
なお、「上下方向に沿った断面形状が一定の成形が施された部品」とは、上下方向に沿った断面形状が完全に一定の部品に限るものでなく、上下方向に沿った断面形状が一定の成形が施された後に、穿孔や外形の一部切削等が行われて断面形状が異なる部位が生じたものを含む。
【０２７０】
＜特徴Ｂ群＞
従来、遊技機の代表例としてパチンコ機がある。パチンコ機は、例えば、遊技場（ホール）に固定される支持体としての外枠と、この外枠の左端側を開閉軸として開閉可能に設けられる開閉体としての内枠と、この内枠の開口に遊技領域が位置するように取り付けられる遊技部品としての遊技盤と、この内枠の正面視左端側を開閉軸として内枠に対して開閉可能に支持され、遊技領域に対応した視認窓を有する前面扉とを備えている。この前面扉には、遊技盤の遊技領域を視認可能とする視認窓が設けられ、視認窓を介して遊技者が遊技盤を視認可能とされている。遊技盤の遊技領域には、変動表示が行われる図柄の表示
装置や装飾部品が設けられ、この部品は多様な演出や他の遊技機と差別化する目的で大型化される傾向にあるため、遊技領域は大きいことが好ましく、その分、遊技盤は拡大される傾向にある（例えば特開２００４−０６５９３４号公報参照）。
【０２７１】
しかしながら、遊技盤や周辺部品の設計上の制約があるため、遊技領域を拡大することが難しいという問題点がある。
【０２７２】
＜特徴Ｂ１＞
支持体に対して開閉可能に支持される開閉体と、該開閉体に取り付けられ、遊技者に視認可能な遊技領域を形成する遊技部品とを備えた遊技機において、
前記開閉体は、
該開閉体が閉鎖された状態において開方向への移動を阻止する施錠状態とするために遊技機上下方向に動作可能に設けられると共に、遊技機上下方向および前後方向に延びる１又は複数の動作部材と、
前記施錠状態において前記１又は複数の動作部材に対して遊技機外面側に設けられる外側板部（外側基体主板部５２２）と、
前記１又は複数の動作部材を挟みつつ前記外側板部の反対側に設けられる内側板部（内側基体主板部５１２）と、
該内側板部と前記外側板部とを固定する固定手段（ネジ）とを備え、
内側板部または外側板部のうちいずれか一方の板部を形成する部材は、横断面において遊技機前後方向に延びる向きに設けられ、他方の板部との間に前記１又は複数の動作部材が配置される第１板部（外側基体主板部５２２）と、横断面において該第１板部における遊技機後側より、前記１又は複数の動作部材の配置される側であって他方の板部に近づく側に延出した形状の第２板部（外側基体後板部５２４）と、該第２板部における前記他方の板部に近い側の端部より遊技機後側に延出した形状にて前記他方の板部と対面して配置される第３板部（外側取付板部５２７）とを有し、
前記固定手段は、前記第３板部にて前記一方の板部を形成する部材（外側基体５２１）と前記他方の板部を形成する部材（内側基体５１１）とを固定するものであり、
前記第３板部は、前記遊技部品に対して遊技機左右方向における外面側に配置されていることを特徴とする遊技機。
【０２７３】
特徴Ｂ１記載の遊技機によれば、遊技領域を好適に拡大可能な開閉体を備えた遊技機を提供することができる。すなわち、開閉体を構成する外側板部と内側板部とは、動作部材を挟んだ二層構造であり、遊技部品の重量が嵩んでも開閉体は変形し難いものとすることができる。よって、遊技部品の重量が嵩んだとしても開閉体の剛性を確保し易くすることができる開閉体を備えた遊技機を提供することができる。
【０２７４】
また、外側板部と内側板部とのうちいずれか一方の板部を形成する部材は、遊技機前後方向に延びる第１板部と、該第１板部における遊技機後側に設けられる第２板部と、該第２板部における前記他方の部材に近い側に連続し、前記他方の部材と対面して配置される第３板部とを有し、その第３板部で他方の板部を形成する部材と固定されるので、開閉体を構成する外側板部と内側板部とによる二層構造の一方を段状に形成して剛性を一層高めることができる。この剛性向上により、開閉体の剛性が確保されると共に、内側板部と外側板部との間に配置される動作部材の動作不良を抑制することができる。
【０２７５】
さらに、第３板部は遊技部品に対して遊技機左右方向における外面側に配置されているので、第３板部より遊技機後側に内側板部と外側板部とを固定するための領域を設ける必要がない。よって、装飾部品や遊技球の入賞装置等として遊技機前後方向に長さを有する部品を遊技部品の端に近づけて配置することができる。
【０２７６】
＜特徴Ｂ２＞
前記遊技部品（遊技盤２３）は、前記遊技領域に進入した遊技球が衝突する多数の突状部（釘８７）が一面側に設けられる板状部材（遊技板２３ｂ）を有し、
前記第３板部は、前記遊技部品に対して遊技機左右方向における外面側であって前記板状部材の板厚の範囲内に少なくとも一部が設けられることを特徴とする特徴Ｂ１記載の遊技機。
【０２７７】
特徴Ｂ２記載の遊技機によれば、板状部材の遊技機後側の領域を一層広く確保して遊技部品の端まで遊技機前後方向に長さを有する装飾部品等を配置することができる。
【０２７８】
＜特徴Ｂ３＞
前記開閉体は、前記遊技部品が取り付けられる部位が開口した枠体を形成する枠状ユニット（枠ユニット２１）を備え、前記内側板部が設けられる遊技機左右方向の一方側を回動先端側とし、前記内側板部が設けられない遊技機左右方向の他方側を回動基端側として前記支持体に対して開閉可能に支持され、
前記枠状ユニットは、前記遊技部品の左右両側に設けられる枠側部と、前記遊技部品の上側に設けられる枠上部と、前記遊技部品の下側に設けられる枠下部とを別々の部材によって構成し、
前記側部のうち前記回動先端側の側部は、前記内側板部と、該内側板部を遊技機左右方向に貫通する孔部とを有し、前記内側板部が前記枠上部と前記枠下部とに対して前記外側板部側から孔部に一端部が挿入された固定部材（枠右固定ネジ３５４ａ）を用いて固定され、
前記側部のうち前記回動基端側の側部は、遊技機前後方向に延びる断面形状に形成された縦長の主板部（枠左主板部３５３ａ）と、該主板部の遊技機後側より遊技部品の背面側に延出するように形成された縦長の延出部（中央側延出部３５７）と、該延出部を遊技機前後方向に貫通する孔部とを有し、該孔部に一端部が挿入された固定部材（枠左固定ネジ３５３ｂ）を用いて前記他方の側部が前記枠上部と前記枠下部とに対して遊技機後側から固定されていることを特徴とする特徴Ｂ１又はＢ２記載の遊技機。
【０２７９】
特徴Ｂ３記載の遊技機によれば、内側板部が設けられる回動先端側の側部は、遊技機左右方向に貫通する孔部によって枠上部および枠下部に固定されるため、施錠機構の構成部品を設けても遊技機左右方向における一方の側部における幅寸法を狭くすることができ、遊技部品の幅を遊技機外形に近い位置まで拡げることができる。
【０２８０】
一方、内側板部が設けられない回動基端側の側部は、回動基端側として開閉体の開閉において強度が要求される部位であり、遊技機前後方向に延びる縦長の主板部と、該主板部の遊技機後側より遊技部品の背面側に延出するように形成された縦長の延出部とによって、横幅のある断面形状とすることで回動基端側としての強度を確保することができる。また、回動基端側の側部は、延出部の孔部を用いて枠上部と枠下部とに対して固定が行われるので、開閉体を開放することで遊技機背面側から固定部分の確認や作業を容易にすることができる。更に、回動基端側の側部は、施錠機構が設けられていない側であるため、延出部を設けても遊技機外形に近い位置まで遊技部品の配置自由度を確保することができ、施錠機構が設けられる反対側と比べて遊技領域の左右端から遊技機外形までの幅の差を少なくして左右の均整がとれたデザインとすることができる。
【０２８１】
＜特徴Ｃ群＞
従来、遊技機の代表例としてパチンコ機がある。パチンコ機は、例えば、遊技場（ホール）に固定される支持体としての外枠と、この外枠の左端側を開閉軸として開閉可能に設けられる開閉体としての内枠と、この内枠の開口に遊技領域が位置するように取り付けられる遊技部品としての遊技盤と、この内枠の正面視左端側を開閉軸として内枠に対して開
閉可能に支持され、遊技領域に対応した視認窓を有する前面扉とを備えている。この前面扉には、遊技盤の遊技領域を視認可能とする視認窓が設けられ、視認窓を介して遊技者が遊技盤を視認可能とされている。遊技盤の遊技領域には、変動表示が行われる図柄の表示装置や装飾部品が設けられ、この部品は多様な演出や他の遊技機と差別化する目的で大型化される傾向にあるため、遊技領域は大きいことが好ましく、その分、遊技盤は拡大される傾向にある（例えば特開２００４−０６５９３４号公報参照）。
【０２８２】
しかしながら、遊技盤が拡大されることにより、遊技機の搬送時に不具合が生じることがある。
【０２８３】
＜特徴Ｃ１＞
枠状に形成される支持体に対して前面側に開閉可能に支持される開閉体を備えた遊技機において、
前記支持体に対して前記開閉体が閉鎖された状態において、遊技機背面視左右方向における一方側の上側角部に、遊技機背面側に開口し、指先を差し込み可能に形成された縦長の溝状部（溝状部１９）が設けられ、
前記支持体は、その縦長の溝状部の上面及び遊技機左右方向における外面側に近い側面を支持体の上部内面および側部内面により形成し、
前記開閉体は、前記縦長の溝状部の下側の上向き面を形成する溝形成上向面（第２上向面１３ｂ、第２後側上向面１５ｂ）と、
前記縦長の溝状部の遊技機左右方向における中央側に近い横向き面を形成する溝形成横向面（第２右向面１３ｄ、第２後側右向面１５ｄ）と、
前記溝形成上向面より上方にて、前記支持体の内面に対して指先を差し込み不能な隙間を隔てて、該溝形成上向面より前側および遊技機左右方向における中央側に上向きの面を形成する支持体近接上向面（第１上向面１３ａ、第１後側上向面１５ａ）と、
前記溝形成横向面より前記支持体の内面に近い側にて、前記支持体の内面に対して指先を差し込み不能な隙間を隔てて、該溝形成横向面より前側および下側に前記支持体の内面に対面する面を形成する支持体近接横向面（第１右向面１３ｃ、第１後側右向面１５ｃ）とを有していることを特徴とする遊技機。
【０２８４】
＜特徴Ｃ２＞
枠状に形成される支持体に対して前面側に開閉可能に支持される開閉体を備えた遊技機において、
該開閉体は、
遊技機背面視左右方向における一方側の上側角部において、前記支持体の枠内にて該支持体に対面して設けられる上側角部外面を有し、
該上側角部外面として、
前記支持体の上部であって下側を向いた内面に対面する第１上向面（第１上向面１３ａ、第１後側上向面１５ａ）と、
該第１上向面の一部に対して遊技機後側に設けられ、該第１上向面よりも前記上部内面から離間した第２上向面（第２上向面１３ｂ、第２後側上向面１５ｂ）と、
前記支持体の左右方向における一方側の側部であって他方側の側部を向いた側部内面側に対面する第１横向面（第１右向面１３ｃ、第１後側右向面１５ｃ）と、
該第１横向面の一部に対して遊技機後側に設けられ、該第１横向面よりも前記側部内面から離間し、且つ、前記第２上向面と前記上部内面との間の距離より少ない距離離間した第２横向面（第２右向面１３ｄ、第２後側右向面１５ｄ）とが設けられ、
前記支持体に対して前記開閉体が閉鎖された状態において、前記開閉体の前記上側角部側には、前記遊技機本体の第２上向面および前記第２横向面と前記支持体の内面との間に前記支持体の内面に沿った縦長の溝状部（溝状部１９）が遊技機背面側に開口形成されていることを特徴とする遊技機。
【０２８５】
特徴Ｃ１及びＣ２記載の遊技機によれば、遊技部品の拡大に伴う、遊技機の搬送時における不具合を抑制することができる。すなわち、遊技機を持ち上げる際に、遊技機の横側であって溝状部が設けられる側に立ち、遊技機背面側の手を溝状部に近づけて縦長の溝状部に指先を差し入れ、反対側の手で遊技機の前面側から遊技機下側を支えることで、遊技機を容易に持ち上げることができる。
【０２８６】
また、縦長の溝状部は開閉体の上側角部に設けられるので、遊技部品の拡大に伴って遊技領域を拡大しても、遊技者の目につきにくい部位が遊技部品側に突出することになるため、遊技部品の拡大に対しての影響を少なくすることができる。また、縦長の溝状部は支持体の角部内面に設けられるので、支持体に加えられる曲げ力を低減して支持体を破損し難くすることができる。縦長の溝状部を形成する溝形成上向面（第２上向面）および溝形成横向面（第２横向面）の前側は、支持体の内面に近い支持体近接上向面（第１上向面）と支持体近接横向面（第１横向面）とによって構成されているので、溝状部を支持体の後側部のみに形成して遊技部品の拡大に対しての影響を一層少なくすることができる。そして遊技部品の拡大に伴って重量が嵩んでも、縦長の溝状部を利用して遊技機は搬送しやすくすることができる。
【０２８７】
また、遊技機前面側は遊技者に触れられる部位であるため、強い力にも耐え得る強度を持たせる必要がある一方、遊技機背面側は関係者にしか触れられない部位であるため、強度よりも小型化やコストを優先した方が多くの部品を取付可能で機能面においてもコストにおいても有利である。しかし、遊技部品が拡大される等して遊技機背面側の部品設置領域が拡大し、支持体の枠内全域が後方に突出してしまうと、支持体に指をかけての遊技機の搬送ができず、遊技機背面側の部品の一部に手をかけてしまう可能性がある。この場合、部品が破損する等の不具合が生じる可能性があり、これを防止するために部品の強度をあげると、部品が大型化したり、コスト上昇の可能性が生じる。これに対して、支持体の内面側に縦長の溝状部を設けて、この部位を持ち手として利用可能とすることにより、遊技機背面側の部品に対して過度に高い強度を持たせる必要がなくなるため、部品を小型化し、また低コストで遊技機背面側の部品を製造することができる。
【０２８８】
また、縦長の溝状部を利用することで、作業者は、遊技機の上側と下側とを掴みながら遊技機を持ち上げることができるので、遊技機の上端部分や下側のみを掴んで持ち上げる場合に比べて、上下に遊技機を移動しやすい。特に、床面から遊技機を持ち上げる場合には、縦長の溝状部の上端に位置する支持体内面に人差し指側の側面を当てて容易に持ち上げることができる。例えば、遊技機を運搬用のトラックに積み込む際や、工場内や倉庫などで遊技機を床面から高い置き場に移動する際に特に効果がある。
【０２８９】
一方、遊技機前面側の手を遊技機の下側にて支えながら、遊技機を高く持ち上げた場合には、縦長の溝状部の下端部分に小指側の側面を当てて、上側を安定させた状態で遊技機を持ち上げることができる。遊技機を高く持ち上げた状態においては縦長の溝状部に差し込んだ側の手は、遊技機の上側が倒れないように支えるだけで良いので、この部位が遊技機背面側の部品によって形成されても支持体側に比べて強度は低くても良い。よって、開閉体側の部材は薄板に形成して開閉体における遊技部品側の内部空間を拡げることができる。
【０２９０】
なお、特徴Ｃ１およびＣ２における「溝形成上向面」、「溝形成横向面」、「支持体近接上向面」、「支持体近接横向面」、「第１上向面」、「第２上向面」、「第１横向面」および「第２横向面」は、それぞれが単一の面で構成されても複数の面で構成されても良く、それぞれが単一の部材で形成される面であっても複数の部材で形成された面であっても良く、上向きまたは横向きの成分を有する面である限り、平面であっても曲面であって
も屈曲する面であっても良い。
【０２９１】
特徴Ｃ２における「第１上向面（又は第１横向面）の一部に対して遊技機後側に設けられ、」とは、第１上向面（又は第１横向面）として一部に遊技機後側に位置しない部位が設けられることを意味している。
【０２９２】
特徴Ｃ１における「支持体近接上向面」および「支持体近接横向面」の少なくとも一方は、遊技機前後方向に延在し、遊技機上下方向および左右方向における内面側に他の部品を収容可能な内部領域を形成する板状に形成された部位の外面としても良い。「溝形成上向面」および「溝形成横向面」の少なくとも一方は、支持体近接上向面および支持体近接横向面の少なくとも一方、並びに、第１上向面および第１横向面の少なくとも一方を形成する部位の内面によって形成される内部領域において遊技機上下方向および左右方向における内面側に凸となる部位を形成しつつ、その凸となる部位の外面側に縦長の溝状部を形成する板状に形成された部位の外面としても良い。同様に、特徴Ｃ２における「第１上向面」および「第１横向面」の少なくとも一方は、遊技機前後方向に延在し、遊技機上下方向および左右方向における内面側に他の部品を収容可能な内部領域を形成する板状に形成された部位の外面としても良い。「第２上向面」および「第２横向面」の少なくとも一方は、第１上向面および第１横向面の少なくとも一方を形成する部位の内面によって形成される内部領域において遊技機上下方向および左右方向における内面側に凸となる部位を形成しつつ、その凸となる部位の外面側に縦長の溝状部を形成する板状に形成された部位の外面としても良い。
【０２９３】
特徴Ｃ１およびＣ２における「支持体近接横向面」および「第１横向面」は、開閉体の回動軸を中心とした円弧状であって遊技機後側ほど遊技機左右方向における遊技機中央側に位置するように前後方向に延在する外面を有し、「溝形成横向面」および「第２横向面」は支持体近接横向面および第１横向面に対して支持体近接横向面および第１横向面を形成する円弧の中心側にて遊技機前後方向に延在し、遊技機後側にて支持体近接横向面および第１横向面に連続する形状の外面を有するとしても良い。
【０２９４】
特徴Ｃ１およびＣ２における「支持体近接上向面」、「支持体近接横向面」、「第１上向面」および「第１横向面」は、支持体（又は、支持体の上部内面若しくは側部内面）から僅かな隙間を隔てて離間する面としても良い。「第１上向面」および「第１横向面」は支持体（又は、支持体の上部内面若しくは側部内面）との間に一般成人男性の指先を差し込み不能な距離を隔てて離間する面としても良い。僅かな隙間又は指先を差し込み不能な距離としては、例えば、１０ｍｍ以下に設定することが好ましく、８ｍｍ以下に設定することが好適である。
【０２９５】
特徴Ｃ１およびＣ２における「縦長の溝状部」の左右方向における幅（又は、支持体の側部内面から縦長の溝状部における当該側部内面とは反対側の内面までの距離）は、１５ｍｍから３０ｍｍの範囲内に設定することが好ましく、２０ｍｍから２５ｍｍの範囲内に設定することが好適である。また、「縦長の溝状部」の上下方向における長さ（又は、支持体の上部内面から溝状部の下側の面までの距離）は、８０ｍｍから１５０ｍｍの範囲内に設定することが好ましく、１００ｍｍから１３０ｍｍの範囲内に設定することが好適である。「縦長の溝状部」の上下方向における長さは、一般成人男性の片手、または親指を除いた４本の指が並んで入れることが可能な長さより長いこととしても良く、この長さは、両手が並んで入る程には長くしないことが好ましい。「縦長の溝状部」の前後方向における深さ（又は、支持体の側部内面の後端から溝状部の前側に相当する面までの距離）は、８０ｍｍから１５０ｍｍの範囲内に設定することが好ましく、１００ｍｍから１３０ｍｍの範囲内に設定することが好適である。また、「縦長の溝状部」の前側、遊技機中央側および下側の面を合成樹脂により一体に形成することが好ましい。
【０２９６】
＜特徴Ｃ３＞
前記開閉体が閉鎖された状態において開方向への移動を阻止する施錠状態とするために前記支持体と係合可能に動作可能であって上下方向に離間した複数箇所に設けられる複数の動作部（本体鉤部５８４）を備え、
該複数の動作部のうち最上部に設けられる動作部であって遊技機背面視において前記溝状部内に少なくとも上端部が面しつつ所定の解錠操作によって下方へ移動して解錠状態となる上側動作部（上側の本体側鉤金具５５１の本体鉤部５８４）と、
前記複数の動作部のうち前記上側動作部から下方に離れた少なくとも１箇所に設けられる動作部であって、所定の解錠操作によって前記上側動作部と共に解錠状態となる下側動作部（下側の本体側鉤金具５５１の本体鉤部５８４）と、
該下側動作部への直接的な外力に対する該下側動作部の動作を制限して施錠状態を維持するための外力動作制限手段（規制金具５５３）とが設けられ、
前記上側動作部は、該上側動作部に対する直接的な外力によって下方へ移動可能に設けられていることを特徴とする特徴Ｃ１又はＣ２記載の遊技機。
【０２９７】
特徴Ｃ３記載の遊技機によれば、上側動作部は溝状部内に上端部が面しているため、溝状部が設けられる位置付近まで上側動作部を高く配置することができる。このため、開閉体と支持体との上端縁をこじ開けようとする不正をより確実に防止することができる。また、遊技機を持ち上げる際に溝状部に指先を差し込んだ場合に上側動作部に指先が触れても、上側動作部が溝状部の下側へ移動可能であるので、指先が上側動作部に接触した場合における危険性を少なくすることができる。更に、下側動作部は外力移動阻止手段によって直接的な外力に対しての動作が制限されているので、不正行為を抑制すると共に、搬送時に作業者の意図に反して開閉体が開放してしまうことを抑制することができる。
【０２９８】
＜特徴Ｃ４＞
前記開閉体の前面側を覆う部位を有し、前記開閉体に対して遊技機前方側に開閉可能に設けられる前面体と、
前記開閉体に対して前記前面体を施錠状態とするために動作可能に設けられる複数の前面体用動作部材とを備え、
前記前面体用動作部のうち最上部に設けられる前面体用動作部材は、前記上側動作部に少なくとも一部が対面しつつ重なって設けられ、前記溝状部が設けられる高さであって前記溝状部の前側に設けられていることを特徴とする特徴Ｃ３記載の遊技機。
【０２９９】
特徴Ｃ４記載の遊技機によれば、溝状部の前側に前面体用動作部材を配置することで、溝状部が設けられる位置まで最上部の前面体用動作部材を高く配置することができる。このため、開閉体と前面体との上端縁をこじ開けようとする不正を防止することができる。また、最上部の前面体用動作部材は、支持体に対して開閉体を施錠するための上側動作部材と一部が対面しつつ重なって設けられることにより、最上部の前面体用動作部材と上側動作部材とを上下方向に長く形成することができ、前面体用動作部材と上側動作部材の動作を安定したものとしつつ、その配置に要する遊技機左右方向の幅を少なく抑えることができる。
【０３００】
＜特徴Ｃ５＞
前記開閉体に取り付けられ、遊技者に視認可能な遊技領域を形成する遊技部品を備え、
前記遊技部品（遊技盤２３）は、前記遊技領域に進入した遊技球が衝突する多数の突状部（釘８７）が一面側に設けられる板状部材（遊技板２３ｂ）を有し、
前記支持体は、
前記支持体近接横向面または前記第１横向面に対面する前記側部内面を一面とする部位であって遊技機前後方向に延在し、遊技機左右方向を厚み方向とする前側板部（前側板部
３０４ａ）と、
該前側板部と前記板状部材とに対して遊技機後側となる位置において前記側部内面の向く内面側に膨出するように形成され、内部に空間が設けられる膨出部（膨出部３０４ｂ）と有することを特徴とする特徴Ｃ１から特徴Ｃ４に記載の遊技機。
【０３０１】
特徴Ｃ５記載の遊技機によれば、遊技機を持ち上げる際に、膨出部の厚み部分に沿って支持体の後端側から側部内面側に指先を回し込むことができる。膨出部は、内部に空間を形成した部位であり、軽量にしつつ板状部より強度を増大することができるので、遊技機を持ち上げる際の負荷による支持体の破損を抑制することができる。また、板状部材に対して膨出部が遊技機左右方向に重なっていないので、板状部材の前面側に形成される遊技領域は膨出部の存在に関係すること無く十分に幅広に形成することができる。
【０３０２】
＜特徴Ｃ６＞
前記膨出部より遊技機前面側であって前記溝形成横向面または前記第２横向面に対面する前記側部内面には、前記上側動作部が係合するための係合部材（上側の受け板部３２１）が別部品として取り付けられ、
該係合部材によって、前記膨出部より左右方向における厚みが薄く、該係合部材が設けられない部位よりも側部内面の向く側に突出した部位が前記溝状部の内面の一部を形成することを特徴とする特徴Ｃ５に記載の遊技機。
【０３０３】
特徴Ｃ６に記載の遊技機によれば、溝状部を形成する内面の一部分が係合部材を利用して側部内面の向く側に突出して設けられる。このため、係合部材には遊技機を持ち上げる際に力が加わり易くなる。係合部材は、施錠状態を形成するために強度を十分に確保するように材料および形状が決定されるため、この部位に遊技機を持ち上げる際の力が多く加えられるようにすることで破損の防止もし易く設計コストを低減することができる。
【０３０４】
＜特徴Ｃ７＞
前記開閉体は、上下方向に長手方向を有し、遊技機左右方向における前記溝状部が設けられる一方側に配置され、押出成形により縦長に形成される金属製の側部形成部材（内側基体５１１）と、該側部形成部材の上部にて該側部形成部材と固定される樹脂製の上部形成部材（枠上部３５１）とを備え、
前記溝状部の遊技機上側および左右方向における一方側の面は、前記支持体によって形成され、
前記溝状部の遊技機下側および左右方向における他方側の面は、前記上部形成部材によって形成され、
前記側部形成部材は、前記溝状部の上部まで延在するように形成され、該溝状部の上部および下部の高さ位置において前記上部形成部材に少なくとも固定されていることを特徴とする特徴Ｃ１からＣ６に記載の遊技機。
【０３０５】
特徴Ｃ７記載の遊技機によれば、金属製で縦長の側部形成部材を用いて開閉体の一方側の側面が形成されるので、その内側に設けられる遊技部品の横幅を大きく確保することができる。また、側部形成部材が、溝状部の上部まで延在するように形成され、溝状部の上部および下部の高さ位置において少なくとも固定されているので、遊技機を持ち上げる際に、溝状部周辺に負荷がかかったとしても、その負荷を側部形成部材と上部形成部材とに分散することができ、開閉体の変形や破損を防止することができる。
【０３０６】
なお、特徴Ａ１〜Ａ８、特徴Ｂ１〜Ｂ３および特徴Ｃ１〜Ｃ７に記載のいずれか１つの特徴を他のいずれか又は複数の特徴に組み合わせて適用しても良い。以下には、上記した各特徴を適用し得る遊技機の基本構成を示す。
【０３０７】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０３０８】
スロットマシン等の回胴式遊技機：始動操作手段の操作に基づき周回体の回転を開始させ、停止操作手段の操作に基づき周回体の回転を停止させ、その停止後の絵柄に応じて遊技者に特典を付与する遊技機。
【産業上の利用可能性】
【０３０９】
以上のように、この発明は、パチンコ機やスロットマシン等の遊技機に適している。
【符号の説明】
【０３１０】
１０…パチンコ機、１１…外枠、１２…遊技機本体、１３…中間ユニット、１３ａ…第１上向面、１３ｂ…第２上向面、１３ｃ…第１右向面、１３ｄ…第２右向面、１４…前扉枠、１５…裏パックユニット、１５ａ…第１後側上向面、１５ｂ…第２後側上向面、１５ｃ…第１後側右向面、１５ｄ…第２後側右向面、１６…施錠機構、１９…溝状部、２１…枠ユニット、２３…遊技盤、２３ｂ…遊技板、３０…窓パネルユニット、８７…釘、３０４ｂ膨出部、３２１…上側の受け板部、３５１…枠上部、３５２…枠下部、３５３…枠左部、３５３ａ…枠左主板部、３５３ｂ…枠左固定ネジ、３５４…枠右部、３５４ａ…枠右固定ネジ、３５７…中央側延出部、５０２…キーシリンダ、５０６…杆固定具、５０８…鉤固定具、５１１…内側基体、５１２…内側基体主板部、５１３…内側基体前板部、５１４…前側支持部、５２１…外側基体、５２２…外側基体主板部、５２３…外側基体前板部、５２４…外側基体後板部、５２７…外側取付板部、５３１…連動杆、５５１…本体側鉤金具、５５２…前面側鉤金具、５５３…規制金具、５８４…本体鉤部
【図１】
0005949172.tif 000002
【図２】
0005949172.tif 000003
【図３】
0005949172.tif 000004
【図４】
0005949172.tif 000005
【図５】
0005949172.tif 000006
【図６】
0005949172.tif 000007
【図７】
0005949172.tif 000008
【図８】
0005949172.tif 000009
【図９】
0005949172.tif 000010
【図１０】
0005949172.tif 000011
【図１１】
0005949172.tif 000012
【図１２】
0005949172.tif 000013
【図１３】
0005949172.tif 000014
【図１４】
0005949172.tif 000015
【図１５】
0005949172.tif 000016
【図１６】
0005949172.tif 000017
【図１７】
0005949172.tif 000018